(57)【要約】   【課題】  液体の注ぎ入れや液体容器ケースの分割などの作業手順を排除して少ない作業手順にて液体を補充することを目的とする。  【解決手段】  ホルダー１００は上面開口１１１と側面開口１１２を持つホルダー筒口１１０とホルダーボディ１２０と壁面開口１２２と支持体１３０を備える。液体容器２００は、液体容器筒体２１０と液体容器本体２２０を備える。液体容器筒体２１０は上面開口２１１と構造体２１２から２１５を備える。２１５は液体容器本体２２０に挿入され液体容器本体の口が封止されている。側面開口１１２と壁面開口１２２は一体の開口を形成する。液体容器本体２２０を壁面開口１２２から挿入し、液体容器筒体２１０を側面開口１１２から通し入れつつ支持体１３０に取り付けて液体容器２００をホルダー１００内に装着する。ヘッドキャップ１５を閉めて全体を固定する。【選択図】  図１
2005126139.tif 000002
【特許請求の範囲】
【請求項１】
ヘッドキャップと、
液体容器筒体と、前記液体容器筒体の下部が封止され前記液体容器筒体を介して外部と導通する液体容器本体と、前記液体容器本体に充填された液体を備えた液体容器と、
上面開口および側面開口を持ち前記ヘッドキャップが取り付けられるホルダー筒口と、前記ホルダー筒口につながるホルダーボディであって壁面の一部に前記ホルダー筒口の側面開口とつながる壁面開口を持つ中空のホルダーボディと、前記ホルダー筒口または前記ホルダーボディに設けられ前記液体容器筒体を支持する支持体を備え、前記液体容器を内部に収納するホルダーと、
前記ホルダーボディのうち利用者が前記ホルダーを握る際に利用者の手がかかる部分であるグリップ部分を覆い、グリップの補強具となるグリップ補強具であって、前記グリップ補強具が、上面開口と底面開口と側壁を備え、前記側壁の内面形状の少なくとも一部が前記ホルダーボディの外面形状の少なくとも一部に一致し、前記ホルダーボディに被せて装着する形状となっているグリップ補強具を備えた、内部に液体が収納されている液体収納製品。
【請求項２】
ヘッドキャップと、
前記ヘッドキャップが取り付けられる液体容器筒体と、前記液体容器筒体の下部が封止され前記液体容器筒体を介して外部と導通する液体容器本体と、前記液体容器本体に充填された液体を備えた液体容器と、
上面開口および側面開口を持つホルダー筒口と、前記ホルダー筒口につながるホルダーボディであって壁面の一部に前記ホルダー筒口の側面開口とつながる壁面開口を持つ中空のホルダーボディと、前記ホルダー筒口または前記ホルダーボディに設けられ前記液体容器筒体を支持する支持体を備え、前記液体容器を内部に収納するホルダーと、
前記ホルダーボディのうち利用者が前記ホルダーを握る際に利用者の手がかかる部分であるグリップ部分を覆い、グリップの補強具となるグリップ補強具であって、前記グリップ補強具が、上面開口と底面開口と側壁を備え、前記側壁の内面形状の少なくとも一部が前記ホルダーボディの外面形状の少なくとも一部に一致し、前記ホルダーボディに被せて装着する形状となっているグリップ補強具を備えた、内部に液体が収納されている液体収納製品。
【請求項３】
前記グリップ補強具を前記ホルダーに被せて装着した状態において、前記液体容器筒体の少なくとも一部が前記グリップ補強具の中に挿入された状態であり、
前記液体容器筒体の水平方向の移動が前記グリップ補強具および前記ホルダーにより制限され、
前記液体容器筒体の垂直方向の移動が前記支持体および前記ヘッドキャップにより制限された請求項１または２のいずれかに記載の液体収納製品。
【請求項４】
前記グリップ補強具を前記ホルダーに被せて装着した状態において、前記グリップ補強具の上縁部分が前記支持体より上に位置し、当該上縁部分の内周形状が前記ホルダーに取り付けられている液体容器筒体の外周形状と沿う形で嵌合し合うものである請求項２または３に記載の液体収納製品。
【請求項５】
前記ヘッドキャップを取り付けた状態において、前記ヘッドキャップの下縁が、前記ホルダー、前記支持体、前記グリップ補強具のいずれかの上縁を押え付け、前記ヘッドキャップ、前記ホルダー、前記グリップ補強具が締め合って固定されることを特徴とした、請求項１から４のいずれかに記載の液体収納製品。
【請求項６】
ヘッドキャップと、
液体容器筒体と、前記液体容器筒体の下部が封止され前記液体容器筒体を介して外部と導通する液体容器本体と、前記液体容器本体に充填された液体を備えた液体容器と、
上面開口および側面開口を持ち前記ヘッドキャップが取り付けられるホルダー筒口と、前記ホルダー筒口につながるホルダーボディであって壁面の一部に前記ホルダー筒口の側面開口とつながる壁面開口を持つ中空のホルダーボディと、前記ホルダー筒口または前記ホルダーボディに設けられ前記液体容器筒体を支持する支持体を備え、前記液体容器を内部に収納するホルダーと、
前記ホルダーボディの壁面開口全体を覆うカバーであって、上面開口と底面開口を備え、その内壁形状の少なくとも一部が前記ホルダーボディの外壁形状の少なくとも一部に一致し、前記ホルダーボディに被せて装着できる形状となっているカバーを備えた、内部に液体が収納されている液体収納製品。
【請求項７】
ヘッドキャップと、
前記ヘッドキャップが取り付けられる液体容器筒体と、前記液体容器筒体の下部が封止され前記液体容器筒体を介して外部と導通する液体容器本体と、前記液体容器本体に充填された液体を備えた液体容器と、
上面開口および側面開口を持つホルダー筒口と、前記ホルダー筒口につながるホルダーボディであって壁面の一部に前記ホルダー筒口の側面開口とつながる壁面開口を持つ中空のホルダーボディと、前記ホルダー筒口または前記ホルダーボディに設けられ前記液体容器筒体を支持する支持体を備え、前記液体容器を内部に収納するホルダーと、
前記ホルダーボディの壁面開口全体を覆うカバーであって、上面開口と底面開口を備え、その内壁形状の少なくとも一部が前記ホルダーボディの外壁形状の少なくとも一部に一致し、前記ホルダーボディに被せて装着できる形状となっているカバーを備えた、内部に液体が収納されている液体収納製品。
【請求項８】
前記カバーを前記ホルダーに被せて装着した状態において、前記液体容器筒体の少なくとも一部が前記カバーの中に挿入された状態であり、
前記液体容器筒体の水平方向の移動が前記カバーおよび前記ホルダーにより制限され、
前記液体容器筒体の垂直方向の移動が前記支持体および前記ヘッドキャップにより制限された請求項６または７のいずれかに記載の液体収納製品。
【請求項９】
前記カバーを前記ホルダーに被せて装着した状態において、前記カバーの上縁部分が前記支持体より上に位置し、当該上縁部分の内周形状が前記ホルダーに取り付けられている液体容器筒体の外周形状と沿う形で嵌合し合うものである請求項７または８に記載の液体収納製品。
【請求項１０】
前記ヘッドキャップを取り付けた状態において、前記ヘッドキャップの下縁が、前記ホルダー、前記支持体、前記カバーのいずれかの上縁を押え付け、前記ヘッドキャップ、前記ホルダー、前記カバーが締め合って固定されることを特徴とした、請求項６から９のいずれかに記載の液体収納製品。
【請求項１１】
ノズルと、前記ノズルに連通する液体導入管と、前記液体導入管から液体を汲み上げて前記ノズルから排出する排出機構と、前記ヘッドキャップであって前記液体導入管に回動自在に設けたヘッドキャップとを備えた液体排出ヘッドを備え、
前記液体容器筒体内および前記液体容器本体内に前記液体排出ヘッドの液体導入管を挿入して前記ヘッドキャップを取り付けて前記排出ヘッドを固定した請求項１から１０のいずれかに記載の液体収納製品。
【請求項１２】
前記ヘッドキャップの上面に液体流出孔と、前記液体流出孔を開閉する開閉蓋を備えた請求項１から１１のいずれかに記載の液体収納製品。
【請求項１３】
前記液体容器本体が可撓性を持つ素材により構成され、前記液体容器のみを交換可能な使い捨てパックとして別売りする、請求項１から１２のいずれかに記載の液体収納製品の液体容器を容器とする、詰め替え用液体が収納された液体収納製品。
【請求項１４】
詰め替え用の液体を収納した使い捨てパックとして別売りする液体収納容器であって、液体容器筒体と、前記液体容器筒体の下部が封止され前記液体容器筒体を介して外部と導通する液体容器本体と、前記液体容器本体に充填された液体を備え、前記液体容器本体が可撓性を持つ素材により構成され、前記液体容器本体の一部に、前記液体容器本体の折れ曲がりを防止する構造体を内蔵した、詰め替え用液体が収納された液体収納製品。
【請求項１５】
ヘッドキャップと、
液体容器筒体と、前記液体容器筒体の下部が封止され前記液体容器筒体を介して外部と導通する液体容器本体と、前記液体容器本体に充填された液体を備えた液体容器と、
上面開口および側面開口を持ち前記ヘッドキャップが取り付けられるホルダー筒口と、前記ホルダー筒口につながるホルダーボディであって壁面の一部に前記ホルダー筒口の側面開口とつながる壁面開口を持ち前記液体容器本体を収納する中空のホルダーボディと、前記ホルダー筒口または前記ホルダーボディに設けられ前記液体容器筒体を支持する支持体を備えたホルダーを備えた、内部に液体が収納されている液体収納製品。
【請求項１６】
ヘッドキャップと、
前記ヘッドキャップが取り付けられる液体容器筒体と、前記液体容器筒体の下部が封止され前記液体容器筒体を介して外部と導通する液体容器本体と、前記液体容器本体に充填された液体を備えた液体容器と、
上面開口および側面開口を持つホルダー筒口と、前記ホルダー筒口につながるホルダーボディであって壁面の一部に前記ホルダー筒口の側面開口とつながる壁面開口を持ち前記液体容器本体を収納する中空のホルダーボディと、前記ホルダー筒口または前記ホルダーボディの内部に設けられ前記液体容器筒体を支持する支持体を備えたホルダーを備え、
前記液体容器筒体と前記支持体との組み合わせにおいて、両者が上下方向の移動を制限する構造を備え、前記ヘッドキャップを前記液体容器筒体に取り付けた状態において、前記ヘッドキャップの下縁が、前記ホルダーボディまたは前記支持体のいずれかの上縁を押え付け、前記液体容器筒体と前記支持体が上下方向に締め合うことを特徴とした、内部に液体が収納されている液体収納製品。
【発明の詳細な説明】
【技術分野】
【０００１】
この発明は、液体洗剤、液体薬剤、液体化粧品、飲料水、てんぷら油、醤油、液体調味料などの液体を容器内に収納した液体収納製品に関する。
【背景技術】
【０００２】
一般に、キッチン用品や生活用品として用いる各種液体洗剤や液体薬剤の容器であって、利用者の操作により少量ずつ排出するものとして、トリガー式の液体噴霧容器や手押しポンプ式の液体ポンプ容器が知られている。
これら従来容器では、液体がプラスチック製の液体容器に収納され、噴霧機構を備えた噴霧ヘッドやポンプ機構を備えたポンプヘッドを取り付けた形で市販されることが通例である。
【０００３】
液体容器内の液体が無くなると、噴霧ヘッドやポンプヘッドを含む液体容器全体を使い捨てて新たな液体容器を購入する場合もあるが、噴霧ヘッドやポンプヘッドはそのままとし、液体を補充する方法が広く取られている。
第一には、プラスチック製のボトル形状の液体容器ごとに別売りし、新たなプラスチック製のボトル形状の液体容器を付け替える方法がある。これはトリガー式の液体噴霧容器の場合、広く採用されている方法である。特に、液体が化学薬液やタイル用洗剤などの場合、詰め替え時の液漏れなどのトラブルを回避するため、利用者が液体を注ぎ入れることなく、液体をボトル形状の容器ごと交換することが好ましいので、この方法が広く採用されている。
第二には、近年、ごみの排出量を減少させることなどを目的として、可撓性を有するフィルムパックに包蔵した詰め替えパックが別売りされ、当該詰め替えパックから中身の液体を液体容器に注いで詰め替える方法がある。これは、液体自体が多少人体に触れても影響の少ないソープやシャンプーなどの洗剤の場合で、ポンプ式の液体ポンプ容器の場合に広く採用されている方法である。
【０００４】
しかし、上記の詰め替えフィルムパックによる液体の詰め替え作業は時間がかかり、液体が漏れるおそれがあり、利用者にとって煩わしい。その問題を解決すべく、液体容器として多数の方式が提案されている。従来技術として、別売りの詰め替えフィルムパックの液体を液体容器本体に詰め替えるのではなく、詰め替えパックをそのまま液体容器本体に取り付ける方式の液体容器が知られている。
液体容器本体を開閉自在な分割構造体とし、詰め替えパックを取り付ける際に液体容器本体を分割し、詰め替えパックを液体容器内部に収納し、再び液体容器内部を合体する方式が知られ、左右に分割するもの（例えば、特許文献１、特許文献２参照。）、上下に分割するもの（例えば、特許文献１、特許文献３参照。）、構造の一部に開口を有するもの（例えば、特許文献４、特許文献５参照。）などが提案されている。
【０００５】
【特許文献１】特開２００２−２２５９４０号公報（図１−図１１）
【特許文献２】特開平１１−２３６０８４号公報（図１−図２）
【特許文献３】特開平１０−３５７０７号公報（図１−図４）
【特許文献４】実開平０５−３４１８４号公報
【特許文献５】実開平０７−１５５６６号公報
【発明の開示】
【発明が解決しようとする課題】
【０００６】
上記の特許文献１、２、３に開示された技術では、以下の問題を有していた。
第１の問題は、詰め替えフィルムパックの取り付け作業が煩わしいという問題である。液体容器本体の合体を維持していたツメなどを開放する作業、液体容器本体を左右などに分ける作業、詰め替えパックを取り付ける作業、液体容器本体を再び合体する作業、ツメなどを再び締める作業が必要となる。これら作業工数が多くなり利用者にとって煩わしい。
第２の問題は、上記した詰め替えフィルムパックを取り付ける作業を、液体容器本体が分割された状態で行なうのは難しいという問題である。液体容器本体が分割された状態で取り付ける際には取り付けに係る構造物が半分しかなく、不安定であり、さらに、合体する他方の構造物との関係が正しくないと、詰め替えパックを挟んだり、取り付けが失敗したり恐れがある。
第３の問題は、液体容器本体を分割構造とするために、構造的な強度が弱くなるという問題である。分割構造において、十分な構造的強度を実現するためには、構造物自体を厚手にしたり、ツメ間の合体強度を強くしたりという工夫が必要となる。
特許文献１から３は、詰め替え用の液体を注ぎ替える手間を省くという目的において本願発明と共通するが、構成において全く異なるものである。
【０００７】
次に、上記の特許文献４およびその改良発明である特許文献５に開示された技術では以下の問題を有していた。
第１の問題は、袋状容器体が脱離するおそれがある問題である。
なお、特許文献４および５は、袋状容器体の栓体はキャップを取り付けるネジと係合溝を持ち、外ケース体は側壁の開口と頂壁の開口を備えている。頂壁開口の切れ目部分を案内溝と呼んでいる。キャップは袋状容器体の栓体に取り付けられ、キャップと袋状容器体が一体となっており、特許文献５の図４に示すようにキャップと袋状容器体を一体のまま側面開口から投入し、係合溝を案内溝に嵌合させて取り付ける。
特許文献４および５のものは、外ケース体はキャップを取り付けた袋状容器体を立て掛けるスタンドとして機能しており、袋状容器体は栓体を介して外ケース体に係止されているのみで、外ケース体への取り付け、取り外しの可逆の動作が可能の状態にある。そのため、当該容器の使用時にキャップごと袋状容器体が一体に横方向にずれることにより図４の逆の動きが起こり、袋状容器体がずれたり脱離したりする危険がある。
第２の問題は、構造的強度の問題である。側面に大きく開口を持つので容器全体の構造的強度が弱い。特に、トリガー式の液体噴霧容器に適用した場合には、外ケース体を握るため、構造的強度の問題が大きくなる。
【０００８】
本発明は、以上のような問題を解決すべく、詰め替えフィルムパックから液体を液体容器に注いで詰め替える必要を排除し、かつ、液体容器本体を分割するなどの作業を排除して少ない作業手順にて詰め替えフィルムパックを取り付け、液体容器本体の構造を簡単なものとし、部品の不用意な脱離がなく、構造的強度を高めた液体収納製品を提供することを目的とする。
【課題を解決するための手段】
【０００９】
本発明の第１の液体収納製品は、
ヘッドキャップと、
液体容器筒体と、前記液体容器筒体の下部が封止され前記液体容器筒体を介して外部と導通する液体容器本体と、前記液体容器本体に充填された液体を備えた液体容器と、
上面開口および側面開口を持ち前記ヘッドキャップが取り付けられるホルダー筒口と、前記ホルダー筒口につながるホルダーボディであって壁面の一部に前記ホルダー筒口の側面開口とつながる壁面開口を持つ中空のホルダーボディと、前記ホルダー筒口または前記ホルダーボディに設けられ前記液体容器筒体を支持する支持体を備え、前記液体容器を内部に収納するホルダーと、
前記ホルダーボディのうち利用者が前記ホルダーを握る際に利用者の手がかかる部分であるグリップ部分を覆い、グリップの補強具となるグリップ補強具であって、前記グリップ補強具が、上面開口と底面開口と側壁を備え、前記側壁の内面形状の少なくとも一部が前記ホルダーボディの外面形状の少なくとも一部に一致し、前記ホルダーボディに被せて装着する形状となっているグリップ補強具を備えた、内部に液体が収納されている液体収納製品である。
本発明の第２の液体収納製品は、
ヘッドキャップと、
前記ヘッドキャップが取り付けられる液体容器筒体と、前記液体容器筒体の下部が封止され前記液体容器筒体を介して外部と導通する液体容器本体と、前記液体容器本体に充填された液体を備えた液体容器と、
上面開口および側面開口を持つホルダー筒口と、前記ホルダー筒口につながるホルダーボディであって壁面の一部に前記ホルダー筒口の側面開口とつながる壁面開口を持つ中空のホルダーボディと、前記ホルダー筒口または前記ホルダーボディに設けられ前記液体容器筒体を支持する支持体を備え、前記液体容器を内部に収納するホルダーと、
前記ホルダーボディのうち利用者が前記ホルダーを握る際に利用者の手がかかる部分であるグリップ部分を覆い、グリップの補強具となるグリップ補強具であって、前記グリップ補強具が、上面開口と底面開口と側壁を備え、前記側壁の内面形状の少なくとも一部が前記ホルダーボディの外面形状の少なくとも一部に一致し、前記ホルダーボディに被せて装着する形状となっているグリップ補強具を備えた、内部に液体が収納されている液体収納製品である。
【００１０】
上記構成により、第１の液体収納製品、第２の液体収納製品とも、以下の効果が得られる。
第１に、液体の詰め替えが簡単にできる。詰め替え用の液体容器をホルダーの壁面開口から投入して液体容器筒体を支持体に取り付けることにより簡単に詰め替えを行なうことができる。また、詰め替え用液体が気密されたまま取り替えることができ、液体を外気にさらすことはなくなる。
第２に、液体収納製品のグリップ部分の構造的強度の向上効果が得られる。グリップ補強具はホルダーに被せることにより簡単に装着することができ、グリップ補強具により液体収納製品のグリップ部分の構造的強度が補強され、液体収納製品全体の構造的強度も向上することができる。例えば、グリップ補強具はホルダーの装着個所の外面形状に沿う内面形状を持つ筒状のものであり、握りに対して強い強度を持つ。
第３に、ホルダーからの液体容器の抜け出しを防止する閉じ込め効果が得られる。第１の液体収納製品、第２の液体収納製品において、グリップ補強具をホルダーに被せて装着した状態において、液体容器筒体の少なくとも一部がグリップ補強具の中に挿入された状態であれば、液体容器筒体は水平方向には筒状のグリップ補強具の閉ループの中に閉じ込められるので、液体容器筒体の水平方向の移動は制限されることとなる。また、液体容器筒体の垂直方向の移動は、第１の液体収納製品では上方向の移動はヘッドキャップにより制限され、下方向の移動は支持体により制限されている。また、第２の液体収納製品では上下方向とも移動が支持体により制限されている。よって、第１の液体収納製品および第２の液体収納製品とも、液体容器筒体が上下方向、水平方向いずれの移動も物理的に制限されることとなり、液体容器筒体がホルダーから抜け出ることがなくなる。
なお、第２の液体収納製品において、前記グリップ補強具を前記ホルダーに被せて装着した状態において、前記グリップ補強具の上縁が前記支持体より上に位置し、当該部分の内周が前記ホルダーに取り付けられている液体容器筒体の外周と沿う形で嵌合し合うものとすれば、液体容器筒体の水平方向の遊びがなくなり、より一層液体容器筒体の水平方向の移動制限が確実となる。
第４に、各構成要素が締め付け合って固定し合う効果を得る工夫をすることができる。
第１の液体収納製品では、ヘッドキャップをホルダー筒口に取り付けた状態において、ヘッドキャップの下縁がグリップ補強具の上縁を押え付けるように工夫すれば、ヘッドキャップ、ホルダー、グリップ補強具が締め合って固定し合う効果を得ることができる。
第２の液体収納製品では、ヘッドキャップを液体容器筒体に取り付けた状態において、ヘッドキャップの下縁がホルダーボディ、支持体、グリップ補強具いずれかの上縁を押え付けるように工夫すれば、各構成要素が締め付け合って固定し合う効果を得ることができる。ヘッドキャップの下縁がホルダーボディ、支持体、グリップ補強具いずれかの上縁を押え付けている状態では、力学的にはヘッドキャップの下縁が上向きに受ける抗力は液体容器筒体に伝えられるところ、液体容器筒体には、逆に、当該抗力と同じ強さの下向きの力を支持体から加えられている状態（引っ張られている状態）であり、液体容器筒体と支持体の接点において両者が上下方向に締め合っている。そのため、液体容器筒体と支持体の間の摩擦力が増え、液体容器のスライド移動を防止するスライド防止効果、摩擦力増大効果が得られる。また、各構成要素が相互に締め合って固定されるという締め付け効果が得られるので、液体収納製品全体がしっかりと安定することとなる。
【００１１】
次に、本発明の第３の液体収納製品は、
ヘッドキャップと、
液体容器筒体と、前記液体容器筒体の下部が封止され前記液体容器筒体を介して外部と導通する液体容器本体と、前記液体容器本体に充填された液体を備えた液体容器と、
上面開口および側面開口を持ち前記ヘッドキャップが取り付けられるホルダー筒口と、前記ホルダー筒口につながるホルダーボディであって壁面の一部に前記ホルダー筒口の側面開口とつながる壁面開口を持つ中空のホルダーボディと、前記ホルダー筒口または前記ホルダーボディに設けられ前記液体容器筒体を支持する支持体を備え、前記液体容器を内部に収納するホルダーと、
前記ホルダーボディの壁面開口全体を覆うカバーであって、上面開口と底面開口を備え、その内壁形状の少なくとも一部が前記ホルダーボディの外壁形状の少なくとも一部に一致し、前記ホルダーボディに被せて装着できる形状となっているカバーを備えた、内部に液体が収納されている液体収納製品である。
本発明の第４の液体収納製品は、
ヘッドキャップと、
前記ヘッドキャップが取り付けられる液体容器筒体と、前記液体容器筒体の下部が封止され前記液体容器筒体を介して外部と導通する液体容器本体と、前記液体容器本体に充填された液体を備えた液体容器と、
上面開口および側面開口を持つホルダー筒口と、前記ホルダー筒口につながるホルダーボディであって壁面の一部に前記ホルダー筒口の側面開口とつながる壁面開口を持つ中空のホルダーボディと、前記ホルダー筒口または前記ホルダーボディに設けられ前記液体容器筒体を支持する支持体を備え、前記液体容器を内部に収納するホルダーと、
前記ホルダーボディの壁面開口全体を覆うカバーであって、上面開口と底面開口を備え、その内壁形状の少なくとも一部が前記ホルダーボディの外壁形状の少なくとも一部に一致し、前記ホルダーボディに被せて装着できる形状となっているカバーを備えた、内部に液体が収納されている液体収納製品である。
【００１２】
上記構成により、第３の液体収納製品、第４の液体収納製品とも、以下の効果が得られる。
第１に、第１の液体収納製品や第２の液体収納製品と同様、液体の詰め替えが簡単にできる。詰め替え用の液体容器をホルダーの壁面開口から投入して液体容器筒体を支持体に取り付けることにより簡単に詰め替えを行なうことができる。
第２に、液体収納製品の密閉性を向上することができる。ホルダーには壁面開口が設けられているが、カバーを取り付けることにより壁面開口を塞ぐことができ、壁面開口からの水滴などの流入を防ぐことができる。
第３に、液体収納製品の構造的強度も向上することができる。ホルダーは壁面開口を持ち、水平方向の構造的強度の補強が望ましいところ、本発明のカバーは、壁面開口を閉じるのみの単なる蓋ではなく、カバーは壁面開口全面を覆いつつ、ホルダーに被せて装着する例えば筒状のものであるので、液体収納製品に水平方向にかかる力に対して強く抗することができ、構造的強度を補強するものとなる。
第４に、液体容器のホルダーからの抜け出しを防止する閉じ込め効果が得られる。これは第１の液体収納製品や第２の液体収納製品で説明したものと同様である。
第５に、各構成要素が締め付け合って固定し合う効果が得られるように工夫することができる。これは第１の液体収納製品や第２の液体収納製品で説明したものと同様である。
【００１３】
なお、第１の液体収納製品から第４の液体収納製品において、グリップ補強具またはカバーを用いない構成も可能である。
第１の液体収納製品および第３の液体収納製品において、グリップ補強具またはカバーを用いない構成では、構造的強度の向上効果は得られないものの、液体詰め替え容易性は得られる。また、密閉性は低減するが、液体容器筒体の構造のうち支持体の上に乗せられる構造体に対する閉じ込め効果は得られる。つまり、ヘッドキャップ、支持体、ホルダーの３者による液体容器筒体の当該構造体に対する閉じ込め効果は得ることができる。
第２の液体収納製品および第４の液体収納製品において、グリップ補強具またはカバーを用いない構成でも、構造的強度の向上効果は得られないものの、液体詰め替え容易性は得られる。また、密閉性は低減するが、以下の液体容器のスライド移動を防止するスライド防止効果が得られる。ヘッドキャップを液体容器筒体に取り付けた状態において、ヘッドキャップの下縁が支持体の上縁またはホルダーボディの上縁を押え付けている状態では、力学的にはヘッドキャップの下縁が上向きに受ける抗力は液体容器筒体に伝えられるところ、液体容器筒体には、逆に、当該抗力と同じ強さの下向きの力を支持体から加えられている状態（引っ張られている状態）であり、液体容器筒体と支持体の接点において両者が上下方向に締め合っている。そのため、液体容器筒体と支持体の間の摩擦力が増え、液体容器のスライド移動を防止するスライド防止効果、摩擦力増大効果が得られる。また、各構成要素が相互に締め合って固定されるという締め付け効果が得られるので、液体収納製品全体がしっかりと安定することとなる。
【００１４】
なお、上記第１、第２、第３、第４の液体収納製品において、液体容器筒体と支持体の両者の組み合わせは、支持体が液体容器筒体を支持できるものであれば良く特に限定されない。支持方式としては、例えば、嵌合方式、フック方式、コンセント−プラグ方式、係止方式、螺合方式など多様な方式が適用できる。
【００１５】
上記第１、第２、第３、第４の液体収納製品の適用範囲は広い。
例えば、トリガー式の液体噴霧機構を備えた液体収納製品、ポンプ式の液体ポンプ機構を備えた液体収納製品、ヘッドキャップに液体流出孔と開閉蓋を備えた液体収納製品などに適用することができる。
【発明の効果】
【００１６】
本発明の液体収納製品によれば、液体容器の詰め替え作業を、液体容器筒体の支持体への取り付け作業という簡単な作業で完了することができる。また、従来のように液体の詰め替え作業のように、液体を注ぎ入れるなどの手間がなく、薬品などである液体を直接外気に触れさせる必要がない。
ホルダーは、ホルダー筒口の側面開口およびホルダーボディの壁面開口という開口を有するものの、分割構造などのない一体化された筐体として十分な構造的強度を保つことができる。
グリップ補強具を装着すれば、利用者が握る部分の構造的強度が向上する。また、ホルダーボディの壁面開口が直接手に触れることがないのでホルダーを握った際に違和感がなくなる。
カバーを装着すれば、壁面開口を塞ぐので密閉性が向上するとともに、水平方向の力に対する構造的強度も向上することができる。
ホルダー筒口に対してヘッドキャップを取り付ける場合、ヘッドキャップ、ホルダー、支持体、液体容器筒体の４者、または、これらにグリップ補強具またはカバーを加えた５者がしっかりと固定され、中に収納される液体容器はしっかり閉じ込められ、抜け出る恐れがない。
液体容器筒口に対してヘッドキャップを取り付ける場合も、液体容器筒体と支持体が上下方向に締め合うものとすることができ、スライド防止効果が得られ、ヘッドキャップ、ホルダー、液体容器筒体、支持体の４者、または、これらにグリップ補強具またはカバーを加えた５者がしっかりと締め付け合い、ホルダー中に収納される液体容器はしっかり閉じ込められ、抜け出る恐れがない。
液体容器を使い捨てパックとして別売りすることができ、かつ、廃棄の際に廃棄物の容積を小さくすることができる。本発明の液体収納製品によれば、交換するものはホルダーボディの内部に取り付ける、例えばフィルム状の液体容器のみであり、排出するゴミ容量を低減することができ、従来のボトル形状のままリサイクルに回されていた形態に比べてリサイクル業者が取り扱いやすくなる。
従来のフィルムパックでは利用者の廃棄時、行政によるゴミ回収時、リサイクル業者による取り扱い時に液漏れ、液だれするおそれがあるが、本願発明では閉塞キャップを用いることにより、使用後の液体容器の廃棄時にも液体容器筒体の開口を確実に閉塞することができ、液漏れ、液だれすることがない。
【発明を実施するための最良の形態】
【００１７】
以下、図面を参照しつつ、本発明の液体収納製品の実施例を説明する。ただし、本発明の液体収納製品は以下の具体例に限定されるものではない。
以下の説明において、本発明の第１の液体収納製品と第２の液体収納製品はグリップ補強具を備えた構成であり、本発明の第３の液体収納製品と第４の液体収納製品はカバーを備えた構成である。実施例１から実施例８、実施例１０、実施例１６は本発明の第１の液体収納製品の例、実施例９、実施例１３から実施例１５は本発明の第２の液体収納製品の例、実施例１１は本発明の第３の液体収納製品の例、実施例１２は本発明の第４の液体収納製品の例として説明している。
ここで、グリップ補強具とカバーはその用途が異なるが、グリップ部分を覆う目的のグリップ補強具の形状と、壁面開口を覆う目的のカバーの形状が同じものとなる場合は有り得る。そこで、以下の実施例の説明において、グリップ補強具の説明をカバーの説明に読み替えることは可能であり、この場合、第１の液体収納製品の実施例と第３の液体収納製品の実施例を相互に読み替えることができ、第２の液体収納製品の実施例と第４の液体収納製品の実施例を相互に読み替えることができる。
【実施例１】
【００１８】
実施例１は、本発明の第１の液体収納製品の構成例である。本発明の第１の液体収納製品は、ヘッドキャップと、液体容器筒体と、前記液体容器筒体の下部が封止され前記液体容器筒体を介して外部と導通する液体容器本体と、前記液体容器本体に充填された液体を備えた液体容器と、上面開口および側面開口を持ち前記ヘッドキャップが取り付けられるホルダー筒口と、前記ホルダー筒口につながるホルダーボディであって壁面の一部に前記ホルダー筒口の側面開口とつながる壁面開口を持つ中空のホルダーボディと、前記ホルダー筒口または前記ホルダーボディに設けられ前記液体容器筒体を支持する支持体を備え、前記液体容器を内部に収納するホルダーを備えた、内部に液体が収納されている液体収納製品である。また、実施例１の液体収納製品はグリップ補強具を備えている。
ここで、グリップ補強具とは、前記ホルダーボディのうち利用者が前記ホルダーを握る際に利用者の手がかかる部分であるグリップ部分を覆い、グリップの補強具となるグリップ補強具であって、前記グリップ補強具が、上面開口と底面開口と側壁を備え、前記側壁の内面形状の少なくとも一部が前記ホルダーボディの外面形状の少なくとも一部に一致し、前記ホルダーボディに被せて装着する形状となっているものである。
【００１９】
以下の実施例１の液体収納製品において、ホルダーへの液体容器の装着は、液体容器筒体および液体容器本体を、一体の開口であるホルダー筒口の側面開口とホルダーボディの壁面開口から挿入し、液体容器筒体を支持体に取り付けて液体容器全体を支持させ、ヘッドキャップをホルダー筒口に取り付けることにより行なう。
液体容器筒体を支持体に支持させる方法は限定されない。この実施例１の液体収納製品では、支持体が液体容器筒体の一部の形状と嵌合し合う形状をしており、液体容器筒体を支持体に対して横方向から押し込んで嵌合し、支持体が液体容器筒体を支持する水平嵌合方式の構成例を示す。
また、この実施例１の液体収納製品では、ホルダー筒口に取り付けるヘッドキャップが液体噴霧ヘッドに組み込まれたヘッドキャップであり、液体噴霧ヘッドがホルダー筒口に取り付けられた液体収納製品の例を示す。ヘッドキャップをホルダー筒口に取り付ける方法は限定されない。例えば、螺合式、嵌合式、ねじ込み式など多様な方式が可能である。この実施例１の液体収納製品では、ヘッドキャップとホルダー筒口を螺合することにより取り付ける例を示す。
図１は、本発明の実施例１の液体収納製品を分解してその構成部品を模式的に示した図（右側面図）である。本発明の実施例１の液体収納製品は、液体排出ヘッド１０、ホルダー１００、液体容器２００の３つの構成部品を備えている。図１ではグリップ補強具の図示は除いている。
【００２０】
まず、液体排出ヘッド１０を説明する。
液体排出ヘッド１０はヘッドキャップ１５を備えた構成部品であり、この例では液体噴霧ヘッドとなっている。本発明では、ヘッドキャップ１５を備えておれば液体噴霧ヘッド１０の構造は特に限定されず、市販されている公知の液体噴霧ヘッドであっても適用可能である。図１に示した例では、液体噴霧ヘッド１０は、噴霧ノズル１１と、噴霧ノズル１１に連通する液体導入管１２と、液体導入管１２から液体を汲み上げて噴霧ノズルから噴霧する噴霧機構１３と、トリガー１４と、ヘッドキャップ１５とを備えている。
ヘッドキャップ１５は液体導入管１２に回動自在に取り付けられており、後述するホルダー筒口の外周壁に設けられた外ネジである構造体１１３と螺合する内ネジが設けられている。また、ヘッドキャップ１５の内面の上面にはパッキンを設ける構造としても良い。
【００２１】
噴霧機構１３の構造は限定されない。例えば、以下のような構造を持つ。利用者がトリガー１４を引いて内部のシリンダ内（図示せず）にピストン（図示せず）を押し込むことでそのシリンダ内の圧力を上げて液体を押し出して、弁体（図示せず）の働きにより流路（図示せず）に導き、流路から噴霧ノズル１１へと導き、噴霧ノズル１１から液体を霧状に噴霧させる。次に、トリガー１４を離した場合、ピストンに抗するバネ（図示せず）によりピストンが押し返され、シリンダ内の圧力が下がり、弁体の働きにより液体導入管１２の先端が浸された液体（液体容器本体２２０内の液体）が吸い上げられ、再びシリンダ内に液体が満たされる。このトリガー１４の引き込み、引き戻しを繰り返すことにより液体を噴霧する。
なお、噴霧ノズル１１の形状を選択することにより、液体を霧状に噴霧するノズル、泡状の噴霧するノズル、複数の細い液流として噴霧するノズルなど多様なものが可能である。
本実施例１では、ヘッドキャップ１５は後述するようにホルダー筒口１１０に取り付けられ、液体噴霧ヘッド１０とホルダー１００の両者を固定する働きを有する。
【００２２】
次に、ホルダー１００を説明する。
図２は、ホルダー１００の６面図を模式的に並べて示したものである。
ホルダー１００はホルダー筒口１１０と、ホルダー筒口１１０につながるホルダーボディ１２０と、支持体１３０を備えている。ホルダー１００は硬質のしっかりした強度を持つ素材で形成されている。素材は特に限定されず、例えば、プラスチック、ＰＥＴ、ガラス、金属など多様なものが含まれる。
ホルダー筒口１１０は、上面開口１１１、外周壁に設けられている側面開口１１２、ホルダー筒口の外周壁に設けられた構造体１１３を備えている。実施例１では、ホルダー筒口の構造体１１３は、ホルダー筒口の外周壁に設けられ、ヘッドキャップ１５の内周壁の内ネジと螺合する外ネジとなっている。本来は周回している外ネジの一部が側面開口１１２によって切断されているが、側面開口１１２の幅が小さい場合（例えば、外周長の１／４以下）、ヘッドキャップ１５の内周壁の内ネジとの螺合は問題なく行なえる。
この例では側面開口１１２はホルダー筒口の構造体１１３の一部を切断する形で設けられ、側面開口１１２から内部の支持体１３０の一部が見えている。なお、支持体１３０がホルダー筒口１１０の内部に設けられている。
【００２３】
ホルダーボディ１２０は、中空のキャビティを持ち、上面開口１２１、ホルダーボディの壁面開口１２２を備えている。
ホルダーボディ１２０の上面開口１２１は、ホルダーボディ１２０とホルダー筒口１１０の境界面でホルダー筒口１１０につながっている開口である。図中の付番は省略している。
ホルダーボディの壁面開口１２２は、ホルダーボディ１２０の壁面の一部に設けられ、ホルダー筒口の側面開口１１２およびホルダー筒口の上面開口１１１とつながり、ホルダー１００の上面から側面にかけて一体の開口を形成している。壁面開口１２２の位置、形状、大きさは限定されない。
なお、ホルダーボディ１２０の壁面とは、ホルダーボディの側面（右側面、左側面）だけに限定されず、正面、背面、底面も含む概念である。壁面開口１２２には、図１に示すようにホルダーボディの側面のみに設けられている場合や、ホルダーボディの正面、背面などに設けられている場合、側面から底面の一部まで設けられている場合や、側面から底面の全部まで設けられている場合など多様な形状が可能である。
後述するように、ホルダーに設けられた一体の開口である側面開口１１２および壁面開口１２２から液体容器２００を挿入し、ホルダー筒口１１０およびホルダーボディ１２０内に収納する。
【００２４】
支持体１３０は、液体容器筒体２１０の少なくとも一部の構造体を支持する形状となっている。なお、液体容器筒体２１０の形状と支持体１３０の形状の組み合わせは、支持体１３０が液体容器筒体２１０を支持できるものであれば良く、特に限定されない。支持方式としては、例えば、嵌合方式、フック方式、コンセント−プラグ方式、螺合方式など多様な方式が適用できる。実施例１では支持体１３０と液体容器筒体２１０の一部の構造体が嵌合し合う形状となっている。
図４（Ａ）は支持体１３０の形状が理解しやすいように支持体１３０をホルダー１００から取り出して簡単に示した図である。この例では支持体１３０は円柱体（円板）で液体容器筒体の構造体２１４の形状に対応する切り欠き１３１が設けられている。図４（Ａ）では分かりやすいように、切り欠き１３１が正面に見えるように図示している。上は支持体１３０の上面図、中は支持体１３０の右側面図、下は支持体１３０を取り出した後のホルダー１００の右側面図である。ホルダー１００の側面にはホルダー筒口の側面開口１１２とホルダーボディの壁面開口１２２からなる一体の開口が設けられている様子が理解できる。なお、支持体１３０はホルダー１００から自由に取り出せるものではなく、プラスチック成型技術でホルダー１００内に一体成型され固定されている方が構造的強度が高まるので好ましい。
【００２５】
次に、液体容器２００を説明する。図３は液体容器２００の６面図である。背面図は正面図と同じであるため図示は省略している。
図１および図３に示すように、液体容器２００は液体容器筒体２１０と、内部に液体が収納されている液体容器本体２２０と、液体容器の閉塞構造体としての閉塞キャップ２３０を備えている。この例では液体容器２００全体が交換可能な使い捨てパックとなっている。
液体容器筒体２１０は、内部に筒状の導通管が形成され、上面開口２１１を持ち、構造体２１２と構造体２１３と構造体２１４と構造体２１５と構造体２１６の５つの構造体を備えている。
液体容器筒体２１０は、例えばプラスチックなどの素材（例えば、ＰＥ：ポリエチレン、ＰＰ：ポリプロピレン、ＰＥＴ：ポリエチレンテレフタレートなど）で成型された構造体である。
【００２６】
液体容器本体２２０は、可撓性を持つフィルム素材などにより構成されており、液体容器筒体の下部構造である構造体２１６が液体容器本体２２０内に挿入された形で液体容器本体２２０の口がヒートシールや糊付けなどで構造体２１６に封止されている。液体容器本体２２０は液体容器筒体２１０内の導通管およびその上面開口２１１により外部と導通している。構造体２１５は構造体２１６の上部にあり、液体容器本体２２０の封止口の上部に接して封止部分の強化と保護を行なう。液体容器本体２２０の形状、大きさは特に限定されず、用途やホルダーボディ１２０の形状や大きさに応じたものであれば良い。図１の形状は一例である。液体容器本体内部に収納されている液体は特に限定されない。
図４（Ｂ）は液体容器筒体２１０の形状が理解しやすいように液体容器筒体２１０のみを簡単に示した図である。左下側が右側面図、左上側がその上面図、右側が各構造体２１１〜２１６の水平断面を模式的に上から並べて示した図である。
【００２７】
閉塞キャップ２３０は、液体容器筒体２１０の上面開口２１１を塞ぐ取り外し可能な閉塞構造体であり、この例では構造体２１２が外ネジであり、閉塞キャップ２３０の内側に設けられた内ネジと螺合することにより上面開口２１１を塞いでいる。この例では閉塞構造体は螺合式のキャップとしたが、上面開口２１１を封止したフィルムや、開閉蓋、ねじ込み蓋、嵌合蓋などでも良く、螺合するキャップには限定されない。例えば、上面開口２１１をヒートシールにより封止したフィルムであれば、手やはさみでフィルムの一部分を切り落として上面開口２１１を開けることができる。
なお、図１の図中、液体容器の閉塞キャップ２３０が液体容器筒体２１０から取り外されているが、取り外しが可能なことを示すためであり、後述する支持体１３０への取り付け作業が完了するまでは閉塞キャップ２３０を取り付けたままとする方が液漏れがなく好ましい。
以上が、実施例１の液体収納製品の各構成部品の簡単な説明である。
【００２８】
次に、実施例１の液体収納製品の各構成部品の組み立て作業、液体容器の交換作業を説明する。
まず、液体容器２００をホルダー１００に装着する。
図５は、液体容器２００をホルダー１００に装着する様子を模式的に示した図である。液体容器２００をホルダーの一体開口である側面開口１１２および壁面開口１２２から挿入し、液体容器筒体２１０を支持体１３０に取り付ける。
図６（Ａ）と図６（Ｂ）は、液体容器の液体容器筒体２１０とホルダーの支持体１３０とが嵌合し合い、液体容器筒体２１０が支持体１３０により支持される様子を模式的に示す図である。液体容器筒体２１０の構造体２１３を支持体１３０の上に沿わせ、構造体２１４を支持体１３０の切り欠き１３１の中に挿入し、構造体２１５を支持体１３０の下に沿わせつつ、液体容器筒体２１０を支持体１３０の中に押し込んで嵌合する。図６（Ａ）はこの嵌合動作を上から見た様子を模式的に示す図である。右側は嵌合の結果、支持体１３０が液体容器筒体２１０を支持する様子を示す上面図および側面図である。図６（Ｂ）は液体容器筒体２１０の構造のうち、構造体２１４部分の水平断面を取り出して描いたもので、支持体１３０の切り欠き１３１に構造体２１４が嵌合される様子を示す図である。
図６（Ａ）、図６（Ｂ）に示すように、液体容器筒体の構造体２１３と構造体２１５が支持体１３０を挟み込む形となり、液体容器筒体２１０と支持体１３０との組み合わせにおいて、両者が上下方向の移動を制限する構造を備えることとなり、液体容器筒体２１０が上下方向に固定される。また、構造体２１４が支持体１３０の切り欠き１３１と嵌合し合うことにより水平面内での回転動作が制動され、液体容器筒体２１０は支持体１３０に上下左右に遊ぶことなく固定、支持される。
【００２９】
液体容器２００のホルダー１００への装着の結果、ホルダーボディ１２０の中空のキャビティには、液体容器本体２２０が壁面開口１２２から挿入されて収められ、液体容器筒体２１０は、図６に示したように側面開口１１２と壁面開口１２２の一体開口から挿入されて支持体１３０と嵌合し合うことにより支持される。
なお、この液体容器本体２２０のホルダーボディ１２０内への挿入および液体容器筒体２１０と支持体１３０との嵌合動作中、液体容器筒体２１０の閉塞キャップは取り付けたままとすることが好ましい。装着中に液体が漏れるおそれがあるからである。液体容器２００をホルダー１００に装着した後、閉塞キャップ２３０を除去する。なお、閉塞キャップ２３０を除去する場合、液体容器筒体２１０の回転が上記のように制動されているので、閉塞キャップ２３０を回すことにより液体容器筒体２１０が空回りすることはない。
【００３０】
液体容器の閉塞キャップの高さを工夫した例を示す。これは、液体容器２００をホルダー１００に装着した後で閉塞キャップを除去しやすいように工夫したものである。
図７（Ａ）の液体容器の例は、図１に示した例よりも液体容器の閉塞キャップ２３０の高さが高くなっている。液体容器筒口の構造体２１２の高さは図１と同じで良い。他の液体容器筒体２１０の各部、液体容器本体２２０も図１に示したものと同様である。
図７（Ｂ）は液体容器２００をホルダー１００に装着した様子である。なお、液体容器筒体２１０を支持体１３０に支持させる要領は図５および図６と同様で良い。図７（Ｂ）に示すように、閉塞キャップの高さが高いので、液体容器２００をホルダー１００に装着した状態において、閉塞キャップがホルダー筒口１１０から突出しており、利用者がキャップをつかみやすいようになっている。利用者はこの突出した閉塞キャップ２３０を回して閉塞キャップ２３０を液体容器筒体２１０から簡単に除去することができる。なお、この例では液体容器筒体２１０は水平面内での回転が制動されているので、閉塞キャップ２３０をねじることにより閉塞キャップ２３０の螺合を簡単に解くことができる。
【００３１】
次に、ホルダー１００に液体噴霧ヘッド１０を取り付ける。
図８（Ａ）は、図５の状態からさらに液体噴霧ヘッド１０を取り付けた様子を示す図である。液体噴霧ヘッド１０の液体導入管１２を液体容器筒体２１０から液体容器本体２２０の内部に挿入しつつ、液体噴霧ヘッド１０のヘッドキャップ１５をホルダー筒口の構造体１１３（外ネジ）と螺合してホルダー１００と液体噴霧ヘッド１０をしっかり固定する。本来は周回である外ネジの一部が側面開口１１２で切断されているが、側面開口１１２の幅が小さい場合（例えば、円周の１／４以下）はヘッドキャップの螺合は問題なくしっかりと行なうことができる。
なお、液体噴霧ヘッド１０のヘッドキャップ１５をホルダー筒口１１０に取り付けた状態において、図８（Ｂ）のようにヘッドキャップ１５の内側上面が液体容器筒体の上面開口２１１としっかりと押圧、密着することが好ましい。しっかりと密着していれば、仮に液体収納製品全体を逆さまにしても内部の液体がヘッドキャップ１５の内部に漏れるおそれがない。
また、液体容器筒体２１０の構造体２１２の高さが低い場合、図８（Ｃ）のようにヘッドキャップ１５の内面のパッキンを盛り上げ、液体容器筒体の上面開口２１１を押圧、密着させる工夫をすることができる。図８（Ｄ）のように構造体２１２の周りに小壁面を設けて押圧、密着させる工夫をすることも可能である。
上記のようにヘッドキャップ１５により液体容器筒体の上面開口２１１をしっかりと押圧、密着する状態は、ヘッドキャップ１５により液体容器筒体２１０が下にしっかり押圧され、下から支えている支持体１３０と液体容器筒体の上部構造体２１３が上下方向に押し合う状態である。つまり、支持体１３０と液体容器筒体２１０間の摩擦力が増大する効果が得られ、液体容器筒体のスライド防止効果も得られる。
【００３２】
次に、液体噴霧ヘッド１０の液体導入管１２の工夫について述べる。本発明において液体排出ヘッドの液体導入管１２の形状は限定されないが、液体噴霧ヘッド１０に用いられる液体導入管１２はホルダー１００への装着後の状態において、ノズル１１側に曲がっているものを用いることができる。利用者の液体収納製品の使用状態において、液体収納製品がまっすぐに正立した状態、液体収納製品をノズル１１側に傾けた状態のいずれの場合でも先端部が液だまりの最深部に到達できるからである。ここで、本発明の液体収納製品は液体噴霧ヘッド１０のホルダー１００への装着において、液体導入管１２を液体容器筒体２１０内に挿入することとなるが、液体導入管１２の曲がりと液体容器筒体２１０の長さの関係から、液体導入管１２が硬くかつ大きく曲がったままでは滑らかに挿入できない場合が有り得る。そこで、図９（Ａ）のように液体導入管１２の曲がり部分に弾力性を持たせる工夫をする。
液体導入管１２は初期状態において液体容器筒体２１０を通過する浅い角度でノズル側に曲がっている（図９（Ａ）での点線状態）。図９（Ｂ）のように液体導入管１２を液体容器筒体２１０から挿入して液体容器２００内に入れると、液体容器本体２２０の底に当たる。ここで、液体導入管１２はノズル側に浅い角度で曲がっているので、そのまま上方から押し込んで行くと底面を沿ってノズル側に滑りつつ曲がりが深くなって行く。図９（Ｃ）のように液体噴霧ヘッド１０のヘッドキャップ１５をしっかり取り付けた最終状態において液体導入管１２の先端がノズル側に大きく曲がった状態となる。
逆に、液体導入管１２が初期状態において深い角度でノズル側に曲がっており（図９（Ａ）での実線状態）、液体導入管１２を液体容器筒体２１０に挿入して液体容器筒体２１０を通過する間、図９（Ａ）の点線のようにまっすぐに伸び、液体容器筒体２１０を通過して液体容器本体２２０内部に入れば元に戻って曲がりが深くなる構成でも良い。
【００３３】
以上が、グリップ補強具の装着を除いた、実施例１の液体収納製品の基本構成例と、各構成部品の組み立て例である。
ヘッドキャップ１５をホルダー筒口１１０に取り付けた状態において、液体容器筒体２１０のうち支持体１３０の上に乗せられている構造体２１３が、ヘッドキャップ１５、ホルダー筒口１１０、支持体１３０に閉じ込められ、液体容器筒体が抜け出なくなるという閉じ込め効果が得られる。
【００３４】
次に、グリップ補強具を用いる工夫について説明する。
グリップ補強具とは、ホルダーボディの上に被せてホルダー１００に装着するグリップの補強具であって、ホルダーボディのうち利用者が液体収納製品を握る際に利用者の手がかかる部分であるグリップ部分を覆い、利用者のグリップ補強具となるものである。
図１０はグリップ補強具の一例を示す６面図である。なお、背面図は正面図と同じであるので図示は省略している。グリップ補強具１４０は、例えば一様の肉厚で形成され、その内壁形状の少なくとも一部がホルダーボディの外壁形状の少なくとも一部に一致し、ホルダーボディ１２０に被せて装着できる形状となっている。この例では、その内壁形状がホルダーボディ１２０の装着個所となる部分の外壁形状と一致し、ホルダーボディ１２０に対して上からすっぽりと被せることができる筒状となっている。グリップ補強具の上面にはホルダー筒口１１０が通過できる大きさの上面開口１４１が設けられている。底面にはホルダーボディ１２０を受け入れるための底面開口１４２が設けられている。
グリップ補強具１４０は、利用者が握り締めても容易に変形しない十分な構造的強度を持つものとし、その素材は、プラスチック、ガラス、金属など特に限定されない。この例ではグリップ補強具１４０は筒状になっており、水平方向に対する力に対して構造的強度が強いものとなっている。
さらに、グリップ補強具には閉じ込め効果がある。この例ではグリップ補強具は筒状になっており、この中に挿入されている状態にあるものは、水平方向には抜け出得ないこととなる。
【００３５】
グリップ補強具を用いる場合の液体収納製品の組み立て例について説明する。
まず、液体容器２００をホルダー１００に装着する。その手順は上記の図５に示したものと同様であり、その説明は省略する。
次に、グリップ補強具１４０をホルダー１００に装着する。
図１１（Ａ）は、グリップ補強具１４０をホルダー１００に装着する様子を説明する図である。まず、図１１（Ａ）の左側に示すようにグリップ補強具１４０をその底面開口１４２からホルダー１００にすっぽり被せると、その内壁がホルダーボディ１２０の外壁に密着し、ホルダー筒口１１０のみが上面開口１４１から突出し、ホルダーボディ１２０の上側筐体にぴったり沿う形となる。
【００３６】
ここで、グリップ補強具１４０をホルダー１００に取り付けた状態においてグリップ補強具１４０の下縁部分の段差を無くす工夫および上下方向の構造的安定を増強する工夫を説明する。図１１（Ｂ）はホルダーボディ１２０においてグリップ補強具１４０を装着する個所にグリップ補強具１４０の厚さに相当する窪み１２３を設けておく工夫を施した例を模式的に示す図である。分かりやすいように断面のみを模式的に示している。このように窪み１２３をグリップ補強具１４０の下縁に沿うようにホルダーボディ１２０の周囲に設けておく。図１１（Ｂ）右側のようにグリップ補強具１４０をホルダーボディ１２０に装着した状態においてグリップ補強具１４０とホルダーボディ１２０の段差を無くしたものとすることができ、グリップ補強具１４０の取り付けにおいて上下方向の構造的安定を増強することができる。図１１（Ｃ）はホルダーボディ１２０においてグリップ補強具１４０を装着した場合に下縁部分を受けるようにストッパー１２４を設けておく工夫を施した例を模式的に示す図である。分かりやすいように断面のみを模式的に示している。このようにストッパー１２４をグリップ補強具１４０の下縁に沿うようにホルダーボディ１２０の周囲に設けておく。図１１（Ｃ）右側のようにグリップ補強具１４０をホルダーボディ１２０に装着した状態においてグリップ補強具１４０とホルダーボディ１２０の段差を無くしたものとすることができ、グリップ補強具１４０の取り付けにおいて上下方向の構造的安定を増強することができる。
【００３７】
次に、液体噴霧ヘッドをホルダー１００に装着する。
図１２に示すように、液体噴霧ヘッド１０の液体導入管１２を液体容器筒体の上面開口２１１から液体容器本体２２０内に挿入し、液体噴霧ヘッド１０のヘッドキャップ１５をホルダー筒口の構造体１１３に螺合して取り付ける。
【００３８】
ここで、ヘッドキャップ１５の肉厚とグリップ補強具１４０の肉厚が適度に厚く、ヘッドキャップ１５の下縁端がグリップ補強具１４０の上縁端（上面開口１４１の縁）に接して押さえつけるものであることが好ましい。ヘッドキャップ１５を締めることにより、グリップ補強具１４０は上からヘッドキャップ１５により押えられ、下からはホルダーボディ１２０の上側筐体から押えられ、しっかりと挟持され固定されるからである。なお、図１１（Ｂ）や図１１（Ｃ）に示す窪み１２３やストッパー１２４を設けておく構成ではグリップ補強具１４０がそれら構造物により支えられる力も加わることとなる。
その他の工夫として、グリップ補強具の表面に滑り止め加工を施せば、利用者が液体収納製品をより一層持ちやすくなる。また、グリップ補強具の表面に抗菌加工を施せば、利用者の手の触れる部分をより一層清潔に保つことができる。また、グリップ補強具は液体収納製品から簡単に取り外すことができるので、表面が汚れた場合や薬液が付着した場合などグリップ補強具のみを洗浄することができ、従来のように液体収納製品全体を洗浄する必要がなくなる。また、グリップ補強具のみを新しいものに適宜交換することもできる。
【００３９】
図１３は、グリップ補強具１４０を取り付けた場合の液体収納製品の６面図である。例えば、この状態で液体収納製品として市販される。また、液体容器のみを交換用パックの液体収納製品として別売りすることができる。
本実施例１の液体収納製品は、液体の詰め替えは簡単に行なうことができ、また、グリップ補強具１４０は一体形状をしており、利用者の握りに対して強く、液体収納製品全体の構造的強度を高める効果がある。また、グリップ補強具１４０内に挿入された形となる液体容器筒体および液体容器本体は水平方向には抜け出得ないので閉じ込め効果が得られる。液体容器筒体はヘッドキャップ、ホルダー、支持体、グリップ補強具の４者により水平方向および垂直方向いずれの方向にも閉じ込められ、液体容器がホルダーから抜け出ることがなくなる。また、ヘッドキャップの下縁によりグリップ補強具の上縁を押えることによりグリップ補強具がホルダー上に押圧されて固定され、各構成要素がしっかり締め合っている。
液体排出ヘッドのトリガーを引くことにより、液体容器２００内の液体を噴霧させることができる。利用者が液体容器２００内の液体を使い切ると、上記の組み立て手順と逆の手順で各構成部品を分解し、使い切った液体容器２００を取り出し、交換用の新しい液体容器２００を用いて上記組み立て手順で組み立てる。
【実施例２】
【００４０】
実施例２は、実施例１で示した本発明の第１の液体収納製品の構成例のバリエーションであり、支持体の位置を少し低くした液体収納製品である。実施例１の取り付け例では、支持体がホルダー筒口内に設けられていたが、実施例２の取り付け例では支持体がホルダーボディの内部に設けられている。
【００４１】
図１４は、本発明の実施例２の液体収納製品を分解してその構成部品を模式的に示した図（右側面図）である。本発明の実施例２の液体収納製品も、液体排出ヘッド１０ａ、ホルダー１００ａ、液体容器２００ａの３つの構成部品を備えている。さらに、グリップ補強具１４０ａを備えることも可能である。この実施例２はグリップ補強具１４０ａを装着する工夫を施す例として説明する。グリップ補強具１４０ａは図１０に示したものと同様で良く、図１４はグリップ補強具１４０ａの図示を省略している。
液体排出ヘッド１０ａは実施例１の液体排出ヘッド１０と同様で良い。
ホルダー１００ａは、実施例１のホルダー１００に比べ、ホルダー筒口１１０ａと支持体１３０ａが異なっている。
ホルダー筒口１１０ａは、実施例１のホルダー筒口１１０に比べ、その内部に支持体１３０ａが設けられていない点のみが異なり、他の構造は同様である。
支持体１３０ａは、取り付け位置が実施例１と異なるのみで、形状自体は実施例１の支持体１３０と同様で良い。
液体容器２００ａは、実施例１の液体容器２００に比べ、液体容器筒体２１０ａの形状が少し異なるものとなっている。液体容器筒体２１０ａの構造体２１３ａ、２１４ａ、２１５ａ、２１６ａは実施例１の液体容器筒体２１０のものと同様であるが、支持体１３０ａの取り付け位置が低くなった分、構造体２１２ａの高さが高くなっている。また、支持体１３０ａの取り付け位置が低くなった分、液体容器本体２２０ａの高さを低くしても良い。内部に充填されている液体は特に限定されない。
【００４２】
図１５は、実施例２の液体収納製品を組み立てる手順を示す図である。
左側の図は、図５に示したものと同様に、ホルダー１００ａに液体容器２００ａを装着した様子を模式的に示している。ホルダーボディ１２０ａの中空のキャビティには、液体容器本体２２０ａが壁面開口１２２ａから挿入されて収められている。図６に示したように、液体容器筒体２１０ａは支持体１３０ａと嵌合し合い、支持体１３０ａにより支持される。
中央の図は、図１１に示したものと同様に、左側に示した状態からグリップ補強具を上から被せて装着した様子を示す図である。
右側の図は、図１２に示したものと同様に、中央の図に示した状態から液体噴霧ヘッド１０ａを装着した様子を示す図である。
組み立てられた液体収納製品の６面図は実施例１の図１３と同様である。例えば、この状態で液体収納製品として市販される。また、液体容器のみを交換用パックの液体収納製品として別売りすることができる。
以上が、実施例２の液体収納製品の基本構成例と、各構成部品の組み立て例である。
利用者が液体容器２００ａ内の液体を使い切ると、上記の図１５と逆の手順で各構成部品を分解し、使い切った液体容器２００ａを取り出し、交換用の新しい液体容器２００ａを用いて上記図１５の手順で組み立てる。
なお、この実施例２の構成においても、実施例１と同様、液体噴霧ヘッドの液体導入管の弾力性の工夫、閉塞キャップの高さの工夫を行なうことができる。
【実施例３】
【００４３】
実施例３も、本発明の第１の液体収納製品の構成例のバリエーションであり、実施例２で示したように支持体の位置を少し低くしたバリエーションの液体収納製品であるが、ホルダー筒口の側面開口の上側部分は上面開口までつながっておらず、側面の一部のみの開口となっている例である。つまり、ホルダーに設けられた一体の開口が、ホルダーボディの側壁開口とホルダー筒口の側面開口が一体の開口を形成し、ホルダー筒口の上面開口まではつながっていないものとなっている。
【００４４】
図１６は、本発明の実施例３の液体収納製品を分解してその構成部品を模式的に示した図（右側面図）である。本発明の実施例３の液体収納製品も、液体排出ヘッド１０ｂ、ホルダー１００ｂ、液体容器２００ｂの３つの構成部品を備えている。さらに、グリップ補強具１４０ｂを備えることも可能である。この実施例３はグリップ補強具１４０ｂを装着する工夫を施す例として説明する。グリップ補強具１４０ｂは図１０に示したものと同様で良く、図１６はグリップ補強具１４０ｂの図示を省略している。
液体排出ヘッド１０ｂは実施例１の液体排出ヘッド１０と同様で良い。
ホルダー１００ｂにおいて、ホルダー筒口１１０ｂの上縁部分は切断されず上面開口１１１ｂが周回の円形となっている。側面開口１１２ｂと壁面開口１２２ｂが一体の開口を形成している点は実施例１と同様であり、支持体１３０ｂがホルダーボディ１２０ｂ内に設けられている点は実施例２と同様である。液体容器筒体２１０ｂのホルダー１００ｂへの挿入においては、液体容器筒体２００ｂが閉塞キャップとともにこの一体開口をくぐり抜けるように内部にスライドして挿入され、液体容器筒体２１０ｂを支持体１３０ｂに横方向から押し込む動作となる。他の構成要素は実施例１のホルダー１００と同様で良い。
液体容器２００ｂは、構造体２１２ｂと構造体２１３ｂの合計の高さが側面開口１１２ｂの高さより低いものであれば良く、その条件が満たされていれば、実施例１で示した液体容器２００と同様で良い。内部に充填されている液体は特に限定されない。
【００４５】
次に、実施例３の液体収納製品の各構成部品の組み立てを説明する。
まず、液体容器２００ｂをホルダー１００ｂに装着する。
図１７（Ａ）は、液体容器２００ｂをホルダー１００ｂに装着する様子を模式的に示した図である。液体容器２００ｂをホルダーの一体開口である側面開口１１２ｂおよび壁面開口１２２ｂから挿入し、液体容器筒体２１０ｂを支持体１３０ｂに取り付ける。
図１７（Ｂ）は、液体容器筒体２１０ｂが支持体１３０ｂと嵌合する様子を上面から模式的に示す図である。構造体２１３ｂと閉塞キャップ２３０ｂがホルダー筒口の側面開口１１２ｂをくぐり抜けて支持体１３０ｂの上に乗る。
次に、グリップ補強具１４０ｂをホルダー１００ｂに装着する。
図１８の左側の図は、図１７に示したように、液体容器２００ｂをホルダー１００ｂに装着した様子を示す図である。
図１８の中央の図は、図１１に示したものと同様に、左側に示した状態からグリップ補強具を上から被せて装着した様子を示す図である。
図１８の右側の図は、図１２に示したものと同様に、中央の図に示した状態から液体噴霧ヘッド１０ｂを装着した様子を示す図である。
組み立てた液体収納製品の６面図は実施例１の図１３と同様である。
【００４６】
なお、この実施例３では、液体容器２００ｂをホルダー１００ｂに装着したときに、液体容器筒体２１０ｂの上面開口２１１ｂがホルダー筒口の上面開口１１１ｂの高さより低いので、実施例１の図５（Ｃ）に示したように、ヘッドキャップ１５ｂの内側上面に盛り上げ構造やパッキンを作る工夫をするか、実施例１の図５（Ｄ）のように小密閉空間を作る工夫をすることが好ましい。
上記の実施例３の構成の場合、実施例１や実施例２の構成に比べ、ホルダー筒口１１０ｂの上縁端が側面開口１１２ｂにより切断されていないので横方向の構造的強度が高くなっている。
以上が、実施例３の液体収納製品の基本構成例と、各構成部品の組み立て例である。例えば、この状態で液体収納製品として市販される。また、液体容器のみを交換用パックの液体収納製品として別売りすることができる。
利用者が液体容器２００ｂ内の液体を使い切ると、上記の図１７および図１８と逆の手順で各構成部品を分解し、使い切った液体容器２００ｂを取り出し、交換用の新しい液体容器２００ｂを用いて上記図１７および図１８の手順で組み立てる。
なお、この実施例３の構成においても、実施例１と同様、液体噴霧ヘッドの液体導入管の弾力性の工夫、閉塞キャップの高さの工夫を行なうことができる。
【実施例４】
【００４７】
本実施例４は、本発明の第１の液体収納製品の構成例のバリエーションであり、液体容器のホルダーへの装着において、液体容器筒体を支持体に上から乗せ、液体容器筒体の一部を支持体に引っ掛けて係止することにより液体容器を支持する係止方式の構成例である。
【００４８】
図１９は、本発明の実施例４の液体収納製品を分解してその構成部品を模式的に示した図（右側面図）である。本発明の実施例４の液体収納製品も、液体排出ヘッド１０ｃ、ホルダー１００ｃ、液体容器２００ｃの３つの構成部品を備えている。さらに、グリップ補強具１４０ｃを備えることも可能である。この実施例４はグリップ補強具１４０ｃを装着する工夫を施す例として説明する。グリップ補強具１４０ｃは図１０に示したものと同様で良く、図１９はグリップ補強具１４０ｃの図示を省略している。
液体排出ヘッド１０ｃは、実施例１の液体排出ヘッド１０と同様で良い。
ホルダー１００ｃは、実施例１の図１に示したホルダー１００と同様のもので良い。
液体容器２００ｃは、実施例１の液体容器２００に比べ、液体容器筒体２１０ｃの構造体２１２ｃ、２１３ｃ、２１５ｃ、２１６ｃは実施例１の液体容器筒体２１０のものと同様であるが、構造体２１４ｃの長さが長くなり、その分、液体容器本体２２０ｃの長さが短くなっている。内部に充填されている液体は特に限定されない。
本実施例４は、支持体が液体容器筒体を係止することにより液体容器を支持するものであり、液体容器筒体２１０ｃの形状と支持体１３０ｃの形状の組み合わせは、支持体１３０ｃが液体容器筒体２１０ｃの一部構造体を係止できるものであれば良く、特に限定されない。この例では、液体容器筒体２１０ｃの構造体２１４ｃが支持体１３０ｃの切り欠き１３１ｃ（付番は図示せず）内に入り、液体容器筒体２１０ｃの構造体２１３ｃが支持体１３０ｃの上面に係止される構造例となっている。
【００４９】
図２０は、実施例４の液体収納製品を組み立てる手順を示す図である。
図２０の左側の図は、図５に示したものと同様に、ホルダー１００ｃに液体容器２００ｃを装着した様子を模式的に示している。閉塞キャップ２３０ｃを取り付けたまま液体容器筒体２１０ｃをスライドして側面開口１１２ｃと壁面開口１２２ｃの一体開口から支持体１３０ｃに対して横方向から挿入する。つまり、構造体２１３ｃがホルダー支持体１３０ｃの上に沿い、構造体２１４ｃがホルダーの支持体１３０ｃの切り欠き１３１ｃに入る。なお、構造体２１５ｃはホルダー筒口１１０ｃの下に入る。実施例１の構成例では構造体２１４の長さが支持体１３０と合致する長さとなっていたので、液体容器筒体２１０の構造体２１５が支持体１３０の下に沿う形で挿入され、液体容器筒体２１０と支持体１３０が嵌合し合うことにより支持されたが、本実施例４の場合、液体容器筒体２１０ｃの構造体２１３ｃが支持体１３０ｃの切り欠き１３１ｃより大きいために下方向に通過できず、構造体２１３ｃが支持体１３０ｃ上で係止され、液体容器２００ｃ全体が支持体１３０ｃに支持されるものとなっている。
なお、この状態で液体容器２００ｃがいわゆるぶら下がる状態になる必要はなく、液体容器本体２２０ｃの底面がホルダーボディ１２０ｃの底面に接していてもかまわない。
図２０の中央の図は、図１１に示したものと同様に、左側に示した状態からグリップ補強具を上から被せて装着した様子を示す図である。
図２０の右側の図は、図１２に示したものと同様に、中央の図に示した状態から液体噴霧ヘッド１０ｃを装着した様子を示す図である。
【００５０】
図２０の左側の図の状態では、液体容器筒体２１０ｃは下方向に落ちないように支持体１３０ｃに係止されているのみであり、横方向には自由にスライドできる状態であるが、図２０の中央の図のように、グリップ補強具１４０ｃおよびヘッドキャップがホルダーに取り付けられた状態では、液体容器筒体２１０ｃの水平面内での動きが制限される。図２０の右側の図に示したように液体噴霧ヘッド１０ｃをホルダー１００ｃに装着した状態では、液体容器筒体２１０ｃの中に液体導入管１２ｃが通され、さらに、ホルダー筒口１１０ｃにヘッドキャップ１５ｃが取り付けられるため、水平面内および上下方向への移動も制限されることとなる。
さらに、実施例１の図５（Ｂ）〜（Ｄ）に示したように、液体容器筒体の構造体２１２ｃをヘッドキャップ１５ｃの内側上面により押さえつける工夫やグリップ補強具１４０ｃを取り付ける工夫を行なう場合、液体容器筒体２１０ｃおよび液体容器本体２２０ｃの横方向への移動も制限、固定されることとなる。
組み立てた液体収納製品の６面図は実施例１の図１３と同様である。例えば、この状態で液体収納製品として市販される。また、液体容器のみを交換用パックの液体収納製品として別売りすることができる。
以上が、実施例４の液体収納製品の基本構成例と、各構成部品の組み立て例である。
利用者が液体容器２００ｃ内の液体を使い切ると、上記の図２０と逆の手順で各構成部品を分解し、使い切った液体容器２００ｃを取り出し、交換用の新しい液体容器２００ｃを用いて上記図２０の手順で組み立てる。
なお、この実施例４の構成においても、実施例１と同様、液体噴霧ヘッドの液体導入管の弾力性の工夫、閉塞キャップの高さの工夫を行なうことができる。
【実施例５】
【００５１】
実施例５の液体収納製品は、本発明の第１の液体収納製品の構成例のバリエーションであり、上記の実施例１から実施例４の液体収納製品は、液体容器筒体と支持体が水平方向に嵌合し合う形状を持つ水平嵌合方式の構成例であるが、本実施例５の液体収納製品は、液体容器筒体と支持体が上下方向に嵌合し合う形状を持つ垂直嵌合方式の構成例である。つまり、嵌合動作が液体容器筒体を支持体に対して上から下方向に押し込む動作となる。
本実施例５は、液体容器筒体と支持体が上下方向に嵌合し合うことにより液体容器を支持するものであり、液体容器筒体の形状と支持体の形状の組み合わせは、液体容器筒体の一部の構造体と支持体が上下に嵌合し合う形状であれば良く、特に限定されない。
【００５２】
図２１は、本発明の実施例５の液体収納製品を分解してその構成部品を模式的に示した図（右側面図）である。本発明の実施例５の液体収納製品も、液体排出ヘッド１０ｄ、ホルダー１００ｄ、液体容器２００ｄの３つの構成部品を備えている。さらに、グリップ補強具１４０ｄを備えることも可能である。この実施例５はグリップ補強具１４０ｄを装着する工夫を施す例として説明する。グリップ補強具１４０ｄは図１０に示したものと同様で良く、図２１はグリップ補強具１４０ｄの図示を省略している。
液体排出ヘッド１０ｄは、実施例１の液体排出ヘッド１０と同様で良い。
ホルダー１００ｄは、実施例１の図１に示したホルダー１００と同様のもので良いが、支持体１３０ｄの形状が異なっている。
【００５３】
図２２（Ａ）は実施例５の支持体１３０ｄを取り出してその形状を簡単に示した図である。図２２（Ａ）の下側は支持体１３０ｄの右側面図、上側はその上面図である。
図２２（Ａ）に示した支持体１３０ｄは以下のように考えると理解しやすい。まず、ホルダー筒口１１０ｄの内部のすべてをホルダー筒口の素材で埋めた円柱を考える。その円柱の側面から中心に向けて液体容器筒体２１０ｄの構造体２１４ｄの形状に相当する切り欠き１３１ｄを穿つ。次に液体容器筒体２１０ｄの構造体２１３ｄが上から納まるように、構造体２１３ｄの底面形状に合致する凹部１３２ｄを円柱の上から穿つ。凹部１３２ｄの深さは構造体２１３ｄと構造体２１２ｄの合計の高さとする。勿論、製造過程においてこのような穿ちを行なう必要はなくプラスチック成型技術により一体成型しても良い。このような形状の支持体１３０ｄをホルダー筒口１１０ｄ内部に設ける。なお、参考のため、図２２（Ａ）の上図に示した一点鎖線に沿った支持体１３０ｄの断面図を右側に示している。
【００５４】
液体容器２００ｄは、実施例１の図１に示した液体容器２００と比べ、構造体２１３ｄ、２１４ｄ、２１５ｄ、２１６ｄは実施例１の液体容器筒体２１０のものと同様であるが、構造体２１４ｄが長くなっている。内部に充填されている液体は特に限定されない。
図２２（Ｂ）は図２２（Ａ）に示した支持体１３０ｄと垂直嵌合する実施例５の液体容器筒体２１０ｄを取り出してその形状を簡単に示した図である。図２２（Ｂ）の下側は液体容器筒体２１０ｄの右側面図、上側はその上面図である。図２２（Ｂ）は図４（Ｂ）に示した液体容器筒体２１０と同様であるが、構造体２１４ｄの長さが長くなっている。参考のため、図２２（Ｂ）の側面図に示した一点鎖線に沿った液体容器筒体２１０ｄの断面図を右側に示している。
【００５５】
次に、ホルダーの支持体１３０ｄに液体容器筒体２１０ｄを垂直嵌合する原理を先に説明する。
図２２（Ｃ）は、ホルダーの支持体１３０ｄに液体容器筒体２１０ｄを垂直嵌合する様子を模式的に示す図である。
まず、図２２（Ｃ）の左側の図のように、液体容器筒体２１０ｃをスライドして側面開口１１２ｄと壁面開口１２２ｄの一体開口から支持体１３０ｄに対して横方向から入れる。つまり、液体容器筒体２１０ｄの構造体２１３ｄがホルダー筒口１１０ｄの上に入り、液体容器筒体２１０ｄの構造体２１４ｄがホルダーの支持体１３０ｄの切り欠き１３１ｄに入り、液体容器筒体２１０ｄの構造体２１５ｄがホルダー筒口１１０ｄの下に入り、液体容器筒体２１０ｄが支持体１３０ｄに対して横方向から挿入される。
図２２（Ｃ）の中央の図は、支持体１３０ｄに液体容器筒体２１０ｄを横方向から押し込んだ様子を示している。上側がその様子を上面から見た状態、下側がその様子を側面から見た状態である。
次に、図２２（Ｃ）の右側の図に示すように、液体容器筒体２１０ｄを上から支持体１３０ｄに押し込んで嵌合する。押し込むことにより液体容器筒体２１０ｄの構造体２１３ｄが支持体１３０ｄの凹部１３２ｄに収められる。
【００５６】
次に、実施例５の液体収納製品を組み立てる手順を説明する。
図２３は、図５に示したものと同様に、ホルダー１００ｄに液体容器２００ｄを装着する様子を模式的に示している。なお、支持体１３０ｄに液体容器筒体２１０ｄを垂直嵌合させる原理は上記図２２（Ｃ）に示した通りである。
まず、図２３の左側の図のように、閉塞キャップ２３０ｄを取り付けたまま液体容器筒体２１０ｄをスライドして側面開口１１２ｄと壁面開口１２２ｄの一体開口から支持体１３０ｄに対して横方向から挿入する。挿入した状態が中央の図である。
次に、液体容器筒体２１０ｄを上から下に押し込んで、構造体２１３ｄを支持体１３０ｄの凹部１３２ｄに収めることにより嵌合させる。嵌合した状態が右側の図である。
【００５７】
図２４は、液体容器２００ｄを装着したホルダー１００ｄに対してグリップ補強具１４０ｄを装着し、さらに液体噴霧ヘッドを装着する手順を示す図である。
図２４の左側の図は、図２３に示したように液体容器２００ｄを装着したホルダー１００ｄである。
図２４の中央の図は、図１１に示したものと同様に、左側に示した状態からグリップ補強具を上から被せて装着した様子を示す図である。
図２４の右側の図は、図１２に示したものと同様に、中央の図に示した状態から液体噴霧ヘッド１０ｄを装着した様子を示す図である。
組み立てた液体収納製品の６面図は実施例１の図１３と同様である。例えば、この状態で液体収納製品として市販される。また、液体容器のみを交換用パックの液体収納製品として別売りすることができる。
以上が、実施例５の液体収納製品の基本構成例と、各構成部品の組み立て例である。
利用者が液体容器２００ｄ内の液体を使い切ると、上記の図２３および図２４と逆の手順で各構成部品を分解し、使い切った液体容器２００ｄを取り出し、交換用の新しい液体容器２００ｄを用いて上記図２３および図２４の手順で組み立てる。
この実施例５の構成においても、実施例１と同様、液体噴霧ヘッドの液体導入管の弾力性の工夫、閉塞キャップの高さの工夫を行なうことができる。
【実施例６】
【００５８】
本実施例６は、本発明の第１の液体収納製品の構成例のバリエーションであり、液体容器のホルダーへの装着において、液体容器筒体を支持体に引っ掛けることにより支持体が液体容器筒体を支持するフック方式の構成例である。
本実施例６は、支持体に液体容器筒体を引っ掛けることにより液体容器を支持するものであり、液体容器筒体２１０ｅの形状と支持体１３０ｅの形状の組み合わせは、一方にフックがあり、他方にフックの受容部があれば良く、特に限定されない。実施例６に示す例では液体容器筒体２１０ｅ側にフック構造体が設けられ、支持体１３０ｅとしてフック受容構造体が設けられたものとなっている。他の構成として液体容器筒体側にフック受容構造体が設けられ、支持体１３０ｅとして上向きのフック構造体が設けられたものでも良い。
【００５９】
図２５は、本発明の実施例６の液体収納製品を分解してその構成部品を模式的に示した図（右側面図）である。本発明の実施例６の液体収納製品も、液体排出ヘッド１０ｅ、ホルダー１００ｅ、液体容器２００ｅの３つの構成部品を備えている。さらに、グリップ補強具１４０ｅを備えることも可能である。この実施例６はグリップ補強具を装着する工夫を施す例として説明する。グリップ補強具１４０ｅは図１０に示したものと同様で良く、図２５はグリップ補強具１４０ｅの図示を省略している。
液体排出ヘッド１０ｅは、実施例１の液体排出ヘッド１０と同様で良い。
ホルダー１００ｅは、実施例１の図１に示したホルダー１００と同様のもので良いが、支持体１３０ｅの形状が異なっており、実施例６では支持体１３０ｅとして、内壁の一部にフック受容構造体となる支持体１３０ｅが設けられている。支持体１３０ｅはフック２１３ｅに対応する深さと肉厚を持ち、ホルダー筒口の内壁とともに輪を構成する形状となっている。
【００６０】
図２６（Ａ）は実施例６のホルダー１００ｅ支持体１３０ｅを取り出してその形状を簡単に示した図である。図２６（Ａ）の下側は支持体１３０ｅを側面から見た様子を示す図（支持体１３０ｅが見えやすいように、前方と後方のホルダー筒口１１３ｅの外周壁を取り除いて模式的に示している）、上側はホルダー筒口１１０ｅを上面から見た様子を示す図である。図２６（Ａ）に示すように、コの字型の輪であるフック受容体としての支持体が両端に設けられている。
液体容器２００ｅは、実施例１の液体容器２００に比べ、液体容器筒体２１０ｅの構造体２１２ｅ、２１５ｅ、２１６ｅは実施例１の液体容器筒体２１０のものと同様であるが、構造体２１３ｅと構造体２１４ｅが異なっている。構造体２１３ｅは図２５に示すように、実施例１に示した構造体２１３に比べ、下向きの突起物を持っている。この突起物がフック構造体となる。このフック構造体を支持体１３０ｅに引っ掛けることができる。内部に充填されている液体は特に限定されない。
【００６１】
図２６（Ｂ）は実施例６の液体容器筒体２１０ｅを取り出してその形状を簡単に示した図である。図２６（Ｂ）の下側は液体容器筒体２１０ｅを側面から見た様子を示す図、上側は液体容器筒体２１０ｅを上面から見た様子を示す図である。図２６（Ｂ）に示すように、構造体２１３ｅにはフックとしての突起が設けられている。
構造体２１４ｅの高さは、ホルダー筒口１１０ｅの高さと構造体２１３ｅのフック部分の高さの合計より高く、液体容器筒体２１０ｅをホルダー１００ｅに挿入する場合に、構造体２１４ｅがホルダー筒口１１０ｅの側面開口１１２ｅを通過でき、構造体２１３ｅのフック部分がホルダー筒口１１０ｅの上を通過できる高さとなっている。
図２６（Ｃ）は、フック受容体である支持体１３０ｅに対してフックである構造体２１３ｅを引っ掛けて支持させた様子を示している。図２６（Ｃ）の下側は側面から見た様子を示す図（支持されている様子が見えやすいように、前方と後方のホルダー筒口１１３ｅの外周壁を取り除いて模式的に示している）、上側は上面から見た様子を示す図である。
【００６２】
図２７は、ホルダー１００ｅに液体容器２００ｅを装着する様子を模式的に示す図である。
まず、図２７の左側の図のように、液体容器筒体２１０ｅをスライドして側面開口１１２ｅと壁面開口１２２ｅの一体開口からホルダー筒口１１０ｅ内に挿入する。つまり、液体容器筒体２１０ｅの構造体２１３ｅがホルダー筒口１１０ｅの上に入り、液体容器筒体２１０ｅの構造体２１４ｅがホルダー筒口の側面開口１１２ｅを通過し、液体容器筒体２１０ｅの構造体２１５ｅがホルダー筒口１１０ｅの下に入る。図２７の中央の図は液体容器筒体２１０ｅをホルダー筒口１１０ｅ内に挿入した様子を示す図である。
次に、図２７の左側の図に示すように、液体容器筒体２１０ｅを上から押し込み、構造体２１３ｅのフック部分をフック受容体である支持体１３０ｅに引っ掛けて支持させる。
【００６３】
図２８は、液体容器２００ｅを装着したホルダー１００ｅに対してグリップ補強具１４０ｅを装着し、さらに液体噴霧ヘッドを装着する手順を示す図である。
図２８の左側の図は、図２７に示したように液体容器２００ｅを装着したホルダー１００ｅである。
図２８の中央の図は、図１１に示したものと同様に、左側に示した状態からグリップ補強具を上から被せて装着した様子を示す図である。
図２８の右側の図は、図１２に示したものと同様に、中央の図に示した状態から液体噴霧ヘッド１０ｅを装着した様子を示す図である。
組み立てた液体収納製品の６面図は実施例１の図１３と同様である。例えば、この状態で液体収納製品として市販される。また、液体容器のみを交換用パックの液体収納製品として別売りすることができる。
以上が、実施例６の液体収納製品の基本構成例と、各構成部品の組み立て例である。
利用者が液体容器２００ｅ内の液体を使い切ると、上記の図２７および図２８と逆の手順で各構成部品を分解し、使い切った液体容器２００ｅを取り出し、交換用の新しい液体容器２００ｅを用いて上記図２７および図２８の手順で組み立てる。
この実施例６の構成においても、実施例１と同様、液体噴霧ヘッドの液体導入管の弾力性の工夫、閉塞キャップの高さの工夫を行なうことができる。
【実施例７】
【００６４】
実施例７は、本発明の第１の液体収納製品のバリエーションである。実施例７の液体収納製品は、ヘッドキャップが取り付けられるホルダー筒口には側面開口や側断構成が設けられておらず、支持体に取り付けた液体容器筒体を支持体に固定する固定機構を備えている。ホルダーへの液体容器の装着は、液体容器筒体および液体容器本体を、ホルダーボディの壁面開口から挿入し、液体容器筒体をホルダー筒口に設けられた支持体に下から上に押し込んで取り付け、支持体に液体容器筒体を支持させ、固定機構により液体容器筒体を支持体に固定し、ヘッドキャップをホルダー筒口に取り付けることにより行なう。
この実施例７は、固定機構としてコンセントプラグ方式により支持体と液体容器筒体が着脱できる仕組みの構成例である。
また、この実施例７は、ホルダー筒口に取り付けるヘッドキャップが、液体噴霧ヘッドに組み込まれたヘッドキャップであり、液体噴霧ヘッドが取り付けられた液体収納製品の例を示す。
【００６５】
図２９は、本発明の実施例７の液体収納製品を分解してその構成部品を模式的に示した図（右側面図）である。本発明の実施例７の液体収納製品も、液体排出ヘッド１０ｆ、ホルダー１００ｆ、液体容器２００ｆの３つの構成部品を備えている。さらに、グリップ補強具１４０ｆを備えることも可能である。この実施例７はグリップ補強具１４０ｆを装着する工夫を施す例として説明する。グリップ補強具１４０ｆは図１０に示したものと同様で良く、図２９はグリップ補強具１４０ｆの図示を省略している。
液体排出ヘッド１０ｆは、実施例１の液体排出ヘッド１０と同様で良い。
ホルダー１００ｆは、図１に示した実施例１のホルダー１００に比べ、ホルダー筒口１１０ｆが異なっている。
実施例７のホルダー１００ｆはホルダーボディ１２０ｆに壁面開口１２２ｆが設けられているが、ホルダー筒口１１０ｆには側面開口がない。また、ホルダー筒口１１０ｆの内側にコンセントとなる支持体１３０ｆが設けられている。支持体１３０ｆの仕組みは特に限定されない。
液体容器２００ｆは、実施例１の液体容器２００に比べ、液体容器筒体２１０ｆの構造体２１２ｆ、２１４ｆ、２１５ｆ、２１６ｆは実施例１の液体容器筒体２１０のものと同様であるが、構造体２１３ｆが異なっている。構造体２１３ｆはスカート状の突起構造体となっている。内部に充填されている液体は特に限定されない。
【００６６】
図３０はコンセントプラグ方式の固定機構の一例を示す図である。図３０（Ａ）は、ホルダー筒口１１０ｆの上面図および液体容器２００ｆの上面図を示したものである。図３０（Ｂ）は、図３０（Ａ）に示したコンセントプラグ方式の構造体により液体容器筒体２１０ｆが支持体１３０ｆにより支持される様子を示す図である。
支持体１３０ｆは、ホルダー筒口１１０ｆの内壁に取り付けられているツメ状の突起構造体となっており、基本位置から上側には回転するがバネなどの復元力が働いて元の位置に戻る構造となっている。基本位置から下側にはストッパー（図示せず）により回転しないように制動されている。この例ではこの回転制動機構が固定機構となる。
図３０（Ｂ）の下側の図のように、プラグとなる液体容器筒体２１０ｆを下側からコンセントとなる支持体１３０ｆに押し込んでゆく。図３０（Ｂ）の中央の図のように支持体１３０ｆは構造体２１３ｆに押されて上側に回転し、構造体２１３ｆの進入を受け容れる。液体容器筒体２１０ｆの構造体２１３ｆが支持体１３０ｆを通過すると、図３０（Ｂ）の上側の図に示すようにバネなどの復元力により支持体１３０ｆが元の基本位置に戻る。図示しないストッパーにより支持体１３０ｆの下側への回転が制動されるため、液体容器筒体２１０ｆが下側に落ちることを防止する仕組みとなっている。
なお、この例の固定機構は、ストッパーによる回転制動を解除できるボタンを備え、当該ボタンの押下により支持体１３０ｆが下側に回転できるようになり、液体容器筒体２１０ｆの支持が開放され、下側に抜ける仕組みとなっている。
上記仕組みにより、液体容器筒体２１０ｆが着脱可能なコンセントプラグ方式により支持体１３０ｆに支持される。
【００６７】
上記のコンセントプラグ方式の構造は一例であり、着脱を制動できるものであれば、構造体、支持体、固定機構の構造は特に限定されない。
例えば、支持体１３０が図４（Ａ）に示したような切り欠き１３１を持つ平板で、構造体２１３が図４（Ｂ）に示したような形状であるが当該切り欠き１３１を通過できる大きさとし、固定機構を支持体１３０の切り欠き１３１を塞ぐことができるスライド板とする。構造体２１３を支持体１３０の上面に突出させた後、固定機構であるスライド板をスライドさせて構造体２１３を上面に残して、切り欠き１３１を塞ぐと、構造体２１３が支持体１３０の上面に残る形で固定されるものとする。
【００６８】
図３１は、液体容器２００ｆをホルダー１００ｆに装着する様子を示す図である。
まず、図３１の左側の図に示すように、ホルダー１００ｆの壁面開口１２２ｆから、液体容器２００ｆ全体を一旦、ホルダーボディ１２０ｆ内に収める。
次に、図３１の中央の図に示すように、液体容器筒体２１０ｆを上に押し上げ、プラグとなる構造体２１３ｆを、コンセントである支持体１３０ｆに押し込む。構造体２１３ｆが支持体１３０ｆに支持され、液体容器２００ｆ全体がホルダー１００ｆに支持される。
図３１の右側の図に示すように、閉塞キャップ２３０ｆを取り除く。
【００６９】
図３２は、液体容器２００ｆを装着したホルダー１００ｆに対してグリップ補強具１４０ｆを装着し、さらに液体噴霧ヘッド１０ｆを装着する手順を示す図である。
図３２の左側の図は、図３１に示したように液体容器２００ｆを装着したホルダー１００ｆである。
図３２の中央の図は、図１１に示したものと同様に、左側に示した状態からグリップ補強具を上から被せて装着した様子を示す図である。
図３２の右側の図は、図１２に示したものと同様に、中央の図に示した状態から液体噴霧ヘッド１０ｆを装着した様子を示す図である。
組み立てた液体収納製品の６面図は実施例１の図１３と同様である。例えば、この状態で液体収納製品として市販される。また、液体容器のみを交換用パックの液体収納製品として別売りすることができる。
以上が、実施例７の液体収納製品の基本構成例と、各構成部品の組み立て例である。
利用者が液体容器２００ｆ内の液体を使い切ると、上記の図３１および図３２と逆の手順で各構成部品を分解し、使い切った液体容器２００ｆを取り出し、交換用の新しい液体容器２００ｆを用いて上記図３１および図３２の手順で組み立てる。
この実施例７の構成においても、実施例１と同様、液体噴霧ヘッドの液体導入管の弾力性の工夫、閉塞キャップの高さの工夫を行なうことができる。
【実施例８】
【００７０】
実施例８は、本発明の第１の液体収納製品のバリエーションであり、ヘッドキャップと、前記ヘッドキャップと螺合する外ネジの一部を持つ液体容器筒体と液体容器本体と、液体容器本体に充填された液体を備えた液体容器と、上面開口および外周壁に設けられた側面開口を持ち前記ヘッドキャップと螺合する外ネジの残りの部分を持つホルダー筒口と、前記ホルダー筒口内部に設けられ前記液体容器筒体の少なくとも一部の形状と嵌合する支持体と、壁面の一部に前記側面開口とつながる壁面開口を持ち前記液体容器本体を収納する中空のホルダーボディとを備えたホルダーとを備えたものである。
実施例８の液体収納製品では、液体容器本体をホルダーボディの壁面開口からホルダーボディ内に収納し、液体容器筒体をホルダー筒口の支持体に支持させた状態において液体容器筒体とホルダー筒口により一体の外ネジが形成され、ヘッドキャップを当該外ネジに取り付ける。実施例１と同様に液体噴霧ヘッドを備えた液体噴霧容器への適用例を示す。
【００７１】
図３３は、本発明の実施例８の液体収納製品を分解してその構成部品を模式的に示した図（右側面図）である。本発明の実施例８の液体収納製品も、液体排出ヘッド１０ｇ、ホルダー１００ｇ、液体容器２００ｇの３つの構成部品を備えている。さらに、グリップ補強具１４０ｇを備えることも可能である。この実施例８はグリップ補強具１４０ｇを装着する工夫を施す例として説明する。グリップ補強具１４０ｇは図１０に示したものと同様で良く、図３３はグリップ補強具１４０ｇの図示を省略している。
上記の実施例８では、ヘッドキャップ１５ｇと螺合する筒口が分割され、一方がホルダー筒口１１０ｇに設けられ、他方が液体容器筒体２１０ｇに設けられている。
液体排出ヘッド１０ｇは、実施例１の液体排出ヘッド１０と同様で良い。
ホルダー１００ｇは、実施例１のホルダー１００と比べ、ホルダー筒口１１０ｇの構造が異なっている。
液体容器２００ｇは、実施例１の液体容器２００と比べ、液体容器筒体２１０ｇの構造が異なっている。液体容器２００ｇ内部に収納される液体は特に限定されない。
【００７２】
図３４はホルダー筒口１１０ｇと、支持体１３０ｇと液体容器筒体２１０ｇの上部分とを取り出して嵌合し合う様子を示す図である。図３４（Ａ）はホルダー筒口１１０ｇと支持体１３０ｇに対して液体容器筒体２１０ｇをスライドさせて合体する様子を上面から示した図である。図３４（Ｂ）は合体する様子を側面から示した図である。
ホルダー筒口１１０ｇは、実施例１のホルダー筒口１１０のうち一部の構造体１１４ｇを持つ構造となっている。図３３に示したホルダー１００ｇの構造体１１４ｇは外ネジの内壁側が見えている。その外壁側が外ネジの一部となっている。
液体容器筒体２１０ｇは、構造体２１２ｇの形状が、構造体１１４ｇに相当する形状部分が欠けている形状となっている。構造体２１２ｇは上部分は周回した円柱体であり、中央に上面開口２１１ｇにつながる筒状の導通管が埋設されている。当該管は下部の構造体２１４ｇから２１６ｇへと連通し、液体容器本体２２０ｇと連通している。構造体２１２ｇの下部分は、構造体１１４ｇに相当する外ネジの外周壁が欠け、ホルダー筒口１１０ｇの構造体１１４ｇと嵌合し合う構造となっている。
なお、液体容器筒体２１０ｇの閉塞構造体である閉塞キャップ２３０ｇは構造体２１２ｇに取り付けられているが、構造体２１２ｇの上部は周回した外ネジを持っているのでその一部が欠けていても螺合には問題がなく取り付けられている。
ホルダー筒口１１０ｇと支持体１３０ｇに対して液体容器筒体２１０ｇをスライドさせて嵌合すると一体の外ネジ２１７ｇが形成される。この外ネジ２１７ｇはヘッドキャップ１５ｇに螺合するものとなっている。
【００７３】
図３５は、本発明の液体収納製品において、液体容器２００ｇを装着する作業手順を模式的に示した図である。
図３５の左側の図に示すように、液体容器２００ｇをホルダー１００ｇに対してホルダーボディの壁面開口１２２ｇおよびホルダー筒口の側面開口１１２ｇから挿入する。液体容器２００ｇがホルダー１００ｇ内に装着された様子を示す図が図３５の中央の図である。ホルダーボディ１２０ｇの中空のキャビティには、液体容器本体２２０ｇが収められ、支持体１３０ｇには液体容器筒体２１０ｇが支持されている。ホルダー筒口１１０ｇと支持体１３０ｇに対して液体容器筒体２１０ｇをスライドさせて嵌合すると一体の外ネジ２１７ｇが形成される
図３５の右側の図に示すように、閉塞キャップ２３０ｇを取り除く。
【００７４】
図３６は、液体容器２００ｇを装着したホルダー１００ｇに対してグリップ補強具１４０ｇを装着し、さらに液体噴霧ヘッド１０ｇを装着する手順を示す図である。
図３６の左側の図は、図３５に示したように液体容器２００ｇを装着したホルダー１００ｇである。
図３６の中央の図は、図１１に示したものと同様に、左側に示した状態からグリップ補強具を上から被せて装着した様子を示す図である。
図３６の右側の図は、図１２に示したものと同様、中央の図の状態から液体噴霧ヘッド１０ｇを装着した様子を示す図である。液体噴霧ヘッド１０ｇの液体導入管１２ｇを液体容器筒体の上面開口２１１ｇから挿入し、液体容器筒体２１０ｇから液体容器本体２２０ｇの内部に挿入しつつ、液体噴霧ヘッド１０ｇのヘッドキャップ１５ｇを液体容器筒体の構造体２１２ｇと螺合して液体容器２００ｇおよびホルダー１００ｇの両者と液体噴霧ヘッド１０ｇをしっかり固定する。
【００７５】
液体容器筒体の構造体２１２ｇとヘッドキャップ１５ｇを螺合してゆくと、液体噴霧ヘッド１０ｇと液体容器２００ｇとホルダー１００ｇが固定されることとなる。構造体２１７ｇが支持体１３０ｇに押えられてしっかり締め付け合う原理は後述する実施例９と同様である。
組み立てた液体収納製品の６面図は実施例１の図１３と同様である。
以上が、実施例８の液体収納製品の基本構成例と、各構成部品の組み立て例である。例えば、この状態で液体収納製品として市販される。また、液体容器のみを交換用パックの液体収納製品として別売りすることができる。
利用者が液体容器２００ｇ内の液体を使い切ると、上記の図３５、図３６と逆の手順で各構成部品を分解し、使い切った液体容器２００ｇを取り出し、交換用の新しい液体容器２００ｇを用いて上記図３５、図３６の手順で組み立てる。
この実施例８の構成においても、実施例１と同様、液体噴霧ヘッドの液体導入管の弾力性の工夫、閉塞キャップの高さの工夫を行なうことができる。
【実施例９】
【００７６】
実施例９は、本発明の第２の液体収納製品の構成例である。本発明の第２の液体収納製品は、ヘッドキャップと、前記ヘッドキャップが取り付けられる液体容器筒体と、前記液体容器筒体の下部が封止され前記液体容器筒体を介して外部と導通する液体容器本体と、前記液体容器本体に充填された液体を備えた液体容器と、上面開口および側面開口を持つホルダー筒口と、前記ホルダー筒口につながるホルダーボディであって壁面の一部に前記ホルダー筒口の側面開口とつながる壁面開口を持つ中空のホルダーボディと、前記ホルダー筒口または前記ホルダーボディに設けられ前記液体容器筒体を支持する支持体を備え、前記液体容器を内部に収納するホルダーを備えた、内部に液体が収納されている液体収納製品である。また、実施例９の液体収納製品では、グリップ補強具を備えた構成となっている。
ここでは、液体容器筒体に取り付けるヘッドキャップが、液体噴霧ヘッドに組み込まれたヘッドキャップであり、液体噴霧ヘッドが取り付けられた液体収納製品の例を示す。
【００７７】
図３７は、本発明の実施例９の液体収納製品を分解してその構成部品を模式的に示した図（右側面図）である。本発明の実施例９の液体収納製品も、液体排出ヘッド１０ｈ、ホルダー１００ｈ、液体容器２００ｈの３つの構成部品を備えている。さらに、グリップ補強具１４０ｈを備えている。グリップ補強具１４０ｈは図１０に示したものと同様で良く、図３７にはグリップ補強具１４０ｈの図示を省略している。
液体排出ヘッド１０ｈは、実施例１の液体排出ヘッド１０と同様で良い。
ホルダー１００ｈは、図１に示した実施例１のホルダー１００に比べ、ホルダー筒口１１０ｈと支持体１３０ｈが異なっている。
ホルダー筒口１１０ｈは、上面開口１１１ｈ、外周壁に設けられた側面開口１１２ｈ、ホルダー筒口の外周壁の構造体１１３ｈを備えている。さらに、その中に支持体１３０ｈが設けられている。
図３８は、ホルダー１００ｈの６面図の例を示したものである。
【００７８】
図４０（Ａ）は、ホルダー筒口１１０ｈおよび支持体１３０ｈを説明するために取り出して示した図である。なお、ホルダー筒口１１０ｈおよび支持体１３０ｈの形状は一例である。ホルダー筒口１１０ｈの外周壁を構成する構造体１１３ｈが周囲を囲み、前方に側面開口１１２ｈが設けられている。この側面開口の幅は、後述する液体容器筒体の構造体２１４ｈが通過できる幅である。
この例では外周壁である構造体１１３ｈの内側を埋めるように支持体１３０ｈが設けられている。支持体１３０ｈは切り欠き１３１ｈが設けられた円柱体となっている。切り欠き１３１ｈは側面開口１１２ｈにつながり、その幅は、側面開口１１２ｈと同じく、液体容器筒体の構造体２１４ｈが通過できる幅があり、構造体２１４ｈが側面開口１１２ｈと切り欠き１３１ｈを通過してホルダー筒口１１０ｈの中央付近まで到達することができるものとなっている。
この例ではホルダー筒口１１０ｈと支持体１３０ｈが一体成型されているので、図３７、図３８、図４０（Ａ）に示すように、切り欠きを持つ一体の円柱体に見える。
なお、ホルダー１００ｈのホルダーボディ１２０ｈ、壁面開口１２２ｈは図１に示した実施例１のホルダー１００のものと同様で良い。壁面開口１２２ｈはホルダー筒口の側面開口１１２ｈにつながり一体の開口を形成している点は実施例１と同様である。
【００７９】
液体容器２００ｈは、液体容器筒体２１０ｈと液体容器本体２２０ｈと閉塞キャップ２３０ｈを備えている。内部に充填されている液体は特に限定されない。
図３９は、液体容器２００ｈの６面図を示したものである。なお、背面図は正面図と同じであるので図示を省略する。
液体容器筒体２１０ｈは、上面開口２１１ｈを持ち、構造体２１２ｈ、構造体２１４ｈ、構造体２１５ｈ、構造体２１６ｈの４つの構造体を備え、内部に筒状の導通孔が設けられている。なお、後述するように構造体２１２ｈと構造体２１４ｈの間に構造体２１３ｈを設ける構成としても良い。
構造体２１２ｈは上部の構造体であり、後述するように支持体１３０ｈの上に乗せられる構造体である。図１に示した実施例１の液体容器筒体の構造体２１２ｈに比べ、その径が大きく、その周囲にはヘッドキャップ１５ｈの内ネジと螺合する外ネジが設けられている。なお、閉塞キャップ２３０ｈはヘッドキャップ１５ｈと同じ大きさの内ネジを備えており、液体容器筒体２１０ｈに対して、ヘッドキャップ１５ｈと閉塞キャップ２３０ｈのいずれでも取り付けることができる。
構造体２１３ｈに相当するものを設けていないが、構造体２１２ｈの下側部分を構造体２１３ｈとしても良い。例えば、構造体２１２ｈと同じ径を持つ構造体で構造体２１２ｈに設けられている外ネジが設けられていないものとする。後述するようにグリップ補強具１４０ｈの高さを工夫する際にグリップ補強具１４０ｈの上側部分と嵌合し合う。
構造体２１４ｈはその幅がホルダー筒口の側面開口１１２ｈと支持体の切り欠き１３１ｈを通過できる幅であり、その高さは、構造体２１２ｈが支持体１３０ｈの上に沿い、構造体２１５が支持体１３０ｈの下に沿う形で支持体１３０ｈに挿入できる高さとなっている。構造体２１４ｈの外周形状は限定されないが、この例では支持体１３０ｈの切り欠き形状と合致する四角形とする。構造体２１４ｈの外周形状が支持体１３０ｈの切り欠き形状と合致する四角形であれば液体容器筒体２１０ｈの水平面内での回転が制動されることとなる。後述するように、液体容器２００ｈをホルダー１００ｈに取り付けた後に閉塞キャップ２３０ｈを取り外す際に閉塞キャップ２３０ｈを回しても液体容器筒体２１０ｈが固定されているので閉塞キャップ２３０ｈが外しやすくなる。
構造体２１５ｈと構造体２１６ｈは図１に示した実施例１の液体容器筒体のものと同様で良い。液体容器本体２２０ｈは可撓性を持つフィルム素材などにより構成され液体容器２００ｈ全体が交換可能な使い捨てパックとなっている点も実施例１と同様である。
【００８０】
図４０（Ｂ）は、液体容器筒体２１０ｈを支持体１３０ｈに取り付けて支持させる様子を上面から模式的に示す図である。分かりやすくするため閉塞キャップ２３０ｈは取り除いた状態で描いている。液体容器筒体２１０ｈをホルダー筒口１１０ｈに対して横からスライドして押し込む。構造体２１２ｈが支持体１３０ｈの上に沿い、構造体２１４ｈがホルダー筒口の側面開口１１２ｈから支持体の切り欠き１３１ｈの中に挿入され、構造体２１５ｈが支持体１３０ｈの下に沿い、液体容器筒体２１０ｈとホルダー筒口１１０ｈが嵌合し合う。嵌合された様子が図４０（Ｃ）である。なお、図４０（Ｃ）の上側の図が嵌合された様子を上から見た図、下側の図が嵌合された様子を側面から見た図である。ここで、液体容器筒体２１０ｈと支持体１３０ｈとの組み合わせにおいて、両者が上下方向の移動を制限する構造を備えている。つまり、支持体１３０ｈの上下には構造体２１２ｈと構造体２１５ｈが存在しているので、液体容器筒体２１０ｈは上下方向の移動が制限されている。
図４０（Ｄ）は液体容器筒体２１０ｈが構造体２１３ｈを備えている場合の例である。
【００８１】
なお、本実施例９、実施例１０、実施例１２から実施例１５など、第２の液体収納製品や第４の液体収納製品の実施例において、支持体１３０ｈの上面と、液体容器筒体の構造体２１２ｈまたは構造体２１３ｈの下面をフラットなものとして説明しているが、両者に凹凸形状を設けることも可能である。図４０（Ｅ）は支持体１３０ｈの上面を凹型形状とし、液体容器筒体の構造体２１２ｈまたは構造体２１３ｈの下面を凸型形状とした場合の例である。図４０（Ｅ）の例では支持体１３０ｈの上面は外縁１３０１ｈと窪み１３０２ｈを備えた凹型形状を備え、構造体２１２ｈの下面は上側部分２１２１ｈと下側部分２１２２ｈを備えた例である。支持体の窪み１３０２ｈと構造体の下側部分２１２２ｈの両者は垂直嵌合し合う。この両者の嵌合により、液体容器筒体２１０ｈは上下方向の移動の制限に加え、水平方向の移動も制限される。なお、構造体２１２２ｈを構造体２１３ｈと考えることもできる。
【００８２】
図４１は、本発明の液体収納製品において、液体容器２００ｈを装着する作業手順を模式的に示した図である。
図４１の左側の図に示すように、液体容器２００ｈをホルダー１００ｈに対してホルダーボディの壁面開口１２２ｈおよびホルダー筒口の側面開口１１２ｈから挿入する。液体容器２００ｈがホルダー１００ｈ内に装着された様子を示す図が図４１の中央の図である。ホルダーボディ１２０ｈの中空のキャビティには、液体容器本体２２０ｈが収められ、支持体１３０ｈには液体容器筒体２１０ｈが支持されている。
図４１の右側の図に示すように、閉塞キャップ２３０ｈを取り除く。
【００８３】
図４２は、液体容器２００ｈを装着したホルダー１００ｈに対してグリップ補強具１４０ｈを上から被せて装着し、さらに液体噴霧ヘッド１０ｈを装着する手順を示す図である。
図４２の左側の図は、図４１に示したように液体容器２００ｈを装着したホルダー１００ｈである。
図４２の中央の図は、図１１に示したものと同様に、左側に示した状態からグリップ補強具１４０ｈを上から被せて装着した様子を示す図である。
【００８４】
ここで、グリップ補強具１４０ｈの高さを工夫し、グリップ補強具１４０ｈをホルダー１００ｈに被せて装着した状態において、グリップ補強具１４０ｈの上縁が支持体１３０ｈより上に位置し、当該部分の内周がホルダー１００ｈに取り付けられている液体容器筒体２１０ｈの構造体２１３ｈの外周と沿う形で嵌合し合うものとすることができる。図４３（Ａ）は、グリップ補強具１４０ｈの高さを工夫した場合における、グリップ補強具１４０ｈをホルダー１００ｈに被せて装着した状態を模式的に示す側面図である。図４３（Ｂ）はグリップ補強具１４０ｈを側断面のみ示し、内部のホルダー１２０ｈ、支持体１３０ｈ、液体容器筒体２１０ｈの関係を分かりやすいように示している。この例では液体容器筒体が構造体２１３ｈを備え、図４３（Ｂ）に示すように、グリップ補強具１４０ｈの上縁部分が支持体１３０ｈより上に位置し、支持体１３０ｈの上に乗っている液体容器筒体の構造体２１３ｈを取り囲んで嵌合し合っている。この状態では液体容器筒体２１０ｈは水平方向の遊びがなくグリップ補強具１４０ｈと嵌合し合っているため、水平方向の移動が制限されることとなる。
【００８５】
図４２の右側の図は、図１２に示したものと同様に、中央の図に示した状態から液体噴霧ヘッド１０ｈを装着した様子を示す図である。液体噴霧ヘッド１０ｈの液体導入管１２ｈを液体容器筒体の上面開口２１１ｈから挿入し、液体容器筒体２１０ｈから液体容器本体２２０ｈの内部に挿入しつつ、液体噴霧ヘッド１０ｈのヘッドキャップ１５ｈを液体容器筒体の構造体２１２ｈと螺合して液体容器２００ｈおよびホルダー１００ｈの両者と液体噴霧ヘッド１０ｈをしっかり固定する。
組み立てた液体収納製品の６面図は実施例１の図１３と同様である。
なお、図４３（Ｃ）は図４３（Ａ）の状態からヘッドキャップ１５ｈを取り付けた状態であり、内部の様子が分かりやすいようにヘッドキャップ１５ｈの側断面のみを示している。後述する図４３（Ｇ）に示すようにヘッドキャップ１５ｈの下縁がグリップ補強具１４０ｈの上縁を押え付けるものとなっており、液体容器筒体２１０ｈは水平方向および垂直方向にしっかりと締め付けられて固定され、液体収納製品全体もしっかりと締め合って安定する。
【００８６】
ここで、液体容器筒体の構造体２１２ｈとヘッドキャップ１５ｈを螺合してゆくと、液体噴霧ヘッド１０ｈと液体容器２００ｈとホルダー１００ｈと支持体１３０ｈが締め付けあって固定され、スライド防止効果が得られることとなる。その原理を説明する。
第１のケースは、図４３（Ｄ）に示すように、ヘッドキャップ１５ｈの下縁端の大きさよりもホルダーの支持体１３０ｈの大きさが大きく、また、ヘッドキャップ１５ｈの高さは液体容器筒体の構造体２１２ｈより高く、ヘッドキャップ１５ｈを液体容器筒体の構造体２１２ｈに螺合して行くとヘッドキャップ１５ｈの下縁端が支持体１３０ｈに接する場合である。
ヘッドキャップ１５ｈと液体容器筒体の構造体２１２ｈを螺合して行くと、ヘッドキャップ１５ｈの下縁が支持体１３０ｈまで到ると下方向への移動が制限されるため、逆に螺合相手の構造体２１２ｈが上方に引き上げられ、液体容器筒体２１０ｈ全体が徐々に上方に引き上げられる。しかし、ホルダー筒口１１０ｈ内の支持体１３０ｈが存在するため、液体容器筒体の構造体２１５ｈが支持体１３０ｈにより下方向に押えられる。つまり、ヘッドキャップ１５ｈの下縁が支持体１３０ｈの上縁を押え付けている状態では、力学的にはヘッドキャップ１５ｈの下縁が上向きに受ける力と同じ強さの下向きの力が液体容器筒体２１０ｈに対して支持体１３０ｈから加えられている状態であり、液体容器筒体２１０ｈと支持体１３０ｈが上下方向に締め合うこととなる。そのため、液体容器筒体２１０ｈと支持体１３０ｈの間の摩擦力が増大し、液体容器２００ｈのスライド移動が防止されるとともに、ヘッドキャップ１５ｈ、液体容器筒体２１０ｈ、支持体１３０ｈ、ホルダー１００ｈの４者がしっかりと固定されることとなる。
【００８７】
第２のケースは、図４３（Ｅ）に示すように、ヘッドキャップ１５ｈの下縁端の大きさは、支持体１３０ｈの大きさより大きいが、その周囲を囲んでいるホルダー筒口の上縁の構造体１１３ｈの大きさより小さく、ヘッドキャップ１５ｈの高さは液体容器筒体の構造体２１２ｈより高く、ヘッドキャップ１５ｈを液体容器筒体の構造体２１２ｈに螺合して行くとヘッドキャップ１５ｈの下縁端がホルダー筒口の上縁の構造体１１３ｈに接する場合である。
この第２のケースにおいても、ヘッドキャップ１５ｈと液体容器筒体の構造体２１２ｈを螺合により、液体容器筒体２１０ｈと支持体１３０ｈがしっかりと締め付け合う原理は、ヘッドキャップ１５ｈがホルダー筒口の構造体１１３ｈの存在により下方向への移動が制限される点を除いて第１のケースと同様である。この結果、ヘッドキャップ１５ｈと液体容器２００ｈとホルダー１００ｈと支持体１３０ｈの４者がしっかりと締め付け合って固定される。
【００８８】
第３のケースは、図４３（Ｆ）に示すように、ヘッドキャップ１５ｈの下縁端の大きさが、支持体１３０ｈおよびホルダー筒体の構造体１１３ｈの大きさより大きく、ホルダーボディ１２０ｈの肩口である上縁端の大きさより小さく、ヘッドキャップの高さが、液体容器筒体の構造体２１２ｈの高さとホルダー筒口１１０ｈの高さの合計より高く、ヘッドキャップ１５ｈを液体容器筒体の構造体２１２ｈに螺合して行くとヘッドキャップ１５ｈの下縁端がホルダーボディ１２０ｈの上縁端に接する場合である。
この第３のケースにおいて、ヘッドキャップ１５ｈと液体容器筒体の構造体２１２ｈを螺合により液体容器筒体２１０ｈと支持体１３０ｈがしっかりと締め付け合う原理は、ヘッドキャップ１５ｈがホルダーボディ１２０ｈの存在により下方向への移動が制限される点を除いて第１のケースと同様である。この結果、ヘッドキャップ１５ｈと液体容器２００ｈとホルダー１００ｈと支持体１３０ｈの４者がしっかりと締め付け合って固定される。
【００８９】
第４のケースは、グリップ補強具１４０ｈをホルダー１００ｈに装着する場合であり、図４３（Ｇ）に示すように、ヘッドキャップ１５ｈおよびグリップ補強具１４０ｈ両者の肉厚が適度に厚く、両者の大きさがほぼ等しく、ヘッドキャップ１５ｈを液体容器筒体の構造体２１２ｈに螺合して行くとヘッドキャップ１５ｈの下縁端とグリップ補強具１４０ｈの上縁端が接する場合である。
この第４のケースにおいて、ヘッドキャップ１５ｈと液体容器筒体の構造体２１２ｈを螺合により液体容器筒体２１０ｈと支持体１３０ｈがしっかりと締め付け合う原理は、ヘッドキャップ１５ｈがホルダー１００ｈに装着されたグリップ補強具１４０ｈの存在により下方向への移動が制限される点を除いて第１のケースと同様である。この結果、ヘッドキャップ１５ｈと液体容器２００ｈとホルダー１００ｈと支持体１３０ｈとグリップ補強具１４０ｈの５者がしっかりと締め付け合って固定される。
以上の原理により、本発明の第２の液体収納製品では、各部品が相互にしっかりと締め付け合って固定されているため、液体容器２００ｈが支持体１３０ｈからスライドして抜け落ちるという恐れはない。
【００９０】
以上が、実施例９の液体収納製品の組み立て手順である。
液体容器筒体２１０ｈは、上下方向の移動は支持体１３０ｈおよびヘッドキャップ１５ｈにより制限され、水平方向の移動はホルダー１００ｈおよびグリップ補強具１４０ｈの存在と、支持体１３０ｈとの摩擦力により制限され、閉じ込め効果が得られる。
また、液体容器２００ｈ全体が、ヘッドキャップ１５ｈ、ホルダー１００ｈ、支持体１３０ｈの３者またはこれらにグリップ補強具１４０ｈを加えた４者により囲まれるので、抜け出るおそれがなくなる。
なお、ヘッドキャップ１５ｈを液体容器筒体の構造体２１２ｈに取り付けた状態において、液体容器本体２２０ｈ、液体容器筒体２１０ｈ、ヘッドキャップ１５ｈの内面が密閉空間を形成するので、中身の液体が漏れるおそれがなくなる。
以上が、実施例９の液体収納製品の基本構成例と、各構成部品の組み立て例である。例えば、この状態で液体収納製品として市販される。また、液体容器のみを交換用パックの液体収納製品として別売りすることができる。
利用者が液体容器２００ｈ内の液体を使い切ると、上記図４１および図４２と逆の手順で各構成部品を分解し、使い切った液体容器２００ｈを取り出し、交換用の新しい液体容器２００ｈを用いて図４１および図４２の手順で組み立てる。
この実施例９の構成においても、実施例１と同様、液体噴霧ヘッドの液体導入管の弾力性の工夫、閉塞キャップの高さの工夫を行なうことができる。
【実施例１０】
【００９１】
実施例１０は、本発明の第１から第４の液体収納製品のバリエーションとして、ホルダーボディに設けられている壁面開口を大きくした構成例である。ここでは、一例として第１の液体収納製品について適用した例を示す。
図４４は、本発明の実施例１０の液体収納製品を分解してその構成部品を模式的に示した図（右側面図）である。本発明の実施例１０の液体収納製品も、液体排出ヘッド１０ｊ、ホルダー１００ｊ、液体容器２００ｊの３つの構成部品を備えている。さらに、グリップ補強具１４０ｊを備えることも可能である。この実施例１０はグリップ補強具１４０ｊを装着する工夫を施す例として説明する。図４４にはグリップ補強具１４０ｊの図示を省略している。
液体排出ヘッド１０ｊは、実施例１の液体排出ヘッド１０と同様で良い。
ホルダー１００ｊは、実施例１のホルダー１００と比べ、ホルダーボディの壁面開口１２２ｊの大きさが異なっている。
【００９２】
図４５は、ホルダー１００ｊの６面図である。ホルダーボディの右側面に大きく壁面開口１２２ｊが設けられている。
液体容器２００ｊは、実施例１の液体容器２００と同様で良い。
【００９３】
図４６は、実施例１０のグリップ補強具１４０ｊの６面図である。ホルダーボディの壁面開口１２２ｊを覆うようにグリップ補強具の右側面が大きくなっている。
【００９４】
図４７は、本発明の液体収納製品を組み立てる作業手順を模式的に示した図である。
図４７の左側の図に示すように、液体容器２００ｊをホルダー１００ｊに対してホルダーボディの壁面開口１２２ｊおよびホルダー筒口の側面開口１１２ｊから挿入し、閉塞キャップ２３０ｊを取り除く。ホルダーボディ１２０ｊの中空のキャビティには、液体容器本体２２０ｊが収められ、支持体１３０ｊには液体容器筒体２１０ｊが支持されている。
図４７の中央の図は、図１１に示したものと同様に、左側に示した状態からグリップ補強具を上から被せて装着した様子を示す図である。
図４７の右側の図は、図１２に示したものと同様に、中央の図に示した状態から液体噴霧ヘッド１０ｊを装着した様子を示す図である。
【００９５】
図４８は、各構成部品を組み立てた液体収納製品の６面図を模式的に並べて示したものである。例えば、この状態で液体収納製品として市販される。また、液体容器のみを交換用パックの液体収納製品として別売りすることができる。
以上が、実施例１０の液体収納製品の基本構成例と、各構成部品の組み立て例である。
利用者が液体容器２００ｊ内の液体を使い切ると、上記の図４７と逆の手順で各構成部品を分解し、使い切った液体容器２００ｊを取り出し、交換用の新しい液体容器２００ｊを用いて上記図４７の手順で組み立てる。
この実施例１０の構成においても、実施例１と同様、液体噴霧ヘッドの液体導入管の弾力性の工夫、閉塞キャップの高さの工夫を行なうことができる。
【実施例１１】
【００９６】
実施例１１は、本発明の第１から第４の液体収納製品のバリエーションとして、液体排出ヘッドを液体ポンプヘッドとし、液体収納製品を液体ポンプ容器とした例である。ここでは、一例として第３の液体収納製品について適用した例を示す。
図４９は、本発明の実施例１１の液体収納製品を分解してその構成部品を模式的に示した図（右側面図）である。本発明の実施例１１の液体収納製品も、液体排出ヘッド１０ｋ、ホルダー１００ｋ、液体容器２００ｋの３つの構成部品を備えている。この実施例１１はカバー１５０ｋを装着する工夫を施す例として説明する。なお、図４９にはカバー１５０ｋの図示を省略している。
【００９７】
液体排出ヘッド１０ｋは液体ポンプヘッドとなっている。本発明では、液体ポンプヘッド１０ｋの構造は特に限定されず、公知の液体ポンプヘッドであっても適用可能である。図４９に示した例では、液体ポンプヘッド１０ｋは、ノズル３１ｋと、ノズル３１ｋに連通する液体導入管１２ｋと、液体導入管１２ｋから液体を汲み上げてノズル３１ｋから汲み出すポンプ機構３３ｋと、ポンプ押下部３４ｋと、ヘッドキャップ１５ｋとを備えている。
ポンプ機構３２ｋの構造は限定されない。例えば、以下のような構造を持つ。利用者がポンプ押下部３４ｋを押して内部のシリンダ内（図示せず）にピストン（図示せず）を押し込むことでそのシリンダ内の圧力を上げて液体を押し出し、弁体（図示せず）の働きにより流路（図示せず）に導き、流路からノズル３１ｋへと導き、ノズル３１ｋから液体を出す。次に、ポンプ押下部３４ｋの押下を止めると、シリンダ内部にピストンに抗するバネ（図示せず）によりピストンが押し返され、シリンダ内の圧力が下がる。弁体の働きにより液体導入管１２ｋの先端が浸された液体が吸い上げられ、再びシリンダ内に液体が満たされる。液体ポンプヘッド１０ｋはこのポンプ押下部３４ｋの押し込み、押し返しを繰り返すことにより液体を汲み出す。
【００９８】
図５０は、実施例１１のホルダー１００ｋの６面図である。
ホルダー１００ｋは液体ポンプヘッド１０ｋの液体導入管１２ｋの太さに応じて、ホルダー筒口１１０ｋの側面開口１１２ｋ、支持体１３０ｋの切り欠き１３１ｋの幅が太くなっている。ホルダーボディ１２０ｋの形状や大きさは特に限定されず、用途に合わせたもので良い。また、壁面開口１２２ｋの形状や大きさも特に限定されず、液体容器２００ｋが挿入できる大きさとすれば良い。
図５１は、実施例１１の液体容器２００ｋの６面図である。なお、背面図は正面図と同じであり、左側面図は右側面図と同じであるので図示を省略している。
液体容器２００ｋは液体ポンプヘッド１０ｋの液体導入管１２ｋの太さに応じて液体容器筒体２１０ｋの太さ（内壁の管の太さも含む）が太くなっている。液体容器筒体２１０ｋの閉塞構造体としてのキャップ１５ｋも合わせて太くなっている。液体容器本体２２０ｋの形状や大きさは特に限定されず、用途に合わせたもので良い。液体容器２００ｋ内部に充填されている液体は特に限定されない。
【００９９】
図５２は、実施例１１のカバー１５０ｋの一例を示す６面図である。なお、背面図は正面図と同じであり、左側面図は右側面図と同じであるので図示を省略している。
カバーとは、ホルダーボディの壁面開口を覆い、外部からホルダーボディ内部への水滴流入を防ぐものである。カバー１５０ｋは一様の肉厚で形成され、その内壁形状の少なくとも一部がホルダーボディ１２０ｋの外壁形状の少なくとも一部に一致し、ホルダーボディ１２０ｋに被せて装着できる形状となっている。この例では、その内壁がホルダーボディ１２０ｋの上部分の外壁と一致し、ホルダーボディ１２０ｋに対して上からすっぽりと被せることができる。また、カバー１５０ｋはホルダーボディの壁面開口１２２ｋを覆う大きさがある。また、カバー１５０ｋの上面にはホルダー筒口１１０ｋと液体容器筒体の構造体２１２ｋが通過できる大きさの上面開口１５１ｋが設けられている。底面にはホルダーボディ１２０ｋを挿入するための底面開口１５２ｋが設けられている。
なお、本発明のカバー１５０ｋは、壁面開口を閉じるのみの単なる蓋ではなく、壁面開口全面を覆いつつ、ホルダーを周回するようにホルダーに被せて装着する例えば筒状のものであるので、液体収納製品に水平方向にかかる力に対して強く抗することができ、構造的強度を補強するものとなる。
【０１００】
なお、実施例１で説明したグリップ補強具１４０の場合と同様、ホルダーボディ１２０ｋの壁面にカバー１５０ｋを装着する個所にカバー１５０ｋの厚さに相当する窪み１２３を設けておく工夫、カバー１５０ｋの下縁を受けるストッパー１２４を設ける工夫をすることができる。このような工夫を施すことによりカバー１５０ｋをホルダーボディ１２０ｋに装着した状態においてカバー１５０ｋとホルダーボディ１２０ｋの段差を無くしたものとすることができ、カバー１５０ｋの下縁を下側から支えることができる。
その他の工夫として、カバー１５０ｋの表面に滑り止め加工を施すことも可能である。また、カバー１５０ｋの表面に抗菌加工を施せば、利用者の手の触れる部分をより一層清潔に保つことができる。また、カバー１５０ｋは液体収納製品から簡単に取り外すことができるので、表面が汚れた場合や薬液が付着した場合などカバー１５０ｋのみを洗浄することができ、従来のように液体収納製品全体を洗浄する必要がなくなる。また、カバー１５０ｋのみを新しいものに適宜交換することもできる。
【０１０１】
図５３は、本発明の実施例１１の液体収納製品を組み立てる作業手順を模式的に示した図である。
図５３の左側の図に示すように、液体容器２００ｋをホルダー１００ｋに対してホルダーボディの壁面開口１２２ｋおよびホルダー筒口の側面開口１１２ｋから挿入し、閉塞キャップ２３０ｋを取り除く。ホルダーボディ１２０ｋの中空のキャビティには、液体容器本体２２０ｋが収められ、支持体１３０ｋには液体容器筒体２１０ｋが支持されている。
図５３の中央の図は、左側に示した状態からカバー１５０ｋを装着した様子を示す図である。上からカバー１５０ｋをその底面開口１５２ｋからホルダー１００ｋにすっぽり被せる。カバー１５０ｋの内壁がホルダーボディ１２０ｋの外壁と密着し、上面開口１５１ｋから液体容器筒体の構造体２１２ｋとホルダー筒口１１０ｋが突出し、カバー１５０ｋはホルダーボディ１２０ｋの上側筐体にぴったり沿う形となる。
図５３の右側の図は、中央の図に示した状態から液体ポンプヘッド１０ｋを装着した様子を示す図である。液体ポンプヘッド１０ｋを螺合して取り付ける。ここで、液体ポンプヘッドのヘッドキャップ１５ｋの肉厚とカバー１５０ｋの肉厚が適度に太く、両者がほぼ同じ大きさであり、ヘッドキャップ１５ｋの下縁端がカバー１５０ｋの上縁端（上面開口１５１ｋの縁）に接して押さえつけるものであることが好ましい。ヘッドキャップ１５ｋを締めることにより、カバー１５０ｋは上からヘッドキャップ１５ｋにより押えられ、下からはホルダーボディ１２０ｋの上側筐体から押えられ、カバー１５０ｋがしっかりと挟持され固定されるからである。
【０１０２】
なお、カバー１５０ｋを用いた場合も、密閉性の向上効果の他、グリップ補強具を装着した場合と同様、外界から水平方向にかかる力に対する構造的強度の向上効果、液体容器の閉じ込め効果、各構成要素の締め付け効果が得られる。
液体ポンプヘッド１０ｋを取り付け後、液体ポンプヘッド１０ｋを押下すると液体容器２００ｋ内部の液体がポンプ機構により汲み上げられ、ヘッドから排出される。
【０１０３】
図５４は、組み立てられた液体収納製品の６面図である。例えば、この状態で液体収納製品として市販される。また、液体容器のみを交換用パックの液体収納製品として別売りすることができる。
以上が、実施例１１の液体収納製品の基本構成例と、各構成部品の組み立て例である。
利用者が液体容器２００ｋ内の液体を使い切ると、上記の図５３と逆の手順で各構成部品を分解し、使い切った液体容器２００ｋを取り出し、交換用の新しい液体容器２００ｋを用いて上記図５３の手順で組み立てる。
この実施例１１の構成においても、実施例１と同様、閉塞キャップの高さの工夫を行なうことができる。
【実施例１２】
【０１０４】
実施例１２は、本発明の第１から第４の液体収納製品のバリエーションとして、液体排出ヘッドを液体ポンプヘッドとし、液体収納製品を液体ポンプ容器とした例である。ここでは、一例として第４の液体収納製品について適用した例を示す。
図５５は、本発明の実施例１２の液体収納製品を分解してその構成部品を模式的に示した図（右側面図）である。本発明の実施例１２の液体収納製品も、液体排出ヘッド１０Ｌ、ホルダー１００Ｌ、液体容器２００Ｌの３つの構成部品を備えている。さらに、この実施例１２はカバー１５０Ｌを装着する工夫を施す例として説明する。図５５にはカバー１５０Ｌの図示を省略している。
液体排出ヘッドとしての液体ポンプヘッド１０Ｌは、実施例１１の液体ポンプヘッド１０ｋと同様のもので良い。
【０１０５】
図５６は、実施例１２のホルダー１００Ｌの６面図の例を示したものである。
ホルダー１００Ｌは、実施例１１のホルダー１００ｋと同様のもので良いが、ホルダー筒口１１０Ｌと支持体１３０Ｌが異なり、上面開口１１１Ｌ、外周壁に設けられた側面開口１１２Ｌ、ホルダー筒口の外周壁の構造体１１３Ｌを備えている。さらに、その中に支持体１３０Ｌが設けられている。
【０１０６】
図５７は、実施例１２の液体容器２００Ｌの６面図である。背面図は正面図と同じであり、左側面図は右側面図と同じであるため図示を省略している。
液体容器２００Ｌの液体容器筒体２１０Ｌは、実施例９の液体容器筒体２１０ｈと同様のものとなっており、液体容器本体２２０Ｌは、実施例１１の液体容器本体２２０ｋと同様のものとなっている。液体容器２００Ｌの内部に充填されている液体は特に限定されない。本実施例１２の液体容器筒体２１０Ｌにおいても、実施例９の液体容器筒体２１０ｈと同様、構造体２１２Ｌの下側部分に構造体２１３Ｌを設け、カバー１５０Ｌの高さを調整して、カバー１５０Ｌのホルダー１００Ｌへの装着状態において構造体２１３Ｌとカバー１５０Ｌの上縁を嵌合させる工夫を施すことができる。
カバー１５０Ｌは、図５２に示した実施例１１のカバー１５０ｋと同様のもので良い。
【０１０７】
図５８は、本発明の実施例１２の液体収納製品を組み立てる作業手順を模式的に示した図である。
図５８の左側の図は、液体容器２００Ｌをホルダー１００Ｌに対して装着した様子を示す図である。液体容器筒体２１０Ｌを支持体１３０Ｌに取り付ける様子は、実施例９の図４０、図４１と同様である。支持体１３０Ｌにより液体容器筒体２１０Ｌは上下方向の移動が制限される。
図５８の中央の図は、左側に示した状態からカバー１５０Ｌを上から被せて装着した様子を示す図である。なお、実施例９の図４３（Ａ）のようにカバーの高さを工夫すれば、カバー１５０Ｌにより液体容器筒体２１０Ｌの水平方向の移動が制限される。
図５８の右側の図は、中央の図に示した状態から液体ポンプヘッド１０Ｌを装着した様子を示す図である。なお、カバー１５０Ｌを用いた場合も、密閉性の向上効果の他、グリップ補強具を装着した場合と同様、外界から水平方向にかかる力に対する構造的強度の向上効果、液体容器の閉じ込め効果、各構成要素の締め付け効果が得られる。
【０１０８】
さらに、本実施例１２のカバーを用いた構成であっても、ヘッドキャップ１５Ｌの下縁がカバー１５０Ｌの上縁を押え付ける状態とすれば、実施例９のグリップ補強具を用いた構成の場合と同様の原理で、液体容器筒体２１０Ｌと支持体１３０Ｌの間の締め付け効果、摩擦力増大によるスライド防止効果が得られる。図５９は、図４３と同様、カバー１５０Ｌの上面開口の首部分１５３Ｌの高さを少し高く調整した例である。図５９（Ｂ）はカバー１５０Ｌの首部分１５３Ｌと液体容器筒体の構造体２１３Ｌとの関係が分かりやすいようにカバー１５０Ｌを側断面のみとして示している。液体容器筒体の構造体２１３Ｌはカバー１５０Ｌの首部分１５３Ｌに囲まれる形で嵌合し合っており、水平方向に遊びなく固定される。図５９（Ｃ）は図５９（Ｂ）の状態からヘッドキャップ１５Ｌを取り付けた状態である。この例ではヘッドキャップ１５Ｌの下縁がカバー１５０Ｌの首部分１５３Ｌの上縁を押え付ける構成であり、実施例９に説明した原理により、液体容器筒体の構造体２１５Ｌと支持体１３０Ｌの締め付け効果、スライド防止効果が得られる。
【０１０９】
組み立てた液体収納製品の６面図は実施例１１の図５４と同様である。例えば、この状態で液体収納製品として市販される。また、液体容器のみを交換用パックの液体収納製品として別売りすることができる。
以上が、実施例１２の液体収納製品の基本構成例と、各構成部品の組み立て例である。
利用者が液体容器２００Ｌ内の液体を使い切ると、上記の図５８と逆の手順で各構成部品を分解し、使い切った液体容器２００Ｌを取り出し、交換用の新しい液体容器２００Ｌを用いて上記図５８の手順で組み立てる。
この実施例１２の構成においても、実施例１と同様、閉塞キャップの高さの工夫を行なうことができる。
【実施例１３】
【０１１０】
実施例１３は、本発明の第１から第４の液体収納製品のバリエーションとして、液体排出ヘッドとして上面に開口を持つ液体排出ヘッドを用いた例である。ここでは、一例として第２の液体収納製品について適用した例を示す。
図６０は、本発明の実施例１３の液体収納製品を分解してその構成部品を模式的に示した図（右側面図）である。本発明の実施例１３の液体収納製品も、液体排出ヘッド１０Ｍ、ホルダー１００Ｍ、液体容器２００Ｍの３つの構成部品を備えている。さらに、グリップ補強具１４０Ｍを備えることも可能である。なお、グリップ補強具１４０Ｍはカバー１５０Ｍとしての役割も兼務する。この実施例１３はグリップ補強具１４０Ｍを装着する工夫を施す例として説明する。図６０にはグリップ補強具１４０Ｍの図示を省略している。
【０１１１】
液体排出ヘッド１０Ｍは、ヘッドキャップ１５Ｍの上部に構造体１６Ｍを持っている。液体排出ヘッド１０Ｍは内部に貫通孔を持ち、構造体１６Ｍの上面の開口が上面開口１７Ｍである。
図６１は、ホルダー１００Ｍの６面図である。
ホルダー１００Ｍのホルダー筒口１１０Ｍと支持体１３０Ｍは、実施例９のホルダー１００ｈのホルダー筒口１１０ｈと支持体１３０ｈと同様のもので良い。図６１の例では、実施例９の例と比べて、ホルダーボディ１２０Ｍおよび壁面開口１２２Ｍの形状が異なるものの、液体容器２００Ｍのホルダー１００Ｍへの装着の原理は同じである。
【０１１２】
図６２は、実施例１３の液体容器２００Ｍの６面図である。なお、背面図は正面図と同じであり、左側面図は右側面図と同じであるため図示を省略している。
液体容器２００Ｍは、液体容器筒体２１０Ｍと液体容器本体２２０Ｍと閉塞キャップ２３０Ｍを備えている。液体容器２００Ｍに充填されている液体は特に限定されない。
液体容器本体２２０Ｍは形状が異なるものの実施例１の液体容器本体２２０と同様で良い。
液体容器筒体２１０Ｍは、構造体のうち、構造体２１２Ｍ、構造体２１４Ｍ、構造体２１５Ｍ、構造体２１６Ｍは、実施例９の液体容器筒体２１０ｈのものと同様で良いが、上面開口２１１Ｍの形状が異なり、さらに当該上面開口２１１Ｍを閉塞するいわゆるプルトップキャップ２３１Ｍを備え、上面開口２１１Ｍを直接閉塞している点で異なる。
【０１１３】
図６３は、グリップ補強具１４０Ｍの一例を示す６面図である。なお、背面図、左側面図、右側面図は正面図と同じであるため図示を省略している。グリップ補強具１４０Ｍは、その内壁形状の一部が、ホルダー１００Ｍの上側の筐体形状の少なくとも一部と一致するものであり、壁面開口１２２Ｍをカバーするものであれば良い。上面開口１５１Ｍはホルダー筒口１１０Ｍが通過できる大きさであり、底面開口１５２Ｍはホルダーボディ１２０Ｍが挿入できる大きさである。
【０１１４】
図６４は、実施例１３の液体収納製品を組み立てる作業手順を模式的に示した図である。
まず、図６４の左側の図に示すように、液体容器本体２２０Ｍを壁面開口１２２Ｍから挿入し、実施例９と同様の手順により液体容器筒体２１０Ｍを支持体１３０Ｍに支持させて、液体容器２００Ｍをホルダー１００Ｍに装着する。実施例９と同様、支持体１３０Ｍにより液体容器筒体２１０Ｍの上下方向の移動が制限される。
次に、図６４の中央の図に示すように、閉塞キャップ２３０Ｍを取り去り、さらに、液体容器筒体２１０Ｍの上面開口を閉塞しているプルトップキャップ２３１Ｍを取り去り、上面開口２１１Ｍを開ける。なお、実施例９の図４３（Ａ）、実施例１２の図５９のようにグリップ補強具１４０Ｍの高さを工夫すれば、グリップ補強具１４０Ｍにより液体容器筒体２１０Ｍの水平方向の移動が制限される。
次に、図６４の右側の図に示すように、液体容器筒体の構造体２１２Ｍに対して、液体排出ヘッド１０Ｍを螺合して取り付ける。液体容器筒体に対する閉じ込め効果が得られ、さらに、本実施例１３の液体収納製品においても、ヘッドキャップ１５Ｍの下縁がグリップ補強具１４０Ｍの上縁を押え付ける状態とすれば、実施例９において説明した場合と同様の原理により、液体容器筒体２１０Ｍと支持体１３０Ｍの間の締め付け効果、摩擦力増大によるスライド防止効果が得られる。
液体排出ヘッド１０Ｍは上面開口１７Ｍを持っており、図６５に示すように、液体収納製品全体を傾けることにより、液体容器本体２２０Ｍ内の液体を液体容器筒体２１０Ｍ、上面開口２１１Ｍ、液体排出ヘッド１０Ｍの上面開口１７Ｍを介して外部に流出させることができる。
【０１１５】
なお、液体容器筒体２１０Ｍから液体をスムーズに流出させるために、液体容器筒体２１０Ｍをある程度太くする工夫を施すことも好ましい。また、図６６に示すように、液体容器本体２２０Ｍにおいて液体容器筒体２１０Ｍを封止するためのヒートシールや糊付けをする領域を領域２２１Ｍの範囲で行なう工夫を施すことも好ましい。このような領域２２１Ｍの範囲でヒートシールや糊付けを行なうことにより、液体収納製品全体を傾けることにより液体容器本体２２０Ｍ内の液体が、図中の矢印のように流れて液体容器筒体２１０Ｍの底面開口に集まり、液体容器本体２２０Ｍ内に残留することなく最後まで流出させることができるからである。
【０１１６】
次に、液体収納製品を傾けて内部の液体を流出させる際、液体容器本体２２０Ｍの折れ曲がりを防止する第１の工夫について述べる。
図６７の液体排出ヘッド１０Ｍ’は、ヘッドキャップ１５Ｍ、構造体１６Ｍ、上面開口１７Ｍに加え、支持棒１８Ｍを備えている。支持棒１８Ｍは、液体容器２００Ｍを装着したホルダー１００Ｍに液体排出ヘッド１０Ｍを取り付ける際、液体容器筒体２１０Ｍから液体容器本体２２０Ｍ内に挿入される形となる。
【０１１７】
図６８（Ａ）は、液体容器２００Ｍを装着したホルダー１００Ｍに液体排出ヘッド１０Ｍ’を取り付けた様子を示す図である。支持棒１８Ｍが分かりやすいように、グリップ補強具１４０Ｍが透けるように描かれている。支持棒１８Ｍの長さは液体排出ヘッド１０Ｍ’をホルダー１００Ｍに取り付けた場合に液体容器本体２２０Ｍの底近くに至る長さとなっており、支持棒１８Ｍが液体容器２００Ｍ内の芯となる働きをする。
図６８（Ｂ）に示すように、液体収納製品を傾けて、液体排出ヘッド１０Ｍ’の上面開口１７Ｍから液体を流出させる間、液体容器本体２２０が可撓性を持つフィルム素材などであり、中身の液体の移動などに伴い、液体容器本体２２０Ｍが折れ曲がりやすい場合でも、支持棒１８Ｍが芯となり、液体容器本体２２０Ｍが折れ曲がることがなくなる。
なお、支持棒１８Ｍは直接液体容器本体２２０内の液体に投入されるため、液体が飲料用途、コンタクトレンズ洗浄剤のような衛生用途に用いられる場合、衛生面を考慮して抗菌コートを施したり、材質をガラス、ステンレスなどとする工夫を施すことも好ましい。
また、支持棒１８Ｍを多機能化し、液体浄化機能を持たせたりすることも可能である。例えば、液体が飲料水の場合、支持棒１８Ｍ内に活性炭など水質改善剤を搭載させ、支持棒１８Ｍの表面を多孔質とすれば、支持棒１８Ｍに水質改善機能を持たせることができる。
【０１１８】
液体容器本体２２０Ｍの折れ曲がりを防止する第２の工夫について述べる。上記の第１の工夫は、液体排出ヘッドに支持棒１８Ｍを設ける構成例であったが、第２の工夫は、液体容器本体のフィルム内に折れ曲がりを防止する構造体として支柱２１８Ｍを内蔵する構成例である。図６９に示すように、液体容器２００Ｍの中に支柱２１８Ｍが設けられている。この例では太い支柱が構造体として液体容器筒口２１０Ｍから下方に伸びているが、平板状の支柱をフィルム内に埋め込む形で下方に伸ばす構成や、フィルムの壁面の一部を盛り上げて当該個所のみ肉厚を厚くし、支柱に相当する構造体をフィルム上に形成して支柱としての役割を担わせても良い。
図６９の右側は、液体容器筒体２１０Ｍを下方から見た様子を示す図である。液体容器筒体２１０Ｍの下面には多数の孔が設けられている。液体収納製品全体を傾けることにより、液体容器２００Ｍ内の液体がこの孔から液体容器筒体２１０Ｍ内に入り、液体容器筒体２１０Ｍ内を通り、上面開口２１１Ｍから外部に流出する。
なお、支柱をフィルム内に内蔵して折れ曲がりを防止する工夫は、本発明の第１から第４の液体収納製品に限らず、詰め替え用の液体が充填された交換用パックである液体収納製品に広く適用できる。
【０１１９】
以上が、実施例１３の液体収納製品の基本構成例と、各構成部品の組み立て例である。例えば、この状態で液体収納製品として市販される。また、液体容器のみを交換用パックの液体収納製品として別売りすることができる。
利用者が液体容器２００Ｍ内の液体を使い切ると、上記の図６４と逆の手順で各構成部品を分解し、使い切った液体容器２００Ｍを取り出し、交換用の新しい液体容器２００Ｍを用いて上記図６４の手順で組み立てる。
この実施例１３の構成においても、実施例１と同様、閉塞キャップの高さの工夫を行なうことができる。
【実施例１４】
【０１２０】
実施例１４は、本発明の第１から第４の液体収納製品のバリエーションとして、液体排出ヘッドとして上面に開口を持ち、当該上面開口を塞ぐ蓋を備えた蓋付きの液体排出ヘッドを用いた例である。ここでは、一例として第２の液体収納製品について適用した例を示す。
図７０は、本発明の実施例１４の液体収納製品を分解してその構成部品を模式的に示した図（右側面図）である。本発明の実施例１４の液体収納製品も、液体排出ヘッド１０Ｎ、ホルダー１００Ｎ、液体容器２００Ｎの３つの構成部品を備えている。図７０の例では、ホルダー１００Ｎは実施例１３のホルダー１００Ｍと同様であり、液体容器２００Ｎは、実施例１３の液体容器２００Ｍと同様である。
本実施例１４の液体収納製品において、グリップ補強具１４０Ｎを備えることも可能である。グリップ補強具１４０Ｎはカバー１５０Ｎとしての役割も兼務している。この実施例１４はグリップ補強具１４０Ｎを装着する工夫を施す例として説明する。グリップ補強具１４０Ｎは実施例１３の図６３と同様であり、図７０にはグリップ補強具１４０Ｎの図示を省略している。
【０１２１】
図７１は、実施例１４の液体排出ヘッド１０Ｎの６面図と、蓋を開いた様子を示す参考図である。なお、背面図、右側面図、左側面図は正面図と同じであり図示を省略している。
蓋付ヘッドキャップである液体排出ヘッド１０Ｎは、ヘッドキャップ１５Ｎと、液切り構造体２２Ｎと、蓋２３Ｎと、上面開口１７Ｎを備えている。この蓋付ヘッドキャップである液体排出ヘッド１０Ｎは例えば、食用油ボトルのヘッドキャップ、醤油ボトルのヘッドキャップなどとして広く用いられている。
【０１２２】
図７２は、実施例１４の液体収納製品を組み立てる作業手順を模式的に示した図である。
まず、図７２の左側の図に示すように、液体容器本体２２０Ｎを壁面開口１２２Ｎから挿入し、実施例９と同様の手順により液体容器筒体２１０Ｎを支持体１３０Ｎに支持させて、液体容器２００Ｎをホルダー１００Ｎに装着し、閉塞キャップ２３０Ｎを取り去る。支持体１３０Ｎにより液体容器筒体２１０Ｎの上下方向の移動が制限される。
次に、図７２の中央の図に示すように、液体容器筒体２１０Ｎの上面開口を閉塞しているプルトップキャップ２３１Ｎを取り去り、上面開口２１１Ｎを開け、グリップ補強具１４０Ｎを上から被せて装着する。グリップ補強具１４０Ｎの内壁がホルダーボディ１２０Ｎの外壁と密着し、上面開口１５１Ｎから液体容器筒体の構造体２１２Ｎとホルダー筒口１１０Ｎが突出し、グリップ補強具１４０Ｎはホルダーボディ１２０Ｎの上側筐体にぴったり沿う形となる。なお、実施例９の図４３（Ａ）、実施例１２の図５９のようにグリップ補強具１４０Ｎの高さを工夫すれば、グリップ補強具１４０Ｎにより液体容器筒体２１０Ｎの水平方向の移動が制限される。
次に、図７２の右側の図に示すように、液体容器筒体の構造体２１２Ｎに対して、液体排出ヘッド１０Ｎを螺合して取り付ける。液体容器筒体の閉じ込め効果が得られ、さらに、ヘッドキャップ１５Ｎの下縁がグリップ補強具１４０Ｎの上縁を押え付ける状態とすれば、実施例９において説明した原理と同様、液体容器筒体２１０Ｎと支持体１３０Ｎの間の締め付け効果、摩擦力増大によるスライド防止効果が得られる。
液体排出ヘッド１０Ｎは上面開口１７Ｎと当該上面開口１７Ｎの開閉蓋２３Ｎを持っており、図７３に示すように、蓋２３Ｎを開き、液体収納製品全体を傾けることにより、液体容器本体２２０Ｎ内の液体を液体容器筒体２１０Ｎ、上面開口２１１Ｎ、液体排出ヘッド１０Ｎの上面開口１７Ｎを介して外部に流出させることができる。
【０１２３】
なお、液体容器筒体２１０Ｎから液体をスムーズに流出させるために、液体容器筒体２１０Ｎをある程度太くする工夫を施すことも好ましい。また、実施例１３の図６６と同様、液体容器本体２２０Ｎにおいて液体容器筒体２１０Ｎを封止するためのヒートシールや糊付けをする領域を領域２２１Ｎの範囲で行なう工夫を施すことも好ましい。また、液体容器本体２２０Ｎの折れ曲がりを防止するために液体排出ヘッド１０Ｎに支持棒１８Ｎを設ける工夫を施すことも好ましい。
蓋付ヘッドキャップである液体排出ヘッド１０Ｎを取り付けて利用することにより、いわゆるキャップ付きのボトル容器に適用することができる。筐体の形状は特に限定されない。
【０１２４】
図７４は上記例とは異なる形状の例である。図７４の構成例は、ホルダー１００Ｐのホルダーボディの形状が異なり、また、取っ手を備えている。図７５は図７４に示したホルダー１００Ｐに対応するカバー１５０Ｐの６面図である。なお、左側面図は右側面図と同じであるので図示を省略している。カバー１５０Ｐは、図７４のホルダー１００Ｐの形状に応じてカバー１５０Ｐの形状も異なっており、取っ手に応じた切り欠きを持っている。図７６は、図７４の液体収納製品を組み立てる作業手順を模式的に示した図である。図７７は液体収納製品全体を傾けて内部の液体を注ぎ出している様子を示す図である。
【０１２５】
以上が、実施例１４の液体収納製品の基本構成例と、各構成部品の組み立て例である。例えば、この状態で液体収納製品として市販される。また、液体容器のみを交換用パックの液体収納製品として別売りすることができる。
利用者が液体容器２００Ｐ内の液体を使い切ると、上記の図７２と逆の手順で各構成部品を分解し、使い切った液体容器２００Ｐを取り出し、交換用の新しい液体容器２００Ｐを用いて上記図７２の手順で組み立てる。
この実施例１４の構成においても、実施例１と同様、閉塞キャップの高さの工夫を行なうことができる。
上記構成例において、交換用パックの液体容器に詰める液体も特に限定されず、醤油、ソース、天ぷら油、液体調味料、水、飲料、各種の薬剤、洗剤、化学剤など多様なものがある。
【実施例１５】
【０１２６】
実施例１５は、本発明の第１から第４の液体収納製品のバリエーションとして、実施例１４と同様、液体排出ヘッドとして上面に開口を持ち、当該上面開口を塞ぐ蓋を備えた蓋付きの液体排出ヘッドを用いた例であるが、実施例１５の液体収納製品の液体排出ヘッド１０Ｑは、上面開口を持ち、当該上面開口を塞ぐ蓋を備えた蓋付きのヘッドキャップとなっている。当該蓋はヘッドキャップに対して螺合式で取り付ける。液体排出ヘッド１０Ｑのヘッドキャップ１５Ｑが液体容器２００Ｑに対して螺合式で取り付けられるものとすると、実施例１５の液体排出ヘッド１０Ｑは、下方において液体容器２００Ｑと螺合し合い、上方において蓋２３Ｑと螺合し合う構造となっている。
【０１２７】
図７８は、本発明の実施例１５の液体収納製品を分解してその構成部品を模式的に示した図（右側面図）である。本発明の実施例１５の液体収納製品も、液体排出ヘッド１０Ｑ、ホルダー１００Ｑ、液体容器２００Ｑの３つの構成部品を備えている。図７８の例では、ホルダー１００Ｑは実施例１３のホルダー１００Ｍと同様であり、液体容器２００Ｑは、実施例１３の液体容器２００Ｍと同様である。
本実施例１５の液体収納製品において、グリップ補強具１４０Ｑやカバー１５０Ｑを備えることも可能である。この実施例１５はカバー１５０Ｑを装着する工夫を施す例として説明する。カバー１５０Ｑは実施例１４の図７５と同様であり、図７８にはカバー１５０Ｑの図示を省略している。
【０１２８】
図７９は、実施例１５の液体排出ヘッド１０Ｑの６面図と、蓋を開いた様子を示す参考図である。なお、背面図、右側面図、左側面図は正面図と同じであり図示を省略している。
蓋付ヘッドキャップである液体排出ヘッド１０Ｑは、ヘッドキャップ１５Ｑと、蓋２３Ｑと、上面開口１７Ｑを備えている。蓋２３Ｑは上面開口１７Ｑを形成する筒口２４Ｑに対して螺合により取り付けられている。
【０１２９】
図８０は、実施例１５の液体収納製品を組み立てる作業手順を模式的に示した図である。
まず、図８０の左側の図に示すように、液体容器本体２２０Ｑを壁面開口１２２Ｑから挿入し、実施例９と同様の手順により液体容器筒体２１０Ｑを支持体１３０Ｑに支持させて、液体容器２００Ｑをホルダー１００Ｑに装着し、閉塞キャップ２３０Ｑを取り去る。
次に、図８０の中央の図に示すように、液体容器筒体２１０Ｑの上面開口を閉塞しているプルトップキャップ２３１Ｑを取り去り、上面開口２１１Ｑを開け、グリップ補強具１４０Ｑを上から被せて装着する。
次に、図８０の右側の図に示すように、液体容器筒体の構造体２１２Ｑに対して、液体排出ヘッド１０Ｑを螺合して取り付ける。
液体排出ヘッド１０Ｑは上面開口１７Ｑと当該上面開口１７Ｑの開閉蓋２３Ｑを持っており、図８１に示すように、蓋２３Ｑを開き、液体収納製品全体を傾けることにより、液体容器本体２２０Ｎ内の液体を液体容器筒体２１０Ｑ、上面開口２１１Ｑ、液体排出ヘッド１０Ｑの上面開口１７Ｑを介して外部に流出させることができる。
【０１３０】
実施例１３の図６６と同様、液体容器本体２２０Ｑにおいて液体容器筒体２１０Ｑを封止するためのヒートシールや糊付けをする領域を領域２２１Ｑの範囲で行なう工夫を施すことも好ましい。また、液体容器本体２２０Ｑの折れ曲がりを防止するために液体排出ヘッド１０Ｑに支持棒１８Ｑを設ける工夫を施すことも好ましい。
蓋付ヘッドキャップである液体排出ヘッド１０Ｑを取り付けて利用することにより、いわゆるキャップ付きのボトル容器に適用することができる。筐体の形状は特に限定されない。
以上が、実施例１５の液体収納製品の基本構成例と、各構成部品の組み立て例である。例えば、この状態で液体収納製品として市販される。また、液体容器のみを交換用パックの液体収納製品として別売りすることができる。
利用者が液体容器２００Ｑ内の液体を使い切ると、上記の図８０と逆の手順で各構成部品を分解し、使い切った液体容器２００Ｑを取り出し、交換用の新しい液体容器２００Ｑを用いて上記図８０の手順で組み立てる。
この実施例１５の構成においても、実施例１と同様、閉塞キャップの高さの工夫を行なうことができる。
【実施例１６】
【０１３１】
本発明の第１から第４のいずれの液体収納製品においても、ホルダー筒口の側面開口、支持体の切り欠き、ホルダーボディの壁面開口などが設けられている方向は、どの方向であっても良い。一例として、実施例１６は、ホルダー筒口およびホルダーボディの壁面開口の位置を背面側に設けた例を示す。このようにホルダー筒口およびホルダーボディの壁面開口を背面側に設ける構造は、本発明の第１から第４の液体収納製品の構成例として説明した実施例１から実施例１５のいずれであっても適用することができる。
この構成例は、一例として実施例１の液体収納製品について適用した例を示している。
【０１３２】
図８２は、本発明の実施例１６の液体収納製品を分解してその構成部品を模式的に示した図（右側面図）である。本発明の実施例１６の液体収納製品も、液体排出ヘッド１０Ｒ、ホルダー１００Ｒ、液体容器２００Ｒの３つの構成部品を備えている。
本実施例１６の液体収納製品において、グリップ補強具１４０Ｒを備えることも可能である。この実施例１６はグリップ補強具１４０Ｒを装着する工夫を施す例として説明する。グリップ補強具１４０Ｒは実施例１の図１０と同様であり、図８２にはグリップ補強具１４０Ｒの図示を省略している。
液体排出ヘッド１０Ｒは、実施例１の液体排出ヘッド１０と同様で良い。
ホルダー１００Ｒは、実施例１のホルダー１００と比べ、ホルダーボディの壁面開口１２２Ｒの配置位置が異なっている。
【０１３３】
図８３は、実施例１６のホルダー１００Ｒの６面図である。壁面開口１２２Ｒがホルダーボディの背面側に設けられ、また、ホルダー筒口１１０Ｒの側面開口１１２Ｒと支持体１３０Ｒの切り欠き１３１Ｒが背面側に設けられている。
【０１３４】
図８４は実施例１６の液体容器２００Ｒの６面図である。なお、背面図は正面図と同じであるため図示を省略している。
液体容器２００Ｒは、実施例１の液体容器２００と同様で良いが、支持体１３０Ｒが背面側に設けられ、液体容器２００Ｒは液体容器筒体２１０Ｒの正面方向から支持体１３０Ｒに取り付けられるため、構造体の取り付け方向を工夫する必要がある。
液体容器２００Ｒの構造体２１２Ｒと構造体２１６Ｒは実施例１の液体容器２００のものと同じで良いが、構造体２１３Ｒと構造体２１４Ｒと構造体２１５Ｒの横幅を調整する。構造体２１３Ｒの横幅が側面開口１１２Ｒの幅より小さく、支持体１３０Ｒの切り欠き１３１Ｒより大きいものとする。構造体２１４Ｒの横幅を支持体１３０Ｒの切り欠き１３１Ｒに合致する大きさとする。構造体２１５Ｒの横幅を壁面開口１２２Ｒを通過できる大きさで支持体１３０Ｒの切り欠き１３１Ｒより大きいものとする。当該調整により液体容器筒体２１０Ｒを支持体１３０Ｒに嵌合させることができ、また液体容器筒体２１０Ｒの上下方向の移動が制動されることとなり、支持体１３０Ｒに液体容器筒体２１０Ｒを取り付けて支持させることができる。
【０１３５】
図８５は、実施例１６の液体収納製品を組み立てる作業手順を模式的に示した図である。
まず、図８５に示すように、液体容器本体２２０Ｒを壁面開口１２２Ｒから挿入し、実施例１と同様の手順により液体容器筒体２１０Ｒを支持体１３０Ｒに支持させて、液体容器２００Ｒをホルダー１００Ｒに装着する。
次に、図８６の中央の図に示すように、グリップ補強具１４０Ｒをホルダー１００Ｒに装着する。
次に、図８６の右側の図に示すように、液体噴霧ヘッド１０Ｒを装着する。
組み立てた液体収納製品の６面図は実施例１の図１３と同様である。例えば、この状態で液体収納製品として市販される。また、液体容器のみを交換用パックの液体収納製品として別売りすることができる。
【０１３６】
以上が、実施例１６の液体収納製品の基本構成例と、各構成部品の組み立て例である。
利用者が液体容器２００Ｒ内の液体を使い切ると、上記の図８５および図８６と逆の手順で各構成部品を分解し、使い切った液体容器２００Ｒを取り出し、交換用の新しい液体容器２００Ｒを用いて上記図８５および図８６の手順で組み立てる。
この実施例１６の構成においても、実施例１と同様、液体噴霧ヘッドの液体導入管の弾力性の工夫、閉塞キャップの高さの工夫を行なうことができる。
【０１３７】
以上の実施例１から実施例１６は一例であって、本発明の液体収納製品は本発明の技術思想の範囲内で広く適用することができる。
【産業上の利用可能性】
【０１３８】
本発明の液体収納製品は、多様な液体収納製品に適用することができる。
液体噴霧ヘッドを取り付けて利用することにより、いわゆる液体噴霧容器に適用することができる。また、ノズル形状を選択することにより、液体を霧状に噴霧するもの、泡状の噴霧するもの、複数の細い液流として噴霧するものなど多様なものが可能である。交換用パックの液体容器に詰める液体も特に限定されず、例えば、液体として、各種の薬剤、洗剤、化学剤など多様なものがある。
液体ポンプヘッドを取り付けて利用することにより、いわゆる液体ポンプ容器に適用することができる。交換用パックの液体容器に詰める液体も特に限定されず、例えば、液体として、各種のシャンプー、リンス、ボディソープなどの洗剤など多様なものがある。
上面開口を持つヘッドキャップを取り付けて利用することにより、いわゆるボトル容器に適用することができる。交換用パックの液体容器に詰める液体も特に限定されず、食器洗剤、コンタクトレンズ洗浄剤など多様なものがある。
開閉蓋付きヘッドキャップと取り付けて利用することにより、いわゆるキャップ付きボトル容器に適用することができる。交換用パックの液体容器に詰める液体も特に限定されず、醤油、ソース、天ぷら油、液体調味料、水、飲料、各種の薬剤、洗剤、化学剤など多様なものがある。
ホルダーとして、各種プラスチック、ガラス、金属など多様な素材を用いることができる。
【図面の簡単な説明】
【０１３９】
【図１】本発明の実施例１の液体収納製品を分解してその構成部品を模式的に示した図
【図２】本発明の実施例１のホルダー１００の６面図を模式的に並べて示した図
【図３】本発明の実施例１の液体容器２００の６面図を模式的に並べて示した図
【図４】本発明の実施例１のホルダー筒口１１０、支持体１３０、液体容器筒体２１０の構造を詳しく示す図
【図５】本発明の実施例１の液体容器２００をホルダー１００に装着する様子を模式的に示す図
【図６】本発明の実施例１の液体容器筒体２１０を支持体１３０に取り付ける様子を模式的に示す図
【図７】本発明の実施例１の閉塞キャップ２３０の高さの工夫を説明する図
【図８】本発明の実施例１の液体噴霧ヘッド１０を装着する様子を模式的に示す図
【図９】本発明の実施例１の液体噴霧ヘッドの液体導入管１２の弾力性の工夫を説明する図
【図１０】本発明の実施例１のグリップ補強具の一例を示す図
【図１１】本発明の実施例１のグリップ補強具１４０をホルダー１００に装着する様子を説明する図
【図１２】本発明の実施例１のグリップ補強具を取り付ける場合の液体噴霧ヘッド１０を装着する様子を示す図
【図１３】本発明の実施例１のグリップ補強具１４０を取り付けた場合の液体収納製品の６面図
【図１４】本発明の実施例２の液体収納製品を分解してその構成部品を模式的に示した図
【図１５】本発明の実施例２の液体収納製品の組み立て手順を模式的に示す図
【図１６】本発明の実施例３の液体収納製品を分解してその構成部品を模式的に示した図
【図１７】本発明の実施例３の液体容器２００ｂをホルダー１００ｂに装着する様子を模式的に示した図
【図１８】本発明の実施例３の液体収納製品の組み立て手順を模式的に示す図
【図１９】本発明の実施例４の液体収納製品を分解してその構成部品を模式的に示した図
【図２０】本発明の実施例４の液体収納製品の組み立て手順を模式的に示す図
【図２１】本発明の実施例５の液体収納製品を分解してその構成部品を模式的に示した図
【図２２】本発明の実施例５の支持体１３０ｄ、液体容器筒体２１０ｄ、それらを垂直嵌合する様子を示す図
【図２３】本発明の実施例５のホルダー１００ｄに液体容器２００ｄを装着する様子を模式的に示す図
【図２４】本発明の実施例５のホルダー１００ｄにグリップ補強具１４０ｄを装着し、さらに液体噴霧ヘッドを装着する手順を示す図
【図２５】本発明の実施例６の液体収納製品を分解してその構成部品を模式的に示した図
【図２６】本発明の実施例６のホルダー筒口１１０ｅ、支持体１３０ｅ、液体容器筒体２１０ｅの構造、取り付け手順を模式的に示す図
【図２７】本発明の実施例６のホルダー１００ｅに液体容器２００ｅを装着する様子を模式的に示す図
【図２８】本発明の実施例６のホルダー１００ｅにグリップ補強具１４０ｅを装着し、さらに液体噴霧ヘッドを装着する手順を示す図
【図２９】本発明の実施例７の液体収納製品を分解してその構成部品を模式的に示した図
【図３０】本発明の実施例７のコンセントプラグ方式の一例を示す図
【図３１】本発明の実施例７のホルダー１００ｆに液体容器２００ｆを装着する様子を模式的に示す図
【図３２】本発明の実施例７のホルダー１００ｆにグリップ補強具１４０ｅを装着し、さらに液体噴霧ヘッドを装着する手順を示す図
【図３３】本発明の実施例８の液体収納製品を分解してその構成部品を模式的に示した図
【図３４】ホルダー筒口１１０ｇと、支持体１３０ｇと液体容器筒体２１０ｇの上部分とを取り出して嵌合し合う様子を示す図
【図３５】本発明の実施例８のホルダー１００ｇに液体容器２００ｇを装着する様子を模式的に示す図
【図３６】本発明の実施例８のホルダー１００ｇにグリップ補強具１４０ｇを装着し、さらに液体噴霧ヘッド１０ｇを装着する手順を示す図
【図３７】本発明の実施例９の液体収納製品を分解してその構成部品を模式的に示した図
【図３８】本発明の実施例９のホルダー１００ｈの６面図を模式的に並べて示した図
【図３９】本発明の実施例９の液体容器２００ｈの６面図を模式的に並べて示した図
【図４０】ホルダー筒口１１０ｈ、支持体１３０ｈ、液体容器筒体２１０ｈの構造、取り付け手順を模式的に示す図
【図４１】本発明の実施例９のホルダー１００ｈに液体容器２００ｈを装着する様子を模式的に示す図
【図４２】本発明の実施例９のホルダー１００ｈにグリップ補強具１４０ｈを装着し、さらに液体噴霧ヘッド１０ｈを装着する手順を示す図
【図４３】実施例９のヘッドキャップ１５ｈ、支持体１３０ｈ、構造体１１３ｈ、ホルダーボディ１２０ｈ、グリップ補強具１４０ｈの大きさの関係を説明する図
【図４４】本発明の実施例１０の液体収納製品を分解してその構成部品を模式的に示した図
【図４５】本発明の実施例１０のホルダー１００ｊの６面図
【図４６】本発明の実施例１０のグリップ補強具１４０ｊの６面図
【図４７】本発明の実施例１０の液体収納製品を組み立てる作業手順を模式的に示した図
【図４８】本発明の実施例１０の液体収納製品の６面図を模式的に並べて示したもの
【図４９】本発明の実施例１１の液体収納製品を分解してその構成部品を模式的に示した図
【図５０】本発明の実施例１１のホルダー１００ｋの６面図
【図５１】本発明の実施例１１の液体容器２００ｋの６面図
【図５２】本発明の実施例１１のカバー１５０ｋの一例を示す６面図
【図５３】本発明の実施例１１の液体収納製品を組み立てる作業手順を模式的に示した図
【図５４】本発明の実施例１１の液体収納製品の６面図
【図５５】本発明の実施例１２の液体収納製品を分解してその構成部品を模式的に示した図
【図５６】本発明の実施例１２のホルダー１００Ｌの６面図
【図５７】本発明の実施例１２の液体容器２００Ｌの６面図
【図５８】本発明の実施例１２の液体収納製品を組み立てる作業手順を模式的に示した図
【図５９】カバー１５０Ｌの首部分１５３Ｌの高さを工夫した例を模式的に示した図
【図６０】本発明の実施例１３の液体収納製品を分解してその構成部品を模式的に示した図
【図６１】本発明の実施例１３のホルダー１００Ｍの６面図
【図６２】本発明の実施例１３の液体容器２００Ｍの６面図
【図６３】本発明の実施例１３のグリップ補強具１４０Ｍの一例を示す６面図
【図６４】本発明の実施例１３の液体収納製品を組み立てる作業手順を模式的に示した図
【図６５】本発明の実施例１３の液体収納製品全体を傾けて液体容器２００Ｍの内部の液体を流出させる様子を示す図
【図６６】液体容器本体２２０Ｍにおいて液体容器筒体２１０Ｍを封止するためのヒートシールや糊付けをする領域の工夫を説明する図
【図６７】支持棒１８Ｍを備えた液体排出ヘッド１０Ｍ’の６面図
【図６８】本発明の実施例１３の液体容器２００Ｍを装着したホルダー１００Ｍに液体排出ヘッド１０Ｍ’を取り付けた様子を示す図
【図６９】液体容器２００Ｍが折れ曲がらないための第２の工夫を示す図
【図７０】本発明の実施例１４の液体収納製品を分解してその構成部品を模式的に示した図
【図７１】実施例１４の液体排出ヘッド１０Ｎの６面図と、蓋を開いた様子を示す参考図
【図７２】実施例１４の液体収納製品を組み立てる作業手順を模式的に示した図
【図７３】本発明の実施例１４の液体収納製品全体を傾けて液体容器２００Ｎの内部の液体を流出させる様子を示す図
【図７４】図７０の形状とは別形状の液体収納製品を分解してその構成部品を模式的に示した図
【図７５】図７４に示したホルダー１０Ｎに対応するグリップ補強具１４０Ｎを示す６面図
【図７６】図７４に示した液体収納製品を組み立てる作業手順を模式的に示した図
【図７７】液体収納製品全体を傾けて内部の液体を注ぎ出している様子を示す図
【図７８】本発明の実施例１５の液体収納製品を分解してその構成部品を模式的に示した図
【図７９】実施例１５の液体排出ヘッド１０Ｑの６面図と、蓋を開いた様子を示す参考図
【図８０】実施例１５の液体収納製品を組み立てる作業手順を模式的に示した図
【図８１】本発明の実施例１５の液体収納製品全体を傾けて液体容器２００Ｑの内部の液体を流出させる様子を示す図
【図８２】本発明の実施例１６の液体収納製品を分解してその構成部品を模式的に示した図
【図８３】本発明の実施例１６のホルダー１００Ｒの６面図
【図８４】本発明の実施例１６の液体容器２００Ｒの６面図
【図８５】実施例１６の液体収納製品を組み立てる作業手順を模式的に示した図
【図８６】本発明の実施例１６のホルダー１００Ｒにグリップ補強具１４０Ｒを装着し、さらに液体噴霧ヘッド１０Ｒを装着する手順を示す図
【符号の説明】
【０１４０】
１０  液体排出ヘッド
１５  ヘッドキャップ
１００  ホルダー
１１０  ホルダー筒口
１１１  上面開口
１１２  側面開口
１１３，１１４  ホルダー筒口の構造体
１２０  ホルダーボディ
１２１  上面開口
１２２  壁面開口
１３０  支持体
１４０  グリップ補強具
１５０  カバー
２００  液体容器
２１０  液体容器筒体
２１１  上面開口
２１２，２１３，２１４，２１５，２１６，２１７  液体容器筒体の構造体
２２０  液体容器本体
２３０  閉塞キャップ
【図１】
2005126139.tif 000003
【図２】
2005126139.tif 000004
【図３】
2005126139.tif 000005
【図４】
2005126139.tif 000006
【図５】
2005126139.tif 000007
【図６】
2005126139.tif 000008
【図７】
2005126139.tif 000009
【図８】
2005126139.tif 000010
【図９】
2005126139.tif 000011
【図１０】
2005126139.tif 000012
【図１１】
2005126139.tif 000013
【図１２】
2005126139.tif 000014
【図１３】
2005126139.tif 000015
【図１４】
2005126139.tif 000016
【図１５】
2005126139.tif 000017
【図１６】
2005126139.tif 000018
【図１７】
2005126139.tif 000019
【図１８】
2005126139.tif 000020
【図１９】
2005126139.tif 000021
【図２０】
2005126139.tif 000022
【図２１】
2005126139.tif 000023
【図２２】
2005126139.tif 000024
【図２３】
2005126139.tif 000025
【図２４】
2005126139.tif 000026
【図２５】
2005126139.tif 000027
【図２６】
2005126139.tif 000028
【図２７】
2005126139.tif 000029
【図２８】
2005126139.tif 000030
【図２９】
2005126139.tif 000031
【図３０】
2005126139.tif 000032
【図３１】
2005126139.tif 000033
【図３２】
2005126139.tif 000034
【図３３】
2005126139.tif 000035
【図３４】
2005126139.tif 000036
【図３５】
2005126139.tif 000037
【図３６】
2005126139.tif 000038
【図３７】
2005126139.tif 000039
【図３８】
2005126139.tif 000040
【図３９】
2005126139.tif 000041
【図４０】
2005126139.tif 000042
【図４１】
2005126139.tif 000043
【図４２】
2005126139.tif 000044
【図４３】
2005126139.tif 000045
【図４４】
2005126139.tif 000046
【図４５】
2005126139.tif 000047
【図４６】
2005126139.tif 000048
【図４７】
2005126139.tif 000049
【図４８】
2005126139.tif 000050
【図４９】
2005126139.tif 000051
【図５０】
2005126139.tif 000052
【図５１】
2005126139.tif 000053
【図５２】
2005126139.tif 000054
【図５３】
2005126139.tif 000055
【図５４】
2005126139.tif 000056
【図５５】
2005126139.tif 000057
【図５６】
2005126139.tif 000058
【図５７】
2005126139.tif 000059
【図５８】
2005126139.tif 000060
【図５９】
2005126139.tif 000061
【図６０】
2005126139.tif 000062
【図６１】
2005126139.tif 000063
【図６２】
2005126139.tif 000064
【図６３】
2005126139.tif 000065
【図６４】
2005126139.tif 000066
【図６５】
2005126139.tif 000067
【図６６】
2005126139.tif 000068
【図６７】
2005126139.tif 000069
【図６８】
2005126139.tif 000070
【図６９】
2005126139.tif 000071
【図７０】
2005126139.tif 000072
【図７１】
2005126139.tif 000073
【図７２】
2005126139.tif 000074
【図７３】
2005126139.tif 000075
【図７４】
2005126139.tif 000076
【図７５】
2005126139.tif 000077
【図７６】
2005126139.tif 000078
【図７７】
2005126139.tif 000079
【図７８】
2005126139.tif 000080
【図７９】
2005126139.tif 000081
【図８０】
2005126139.tif 000082
【図８１】
2005126139.tif 000083
【図８２】
2005126139.tif 000084
【図８３】
2005126139.tif 000085
【図８４】
2005126139.tif 000086
【図８５】
2005126139.tif 000087
【図８６】
2005126139.tif 000088
【手続補正書】
【提出日】平成16年3月18日(2004.3.18)
【手続補正１】
【補正対象書類名】特許請求の範囲
【補正対象項目名】請求項１
【補正方法】変更
【補正の内容】
【請求項１】
ヘッドキャップと、
液体容器筒体と、前記液体容器筒体の下部が封止され前記液体容器筒体を介して外部と導通する液体容器本体と、前記液体容器本体に充填された液体を備えた液体容器と、
上面開口および側面開口を持ち前記ヘッドキャップが取り付けられるホルダー筒口と、前記ホルダー筒口につながるホルダーボディであって壁面の一部に前記ホルダー筒口の側面開口とつながる壁面開口を持つ中空のホルダーボディと、前記ホルダー筒口または前記ホルダーボディに設けられ前記液体容器筒体を支持する支持体を備え、前記液体容器を内部に収納するホルダーと、
前記ホルダーボディのうち利用者が前記ホルダーを握る際に利用者の手がかかる部分であるグリップ部分を覆い、利用者による前記ホルダーの握り締めに抗する構造上の強度を与えるグリップ補強具であって、上面開口と底面開口と側壁を備えた、前記ホルダーボディの壁面上に被せて装着できる形状であり、利用者が前記側壁を握り締めることにより外界から前記ホルダーに加えられる力に抗する構造的強度を備えたグリップ補強具を備えた、内部に液体が収納されている液体収納製品。
【手続補正２】
【補正対象書類名】特許請求の範囲
【補正対象項目名】請求項２
【補正方法】変更
【補正の内容】
【請求項２】
ヘッドキャップと、
前記ヘッドキャップが取り付けられる液体容器筒体と、前記液体容器筒体の下部が封止され前記液体容器筒体を介して外部と導通する液体容器本体と、前記液体容器本体に充填された液体を備えた液体容器と、
上面開口および側面開口を持つホルダー筒口と、前記ホルダー筒口につながるホルダーボディであって壁面の一部に前記ホルダー筒口の側面開口とつながる壁面開口を持つ中空のホルダーボディと、前記ホルダー筒口または前記ホルダーボディに設けられ前記液体容器筒体を支持する支持体を備え、前記液体容器を内部に収納するホルダーと、
前記ホルダーボディのうち利用者が前記ホルダーを握る際に利用者の手がかかる部分であるグリップ部分を覆い、利用者による前記ホルダーの握り締めに抗する構造上の強度を与えるグリップ補強具であって、上面開口と底面開口と側壁を備えた、前記ホルダーボディの壁面上に被せて装着できる形状であり、利用者が前記側壁を握り締めることにより外界から前記ホルダーに加えられる力に抗する構造的強度を備えたグリップ補強具を備えた、内部に液体が収納されている液体収納製品。
【手続補正３】
【補正対象書類名】特許請求の範囲
【補正対象項目名】請求項６
【補正方法】変更
【補正の内容】
【請求項６】
ヘッドキャップと、
液体容器筒体と、前記液体容器筒体の下部が封止され前記液体容器筒体を介して外部と導通する液体容器本体と、前記液体容器本体に充填された液体を備えた液体容器と、
上面開口および側面開口を持ち前記ヘッドキャップが取り付けられるホルダー筒口と、前記ホルダー筒口につながるホルダーボディであって壁面の一部に前記ホルダー筒口の側面開口とつながる壁面開口を持つ中空のホルダーボディと、前記ホルダー筒口または前記ホルダーボディに設けられ前記液体容器筒体を支持する支持体を備え、前記液体容器を内部に収納するホルダーと、
前記ホルダーボディの壁面開口全体を覆うカバーであって、上面開口と底面開口を備えた、前記ホルダーボディの壁面上に被せて装着できる形状であり、外界から前記ホルダーに加えられる力に抗する構造的強度を備えたカバーを備えた、内部に液体が収納されている液体収納製品。
【手続補正４】
【補正対象書類名】特許請求の範囲
【補正対象項目名】請求項７
【補正方法】変更
【補正の内容】
【請求項７】
ヘッドキャップと、
前記ヘッドキャップが取り付けられる液体容器筒体と、前記液体容器筒体の下部が封止され前記液体容器筒体を介して外部と導通する液体容器本体と、前記液体容器本体に充填された液体を備えた液体容器と、
上面開口および側面開口を持つホルダー筒口と、前記ホルダー筒口につながるホルダーボディであって壁面の一部に前記ホルダー筒口の側面開口とつながる壁面開口を持つ中空のホルダーボディと、前記ホルダー筒口または前記ホルダーボディに設けられ前記液体容器筒体を支持する支持体を備え、前記液体容器を内部に収納するホルダーと、
前記ホルダーボディの壁面開口全体を覆うカバーであって、上面開口と底面開口を備えた、前記ホルダーボディの壁面上に被せて装着できる形状であり、外界から前記ホルダーに加えられる力に抗する構造的強度を備えたカバーを備えた、内部に液体が収納されている液体収納製品。
【手続補正５】
【補正対象書類名】明細書
【補正対象項目名】０００９
【補正方法】変更
【補正の内容】
【０００９】
本発明の第１の液体収納製品は、
ヘッドキャップと、
液体容器筒体と、前記液体容器筒体の下部が封止され前記液体容器筒体を介して外部と導通する液体容器本体と、前記液体容器本体に充填された液体を備えた液体容器と、
上面開口および側面開口を持ち前記ヘッドキャップが取り付けられるホルダー筒口と、前記ホルダー筒口につながるホルダーボディであって壁面の一部に前記ホルダー筒口の側面開口とつながる壁面開口を持つ中空のホルダーボディと、前記ホルダー筒口または前記ホルダーボディに設けられ前記液体容器筒体を支持する支持体を備え、前記液体容器を内部に収納するホルダーと、
前記ホルダーボディのうち利用者が前記ホルダーを握る際に利用者の手がかかる部分であるグリップ部分を覆い、利用者による前記ホルダーの握り締めに抗する構造上の強度を与えるグリップ補強具であって、上面開口と底面開口と側壁を備えた、前記ホルダーボディの壁面上に被せて装着できる形状であり、利用者が前記側壁を握り締めることにより外界から前記ホルダーに加えられる力に抗する構造的強度を備えたグリップ補強具を備えた、内部に液体が収納されている液体収納製品である。
本発明の第２の液体収納製品は、
ヘッドキャップと、
前記ヘッドキャップが取り付けられる液体容器筒体と、前記液体容器筒体の下部が封止され前記液体容器筒体を介して外部と導通する液体容器本体と、前記液体容器本体に充填された液体を備えた液体容器と、
上面開口および側面開口を持つホルダー筒口と、前記ホルダー筒口につながるホルダーボディであって壁面の一部に前記ホルダー筒口の側面開口とつながる壁面開口を持つ中空のホルダーボディと、前記ホルダー筒口または前記ホルダーボディに設けられ前記液体容器筒体を支持する支持体を備え、前記液体容器を内部に収納するホルダーと、
前記ホルダーボディのうち利用者が前記ホルダーを握る際に利用者の手がかかる部分であるグリップ部分を覆い、利用者による前記ホルダーの握り締めに抗する構造上の強度を与えるグリップ補強具であって、上面開口と底面開口と側壁を備えた、前記ホルダーボディの壁面上に被せて装着できる形状であり、利用者が前記側壁を握り締めることにより外界から前記ホルダーに加えられる力に抗する構造的強度を備えたグリップ補強具を備えた、内部に液体が収納されている液体収納製品である。
【手続補正６】
【補正対象書類名】明細書
【補正対象項目名】００１１
【補正方法】変更
【補正の内容】
【００１１】
次に、本発明の第３の液体収納製品は、
ヘッドキャップと、
液体容器筒体と、前記液体容器筒体の下部が封止され前記液体容器筒体を介して外部と導通する液体容器本体と、前記液体容器本体に充填された液体を備えた液体容器と、
上面開口および側面開口を持ち前記ヘッドキャップが取り付けられるホルダー筒口と、前記ホルダー筒口につながるホルダーボディであって壁面の一部に前記ホルダー筒口の側面開口とつながる壁面開口を持つ中空のホルダーボディと、前記ホルダー筒口または前記ホルダーボディに設けられ前記液体容器筒体を支持する支持体を備え、前記液体容器を内部に収納するホルダーと、
前記ホルダーボディの壁面開口全体を覆うカバーであって、上面開口と底面開口を備えた、前記ホルダーボディの壁面上に被せて装着できる形状であり、外界から前記ホルダーに加えられる力に抗する構造的強度を備えたカバーを備えた、内部に液体が収納されている液体収納製品である。
本発明の第４の液体収納製品は、
ヘッドキャップと、
前記ヘッドキャップが取り付けられる液体容器筒体と、前記液体容器筒体の下部が封止され前記液体容器筒体を介して外部と導通する液体容器本体と、前記液体容器本体に充填された液体を備えた液体容器と、
上面開口および側面開口を持つホルダー筒口と、前記ホルダー筒口につながるホルダーボディであって壁面の一部に前記ホルダー筒口の側面開口とつながる壁面開口を持つ中空のホルダーボディと、前記ホルダー筒口または前記ホルダーボディに設けられ前記液体容器筒体を支持する支持体を備え、前記液体容器を内部に収納するホルダーと、
前記ホルダーボディの壁面開口全体を覆うカバーであって、上面開口と底面開口を備えた、前記ホルダーボディの壁面上に被せて装着できる形状であり、外界から前記ホルダーに加えられる力に抗する構造的強度を備えたカバーを備えた、内部に液体が収納されている液体収納製品である。
【手続補正書】
【提出日】平成16年3月19日(2004.3.19)
【手続補正１】
【補正対象書類名】特許請求の範囲
【補正対象項目名】全文
【補正方法】変更
【補正の内容】
【特許請求の範囲】
【請求項１】
ヘッドキャップと、
液体容器筒体と、前記液体容器筒体の下部が封止され前記液体容器筒体を介して外部と導通する液体容器本体と、前記液体容器本体に充填された液体を備えた液体容器と、
上面開口および側面開口を持ち前記ヘッドキャップが取り付けられるホルダー筒口と、前記ホルダー筒口につながるホルダーボディであって壁面の一部に前記ホルダー筒口の側面開口とつながる壁面開口を持つ中空のホルダーボディと、前記ホルダー筒口または前記ホルダーボディに設けられ前記液体容器筒体を支持する支持体を備え、前記液体容器を内部に収納するホルダーと、
前記ホルダーボディのうち利用者が前記ホルダーを握る際に利用者の手がかかる部分であるグリップ部分を覆い、利用者による前記ホルダーの握り締めに抗する構造上の強度を与えるグリップ補強具であって、上面開口と底面開口と側壁を備えた、前記ホルダーボディの壁面上に被せて装着できる形状であり、利用者が前記側壁を握り締めることにより外界から前記ホルダーに加えられる力に抗する構造的強度を備えたグリップ補強具を備えた、内部に液体が収納されている液体収納製品。
【請求項２】
ヘッドキャップと、
前記ヘッドキャップが取り付けられる液体容器筒体と、前記液体容器筒体の下部が封止され前記液体容器筒体を介して外部と導通する液体容器本体と、前記液体容器本体に充填された液体を備えた液体容器と、
上面開口および側面開口を持つホルダー筒口と、前記ホルダー筒口につながるホルダーボディであって壁面の一部に前記ホルダー筒口の側面開口とつながる壁面開口を持つ中空のホルダーボディと、前記ホルダー筒口または前記ホルダーボディに設けられ前記液体容器筒体を支持する支持体を備え、前記液体容器を内部に収納するホルダーと、
前記ホルダーボディのうち利用者が前記ホルダーを握る際に利用者の手がかかる部分であるグリップ部分を覆い、利用者による前記ホルダーの握り締めに抗する構造上の強度を与えるグリップ補強具であって、上面開口と底面開口と側壁を備えた、前記ホルダーボディの壁面上に被せて装着できる形状であり、利用者が前記側壁を握り締めることにより外界から前記ホルダーに加えられる力に抗する構造的強度を備えたグリップ補強具を備えた、内部に液体が収納されている液体収納製品。
【請求項３】
前記グリップ補強具を前記ホルダーに被せて装着した状態において、前記液体容器筒体の少なくとも一部が前記グリップ補強具の中に挿入された状態であり、
前記液体容器筒体の水平方向の移動が前記グリップ補強具および前記ホルダーにより制限され、
前記液体容器筒体の垂直方向の移動が前記支持体および前記ヘッドキャップにより制限された請求項１または２のいずれかに記載の液体収納製品。
【請求項４】
前記グリップ補強具を前記ホルダーに被せて装着した状態において、前記グリップ補強具の上縁部分が前記支持体より上に位置し、当該上縁部分の内周形状が前記ホルダーに取り付けられている液体容器筒体の外周形状と沿う形で嵌合し合うものである請求項２または３に記載の液体収納製品。
【請求項５】
前記ヘッドキャップを取り付けた状態において、前記ヘッドキャップの下縁が、前記ホルダー、前記支持体、前記グリップ補強具のいずれかの上縁を押え付け、前記ヘッドキャップ、前記ホルダー、前記グリップ補強具が締め合って固定されることを特徴とした、請求項１から４のいずれかに記載の液体収納製品。
【請求項６】
ヘッドキャップと、
液体容器筒体と、前記液体容器筒体の下部が封止され前記液体容器筒体を介して外部と導通する液体容器本体と、前記液体容器本体に充填された液体を備えた液体容器と、
上面開口および側面開口を持ち前記ヘッドキャップが取り付けられるホルダー筒口と、前記ホルダー筒口につながるホルダーボディであって壁面の一部に前記ホルダー筒口の側面開口とつながる壁面開口を持つ中空のホルダーボディと、前記ホルダー筒口または前記ホルダーボディに設けられ前記液体容器筒体を支持する支持体を備え、前記液体容器を内部に収納するホルダーと、
前記ホルダーボディの壁面開口全体を覆うカバーであって、上面開口と底面開口を備えた、前記ホルダーボディの壁面上に被せて装着できる形状であり、外界から前記ホルダーに加えられる力に抗する構造的強度を備えたカバーを備えた、内部に液体が収納されている液体収納製品。
【請求項７】
ヘッドキャップと、
前記ヘッドキャップが取り付けられる液体容器筒体と、前記液体容器筒体の下部が封止され前記液体容器筒体を介して外部と導通する液体容器本体と、前記液体容器本体に充填された液体を備えた液体容器と、
上面開口および側面開口を持つホルダー筒口と、前記ホルダー筒口につながるホルダーボディであって壁面の一部に前記ホルダー筒口の側面開口とつながる壁面開口を持つ中空のホルダーボディと、前記ホルダー筒口または前記ホルダーボディに設けられ前記液体容器筒体を支持する支持体を備え、前記液体容器を内部に収納するホルダーと、
前記ホルダーボディの壁面開口全体を覆うカバーであって、上面開口と底面開口を備えた、前記ホルダーボディの壁面上に被せて装着できる形状であり、外界から前記ホルダーに加えられる力に抗する構造的強度を備えたカバーを備えた、内部に液体が収納されている液体収納製品。
【請求項８】
前記カバーを前記ホルダーに被せて装着した状態において、前記液体容器筒体の少なくとも一部が前記カバーの中に挿入された状態であり、
前記液体容器筒体の水平方向の移動が前記カバーおよび前記ホルダーにより制限され、
前記液体容器筒体の垂直方向の移動が前記支持体および前記ヘッドキャップにより制限された請求項６または７のいずれかに記載の液体収納製品。
【請求項９】
前記カバーを前記ホルダーに被せて装着した状態において、前記カバーの上縁部分が前記支持体より上に位置し、当該上縁部分の内周形状が前記ホルダーに取り付けられている液体容器筒体の外周形状と沿う形で嵌合し合うものである請求項７または８に記載の液体収納製品。
【請求項１０】
前記ヘッドキャップを取り付けた状態において、前記ヘッドキャップの下縁が、前記ホルダー、前記支持体、前記カバーのいずれかの上縁を押え付け、前記ヘッドキャップ、前記ホルダー、前記カバーが締め合って固定されることを特徴とした、請求項６から９のいずれかに記載の液体収納製品。
【請求項１１】
ヘッドキャップと、
液体容器筒体と、前記液体容器筒体の下部が封止され前記液体容器筒体を介して外部と導通する液体容器本体と、前記液体容器本体に充填された液体を備えた液体容器と、
上面開口および側面開口を持ち前記ヘッドキャップが取り付けられるホルダー筒口と、前記ホルダー筒口につながるホルダーボディであって壁面の一部に前記ホルダー筒口の側面開口とつながる壁面開口を持ち前記液体容器本体を収納する中空のホルダーボディと、前記ホルダー筒口または前記ホルダーボディに設けられ前記液体容器筒体を支持する支持体を備えたホルダーを備えた、内部に液体が収納されている液体収納製品。
【請求項１２】
ヘッドキャップと、
前記ヘッドキャップが取り付けられる液体容器筒体と、前記液体容器筒体の下部が封止され前記液体容器筒体を介して外部と導通する液体容器本体と、前記液体容器本体に充填された液体を備えた液体容器と、
上面開口および側面開口を持つホルダー筒口と、前記ホルダー筒口につながるホルダーボディであって壁面の一部に前記ホルダー筒口の側面開口とつながる壁面開口を持ち前記液体容器本体を収納する中空のホルダーボディと、前記ホルダー筒口または前記ホルダーボディの内部に設けられ前記液体容器筒体を支持する支持体を備えたホルダーを備え、
前記液体容器筒体と前記支持体との組み合わせにおいて、両者が上下方向の移動を制限する構造を備え、前記ヘッドキャップを前記液体容器筒体に取り付けた状態において、前記ヘッドキャップの下縁が、前記ホルダーボディまたは前記支持体のいずれかの上縁を押え付け、前記液体容器筒体と前記支持体が上下方向に締め合うことを特徴とした、内部に液体が収納されている液体収納製品。
【請求項１３】
ノズルと、前記ノズルに連通する液体導入管と、前記液体導入管から液体を汲み上げて前記ノズルから排出する排出機構と、前記ヘッドキャップであって前記液体導入管に回動自在に設けたヘッドキャップとを備えた液体排出ヘッドを備え、
前記液体容器筒体内および前記液体容器本体内に前記液体排出ヘッドの液体導入管を挿入して前記ヘッドキャップを取り付けて前記排出ヘッドを固定した請求項１から１２のいずれかに記載の液体収納製品。
【請求項１４】
前記ヘッドキャップの上面に液体流出孔と、前記液体流出孔を開閉する開閉蓋を備えた請求項１から１３のいずれかに記載の液体収納製品。
【請求項１５】
前記液体容器本体が可撓性を持つ素材により構成され、前記液体容器のみを交換可能な使い捨てパックとして別売りする、請求項１から１４のいずれかに記載の液体収納製品の液体容器を容器とする、詰め替え用液体が収納された液体収納製品。
【請求項１６】
詰め替え用の液体を収納した使い捨てパックとして別売りする液体収納容器であって、液体容器筒体と、前記液体容器筒体の下部が封止され前記液体容器筒体を介して外部と導通する液体容器本体と、前記液体容器本体に充填された液体を備え、前記液体容器本体が可撓性を持つ素材により構成され、前記液体容器本体の一部に、前記液体容器本体の折れ曲がりを防止する構造体を内蔵した、詰め替え用液体が収納された液体収納製品。
【手続補正２】
【補正対象書類名】明細書
【補正対象項目名】０００９
【補正方法】変更
【補正の内容】
【０００９】
本発明の第１の液体収納製品は、
ヘッドキャップと、
液体容器筒体と、前記液体容器筒体の下部が封止され前記液体容器筒体を介して外部と導通する液体容器本体と、前記液体容器本体に充填された液体を備えた液体容器と、
上面開口および側面開口を持ち前記ヘッドキャップが取り付けられるホルダー筒口と、前記ホルダー筒口につながるホルダーボディであって壁面の一部に前記ホルダー筒口の側面開口とつながる壁面開口を持つ中空のホルダーボディと、前記ホルダー筒口または前記ホルダーボディに設けられ前記液体容器筒体を支持する支持体を備え、前記液体容器を内部に収納するホルダーと、
前記ホルダーボディのうち利用者が前記ホルダーを握る際に利用者の手がかかる部分であるグリップ部分を覆い、利用者による前記ホルダーの握り締めに抗する構造上の強度を与えるグリップ補強具であって、上面開口と底面開口と側壁を備えた、前記ホルダーボディの壁面上に被せて装着できる形状であり、利用者が前記側壁を握り締めることにより外界から前記ホルダーに加えられる力に抗する構造的強度を備えたグリップ補強具を備えた、内部に液体が収納されている液体収納製品である。
本発明の第２の液体収納製品は、
ヘッドキャップと、
前記ヘッドキャップが取り付けられる液体容器筒体と、前記液体容器筒体の下部が封止され前記液体容器筒体を介して外部と導通する液体容器本体と、前記液体容器本体に充填された液体を備えた液体容器と、
上面開口および側面開口を持つホルダー筒口と、前記ホルダー筒口につながるホルダーボディであって壁面の一部に前記ホルダー筒口の側面開口とつながる壁面開口を持つ中空のホルダーボディと、前記ホルダー筒口または前記ホルダーボディに設けられ前記液体容器筒体を支持する支持体を備え、前記液体容器を内部に収納するホルダーと、
前記ホルダーボディのうち利用者が前記ホルダーを握る際に利用者の手がかかる部分であるグリップ部分を覆い、利用者による前記ホルダーの握り締めに抗する構造上の強度を与えるグリップ補強具であって、上面開口と底面開口と側壁を備えた、前記ホルダーボディの壁面上に被せて装着できる形状であり、利用者が前記側壁を握り締めることにより外界から前記ホルダーに加えられる力に抗する構造的強度を備えたグリップ補強具を備えた、内部に液体が収納されている液体収納製品である。
【手続補正３】
【補正対象書類名】明細書
【補正対象項目名】００１１
【補正方法】変更
【補正の内容】
【００１１】
次に、本発明の第３の液体収納製品は、
ヘッドキャップと、
液体容器筒体と、前記液体容器筒体の下部が封止され前記液体容器筒体を介して外部と導通する液体容器本体と、前記液体容器本体に充填された液体を備えた液体容器と、
上面開口および側面開口を持ち前記ヘッドキャップが取り付けられるホルダー筒口と、前記ホルダー筒口につながるホルダーボディであって壁面の一部に前記ホルダー筒口の側面開口とつながる壁面開口を持つ中空のホルダーボディと、前記ホルダー筒口または前記ホルダーボディに設けられ前記液体容器筒体を支持する支持体を備え、前記液体容器を内部に収納するホルダーと、
前記ホルダーボディの壁面開口全体を覆うカバーであって、上面開口と底面開口を備えた、前記ホルダーボディの壁面上に被せて装着できる形状であり、外界から前記ホルダーに加えられる力に抗する構造的強度を備えたカバーを備えた、内部に液体が収納されている液体収納製品である。
本発明の第４の液体収納製品は、
ヘッドキャップと、
前記ヘッドキャップが取り付けられる液体容器筒体と、前記液体容器筒体の下部が封止され前記液体容器筒体を介して外部と導通する液体容器本体と、前記液体容器本体に充填された液体を備えた液体容器と、
上面開口および側面開口を持つホルダー筒口と、前記ホルダー筒口につながるホルダーボディであって壁面の一部に前記ホルダー筒口の側面開口とつながる壁面開口を持つ中空のホルダーボディと、前記ホルダー筒口または前記ホルダーボディに設けられ前記液体容器筒体を支持する支持体を備え、前記液体容器を内部に収納するホルダーと、
前記ホルダーボディの壁面開口全体を覆うカバーであって、上面開口と底面開口を備えた、前記ホルダーボディの壁面上に被せて装着できる形状であり、外界から前記ホルダーに加えられる力に抗する構造的強度を備えたカバーを備えた、内部に液体が収納されている液体収納製品である。
【手続補正書】
【提出日】平成16年7月7日(2004.7.7)
【手続補正１】
【補正対象書類名】特許請求の範囲
【補正対象項目名】全文
【補正方法】変更
【補正の内容】
【特許請求の範囲】
【請求項１】
ヘッドキャップと、
液体容器筒体と、前記液体容器筒体の下部が封止され前記液体容器筒体を介して外部と導通する液体容器本体と、前記液体容器本体に充填された液体を備えた液体容器と、
上面開口および側面開口を持ち前記ヘッドキャップが取り付けられるホルダー筒口と、前記ホルダー筒口につながるホルダーボディであって壁面の一部に前記ホルダー筒口の側面開口とつながる壁面開口を持つ中空のホルダーボディと、前記ホルダー筒口または前記ホルダーボディに設けられ前記液体容器筒体を支持する支持体を備え、前記液体容器を内部に収納するホルダーと、
以下の特徴を備えた前記ホルダーの壁面開口を塞ぐためのカバー、
（１）上面開口と底面開口と側壁を備えた筒状の構造を持つ。
（２）前記上面開口が前記ホルダー筒口に応じた大きさを備え、
前記筒状の側壁の内壁面全体（前記上面開口から前記底面開口に至るまでの内壁面全体）の形状が、前記ホルダーの外壁側面の形状に沿う形状を備え、前記壁面開口を覆う大きさを備えている。
（３）前記液体容器を取り付けた前記ホルダーに対して、前記カバーをその底面開口から被せ、前記ホルダー筒口を通し入れて前記上面開口から突出させ、
前記上面開口を前記ホルダー筒口に沿わせ、前記側壁の内壁面全体を前記ホルダーの外壁側面に沿わせて装着する。
（４）前記カバーの側壁の内壁面全体を前記ホルダーの外壁側面に沿わせつつ、前記カバーが前記ホルダーの外壁側面を周回して囲むように前記ホルダーに被せて装着し、前記側壁の内壁面で前記壁面開口全面を覆って塞ぐ。
（５）前記ホルダー筒口に前記ヘッドキャップを取り付けて前記カバー全体を前記ホルダーの外壁に固定する。
（６）外界から前記ホルダーに加えられる力に抗する構造的強度を持つ。
を備えた、内部に液体が収納されている液体収納製品。
【請求項２】
ヘッドキャップと、
前記ヘッドキャップが取り付けられる液体容器筒体と、前記液体容器筒体の下部が封止され前記液体容器筒体を介して外部と導通する液体容器本体と、前記液体容器本体に充填された液体を備えた液体容器と、
上面開口および側面開口を持つホルダー筒口と、前記ホルダー筒口につながるホルダーボディであって壁面の一部に前記ホルダー筒口の側面開口とつながる壁面開口を持つ中空のホルダーボディと、前記ホルダー筒口または前記ホルダーボディに設けられ前記液体容器筒体を支持する支持体を備え、前記液体容器を内部に収納するホルダーと、
以下の特徴を備えた前記ホルダーの壁面開口を塞ぐためのカバー、
（１）上面開口と底面開口と側壁を備えた筒状の構造を持つ。
（２）前記上面開口が前記ホルダー筒口に応じた大きさを備え、
前記筒状の側壁の内壁面全体（前記上面開口から前記底面開口に至るまでの内壁面全体）の形状が、前記ホルダーの外壁側面の形状に沿う形状を備え、前記壁面開口を覆う大きさを備えている。
（３）前記液体容器を取り付けた前記ホルダーに対して、前記カバーをその底面開口から被せ、前記ホルダー筒口および前記液体容器筒体の筒口を通し入れて前記上面開口から突出させ、
前記上面開口を前記ホルダー筒口に沿わせ、前記側壁の内壁面全体を前記ホルダーの外壁側面に沿わせて装着する。
（４）前記カバーの側壁の内壁面全体を前記ホルダーの外壁側面に沿わせつつ、前記カバーが前記ホルダーの外壁側面を周回して囲むように前記ホルダーに被せて装着し、前記側壁の内壁面で前記壁面開口全面を覆って塞ぐ。
（５）前記液体容器筒体の筒口に前記ヘッドキャップを取り付けて前記カバー全体を前記ホルダーの外壁に固定する。
（６）外界から前記ホルダーに加えられる力に抗する構造的強度を持つ。
を備えた、内部に液体が収納されている液体収納製品。
【請求項３】
前記カバーを前記ホルダーに被せて装着した状態において、前記液体容器筒体の少なくとも一部が前記カバーの中に挿入された状態であり、
前記液体容器筒体の水平方向の移動が前記カバーおよび前記ホルダーにより制限され、
前記液体容器筒体の垂直方向の移動が前記支持体および前記ヘッドキャップにより制限された請求項１または２のいずれかに記載の液体収納製品。
【請求項４】
前記カバーを前記ホルダーに被せて装着した状態において、前記カバーの上縁部分が前記支持体より上に位置し、当該上縁部分の内周形状が前記ホルダーに取り付けられている液体容器筒体の外周形状と沿う形で嵌合し合うものである請求項２に記載の液体収納製品。
【請求項５】
前記ヘッドキャップを取り付けた状態において、前記ヘッドキャップの下縁が、前記カバーの上縁を押え付け、前記ヘッドキャップ、前記ホルダー、前記カバーが締め合って固定されることを特徴とした、請求項１から４のいずれかに記載の液体収納製品。
【請求項６】
ノズルと、前記ノズルに連通する液体導入管と、前記液体導入管から液体を汲み上げて前記ノズルから排出する排出機構と、前記ヘッドキャップであって前記液体導入管に回動自在に設けたヘッドキャップとを備えた液体排出ヘッドを備え、
前記液体容器筒体内および前記液体容器本体内に前記液体排出ヘッドの液体導入管を挿入して前記ヘッドキャップを取り付けて前記排出ヘッドを固定した請求項１から５のいずれかに記載の液体収納製品。
【請求項７】
前記ヘッドキャップの上面に液体流出孔と、前記液体流出孔を開閉する開閉蓋を備えた請求項１から６のいずれかに記載の液体収納製品。
【請求項８】
前記液体容器本体が可撓性を持つ素材により構成され、前記液体容器のみを交換可能な使い捨てパックとして別売りする、請求項１から７のいずれかに記載の液体収納製品の液体容器を容器とする、詰め替え用液体が収納された液体収納製品。
【手続補正２】
【補正対象書類名】明細書
【補正対象項目名】０００９
【補正方法】変更
【補正の内容】
【０００９】
本発明の第１の液体収納製品は、
ヘッドキャップと、
液体容器筒体と、前記液体容器筒体の下部が封止され前記液体容器筒体を介して外部と導通する液体容器本体と、前記液体容器本体に充填された液体を備えた液体容器と、
上面開口および側面開口を持ち前記ヘッドキャップが取り付けられるホルダー筒口と、前記ホルダー筒口につながるホルダーボディであって壁面の一部に前記ホルダー筒口の側面開口とつながる壁面開口を持つ中空のホルダーボディと、前記ホルダー筒口または前記ホルダーボディに設けられ前記液体容器筒体を支持する支持体を備え、前記液体容器を内部に収納するホルダーと、
以下の特徴を備えた前記ホルダーの壁面開口を塞ぐためのカバーとなり、トリガー式液体噴霧器として利用者がホルダー側壁全体を握り締める際にホルダー側壁の構造的強度を補強するカバーともなるグリップ補強具、
（１）上面開口と底面開口と側壁を備えた筒状の構造を持つ。
（２）前記上面開口が前記ホルダー筒口に応じた大きさを備え、
前記筒状の側壁の内壁面全体（前記上面開口から前記底面開口に至るまでの内壁面全体）の形状が、前記ホルダーの外壁側面の形状に沿う形状を備え、前記壁面開口を覆う大きさを備えている。
（３）前記液体容器を取り付けた前記ホルダーに対して、前記カバーをその底面開口から被せ、前記ホルダー筒口を通し入れて前記上面開口から突出させ、
前記上面開口を前記ホルダー筒口に沿わせ、前記側壁の内壁面全体を前記ホルダーの外壁側面に沿わせて装着する。
（４）前記カバーの側壁の内壁面全体を前記ホルダーの外壁側面に沿わせつつ、前記カバーが前記ホルダーの外壁側面を周回して囲むように前記ホルダーに被せて装着し、前記側壁の内壁面で前記壁面開口全面を覆って塞ぐ。
（５）前記ホルダー筒口に前記ヘッドキャップを取り付けて前記カバー全体を前記ホルダーの外壁に固定する。
（６）外界から前記ホルダーに加えられる力に抗する構造的強度を持つ。
を備えた、内部に液体が収納されている液体収納製品である。
本発明の第２の液体収納製品は、
ヘッドキャップと、
前記ヘッドキャップが取り付けられる液体容器筒体と、前記液体容器筒体の下部が封止され前記液体容器筒体を介して外部と導通する液体容器本体と、前記液体容器本体に充填された液体を備えた液体容器と、
上面開口および側面開口を持つホルダー筒口と、前記ホルダー筒口につながるホルダーボディであって壁面の一部に前記ホルダー筒口の側面開口とつながる壁面開口を持つ中空のホルダーボディと、前記ホルダー筒口または前記ホルダーボディに設けられ前記液体容器筒体を支持する支持体を備え、前記液体容器を内部に収納するホルダーと、
以下の特徴を備えた前記ホルダーの壁面開口を塞ぐためのカバーとなり、トリガー式液体噴霧器として利用者がホルダー側壁全体を握り締める際にホルダー側壁の構造的強度を補強するカバーともなるグリップ補強具、
（１）上面開口と底面開口と側壁を備えた筒状の構造を持つ。
（２）前記上面開口が前記ホルダー筒口に応じた大きさを備え、
前記筒状の側壁の内壁面全体（前記上面開口から前記底面開口に至るまでの内壁面全体）の形状が、前記ホルダーの外壁側面の形状に沿う形状を備え、前記壁面開口を覆う大きさを備えている。
（３）前記液体容器を取り付けた前記ホルダーに対して、前記カバーをその底面開口から被せ、前記ホルダー筒口および前記液体容器筒体の筒口を通し入れて前記上面開口から突出させ、
前記上面開口を前記ホルダー筒口に沿わせ、前記側壁の内壁面全体を前記ホルダーの外壁側面に沿わせて装着する。
（４）前記カバーの側壁の内壁面全体を前記ホルダーの外壁側面に沿わせつつ、前記カバーが前記ホルダーの外壁側面を周回して囲むように前記ホルダーに被せて装着し、前記側壁の内壁面で前記壁面開口全面を覆って塞ぐ。
（５）前記液体容器筒体の筒口に前記ヘッドキャップを取り付けて前記カバー全体を前記ホルダーの外壁に固定する。
（６）外界から前記ホルダーに加えられる力に抗する構造的強度を持つ。
を備えた、内部に液体が収納されている液体収納製品である。
【手続補正３】
【補正対象書類名】明細書
【補正対象項目名】００１１
【補正方法】変更
【補正の内容】
【００１１】
次に、本発明の第３の液体収納製品は、
ヘッドキャップと、
液体容器筒体と、前記液体容器筒体の下部が封止され前記液体容器筒体を介して外部と導通する液体容器本体と、前記液体容器本体に充填された液体を備えた液体容器と、
上面開口および側面開口を持ち前記ヘッドキャップが取り付けられるホルダー筒口と、前記ホルダー筒口につながるホルダーボディであって壁面の一部に前記ホルダー筒口の側面開口とつながる壁面開口を持つ中空のホルダーボディと、前記ホルダー筒口または前記ホルダーボディに設けられ前記液体容器筒体を支持する支持体を備え、前記液体容器を内部に収納するホルダーと、
以下の特徴を備えた前記ホルダーの壁面開口を塞ぐためのカバー、
（１）上面開口と底面開口と側壁を備えた筒状の構造を持つ。
（２）前記上面開口が前記ホルダー筒口に応じた大きさを備え、
前記筒状の側壁の内壁面全体（前記上面開口から前記底面開口に至るまでの内壁面全体）の形状が、前記ホルダーの外壁側面の形状に沿う形状を備え、前記壁面開口を覆う大きさを備えている。
（３）前記液体容器を取り付けた前記ホルダーに対して、前記カバーをその底面開口から被せ、前記ホルダー筒口を通し入れて前記上面開口から突出させ、
前記上面開口を前記ホルダー筒口に沿わせ、前記側壁の内壁面全体を前記ホルダーの外壁側面に沿わせて装着する。
（４）前記カバーの側壁の内壁面全体を前記ホルダーの外壁側面に沿わせつつ、前記カバーが前記ホルダーの外壁側面を周回して囲むように前記ホルダーに被せて装着し、前記側壁の内壁面で前記壁面開口全面を覆って塞ぐ。
（５）前記ホルダー筒口に前記ヘッドキャップを取り付けて前記カバー全体を前記ホルダーの外壁に固定する。
（６）外界から前記ホルダーに加えられる力に抗する構造的強度を持つ。
を備えた、内部に液体が収納されている液体収納製品である。
本発明の第４の液体収納製品は、
ヘッドキャップと、
前記ヘッドキャップが取り付けられる液体容器筒体と、前記液体容器筒体の下部が封止され前記液体容器筒体を介して外部と導通する液体容器本体と、前記液体容器本体に充填された液体を備えた液体容器と、
上面開口および側面開口を持つホルダー筒口と、前記ホルダー筒口につながるホルダーボディであって壁面の一部に前記ホルダー筒口の側面開口とつながる壁面開口を持つ中空のホルダーボディと、前記ホルダー筒口または前記ホルダーボディに設けられ前記液体容器筒体を支持する支持体を備え、前記液体容器を内部に収納するホルダーと、
以下の特徴を備えた前記ホルダーの壁面開口を塞ぐためのカバー、
（１）上面開口と底面開口と側壁を備えた筒状の構造を持つ。
（２）前記上面開口が前記ホルダー筒口に応じた大きさを備え、
前記筒状の側壁の内壁面全体（前記上面開口から前記底面開口に至るまでの内壁面全体）の形状が、前記ホルダーの外壁側面の形状に沿う形状を備え、前記壁面開口を覆う大きさを備えている。
（３）前記液体容器を取り付けた前記ホルダーに対して、前記カバーをその底面開口から被せ、前記ホルダー筒口および前記液体容器筒体の筒口を通し入れて前記上面開口から突出させ、
前記上面開口を前記ホルダー筒口に沿わせ、前記側壁の内壁面全体を前記ホルダーの外壁側面に沿わせて装着する。
（４）前記カバーの側壁の内壁面全体を前記ホルダーの外壁側面に沿わせつつ、前記カバーが前記ホルダーの外壁側面を周回して囲むように前記ホルダーに被せて装着し、前記側壁の内壁面で前記壁面開口全面を覆って塞ぐ。
（５）前記液体容器筒体の筒口に前記ヘッドキャップを取り付けて前記カバー全体を前記ホルダーの外壁に固定する。
（６）外界から前記ホルダーに加えられる力に抗する構造的強度を持つ。
を備えた、内部に液体が収納されている液体収納製品である。